(57)【特許請求の範囲】
【請求項１】
フェムトセルのネットワークのためのトレーニング歩行較正手順を実行するアクセス端末から測定レポートを受信するように構成される受信機と、ここで、前記測定レポートは、トレーニング歩行較正手順の間の測定に関連付けられる、
前記受信した測定レポートに基づいて前記フェムトセルのうちの少なくとも１つの送信電力を制御するように構成される処理システムと
を備え、前記送信電力は、前記トレーニング歩行較正手順の間の測定に関連付けられた１つまたは複数の位置での少なくとも１つの基準を満たすように制御され、前記処理システムは、
前記トレーニング歩行較正手順の間に、ハンドオーバー決定のための第１のハンドオーバーヒステリシス値を定義し、
前記トレーニング歩行較正手順が完了した後に、ハンドオーバー決定のための第２のハンドオーバーヒステリシス値を定義する
ようにさらに構成され、前記第２のハンドオーバーヒステリシス値は、前記第１のハンドオーバーヒステリシス値とは異なる、
通信装置。
【請求項２】
前記少なくとも１つの基準は、ハンドオーバーの基準、信号対雑音比（ＳＮＲ）の基準、マクロセル保護の基準、パイロット信号品質の基準、または隣接チャネル保護の基準を備える、
請求項１に記載の装置。
【請求項３】
前記少なくとも１つの基準は、ハンドオーバーの基準およびＳＮＲの基準を備える、
請求項１に記載の装置。
【請求項４】
前記少なくとも１つの基準は、マクロセル保護の基準およびＳＮＲの基準を備える、
請求項１に記載の装置。
【請求項５】
前記少なくとも１つの基準は、パイロット信号品質の基準および隣接チャネル保護の基準を備える、
請求項１に記載の装置。
【請求項６】
前記測定レポートは、第１のワイヤレス通信技術を使用して受信され、
前記制御される送信電力は、前記第１のワイヤレス通信技術とは異なる第２の技術のためのものである、
請求項１に記載の装置。
【請求項７】
前記測定レポートは、少なくとも１つの周波数上で測定された情報を含み、
前記送信電力は、前記少なくとも１つの周波数上で制御される、
請求項１に記載の装置。
【請求項８】
前記処理システムは、前記フェムトセルうちの第１のフェムトセルよりも高い受信信号品質と関連付けられるものとして前記フェムトセルのうちの第２のフェムトセルを特定する任意の測定レポートを取り除くように、前記受信された測定レポートをフィルタリングすることによって前記フェムトセルのうちの前記第１のフェムトセルのための測定レポート情報を提供するようにさらに構成され、
前記送信電力の前記制御は、前記フィルタされた測定レポートに基づくものである、
請求項１に記載の装置。
【請求項９】
前記第１のハンドオーバーヒステリシス値は、約０である、
請求項１に記載の装置。
【請求項１０】
前記第１のハンドオーバーヒステリシス値は、前記トレーニング歩行較正手順の間に、前記アクセス端末が、各測定レポートを、前記測定レポートの中の最強の受信信号値に関連するフェムトセルへ送信するように、定義される、
請求項１に記載の装置。
【請求項１１】
前記受信機は、アクセスポイント信号のモニタに基づいて前記フェムトセルによって決定された送信電力値を受信するようにさらに構成され、
前記処理システムは、前記受信された送信電力値に基づいて前記少なくとも１つのフェムトセルのための少なくとも１つの送信電力値を決定するようにさらに構成され、
前記処理システムは、前記トレーニング歩行較正手順の間に前記決定された少なくとも１つの送信電力値を使用するように前記少なくとも１つのフェムトセルを構成するさらに構成される、
請求項１に記載の装置。
【請求項１２】
前記少なくとも１つの送信電力値は、単一の送信電力値を備え、
前記単一の送信電力値の決定は、前記受信され送信電力値のうちの最大値を選択することを備える、
請求項１１に記載の装置。
【請求項１３】
前記少なくとも１つのフェムトセルの前記構成は、前記フェムトセルのすべてを構成することを備える、
請求項１１に記載の装置。
【請求項１４】
前記少なくとも１つの送信電力値の前記決定は、
前記フェムトセルの各々のための別個の送信電力値を決定することと、
前記受信された送信電力値に適用される上限に基づいて前記フェムトセルのための前記別個の送信電力値を制限することと
備える、請求項１１に記載の装置。
【請求項１５】
フェムトセルのネットワークのためのトレーニング歩行較正手順を実行するアクセス端末から測定レポートを受信するように構成される受信機と、ここで、前記測定レポートは、前記トレーニング歩行較正手順の間の測定に関連付けられる、
前記受信した測定レポートに基づいて前記フェムトセルのうちの少なくとも１つの送信電力を制御するように構成される処理システムと
を備え、前記送信電力は、前記トレーニング歩行較正手順の間の測定に関連付けられた１つまたは複数の位置での少なくとも１つの基準を満たすように制御され、前記処理システムは、前記フェムトセルうちの第１のフェムトセルよりも高い受信信号品質と関連付けられるものとして前記フェムトセルのうちの第２のフェムトセルを特定する任意の測定レポートを取り除くように、前記受信された測定レポートをフィルタリングすることによって前記フェムトセルのうちの前記第１のフェムトセルのための測定レポート情報を提供するようにさらに構成され、
前記送信電力の制御は、前記フィルタされた測定レポートに基づくものである、
装置。
【請求項１６】
前記信号品質は、Ｅｃｐ／Ｉｏを備える、
請求項１５に記載の装置。
【請求項１７】
前記少なくとも１つのフェムトセルは、前記フェムトセルのネットワークのうちの１つのフェムトセルを備え、
前記測定レポートは、前記１つのフェムトセルによって受信される、
請求項１に記載の装置。
【請求項１８】
前記少なくとも１つのフェムトセルは、前記フェムトセルのネットワークのすべてのフェムトセルを備え、
前記測定レポートは、前記フェムトセルのすべてを介するネットワークエンティティによって受信される、
請求項１に記載の装置。
【請求項１９】
前記少なくとも１つのフェムトセルは、前記ネットワークのフェムトセルのうちのすべてのフェムトセルを備え、
前記測定レポートの第１のサブセットは、前記フェムトセルのうちの１つの受信機によって受信され、
前記測定レポートの第２のサブセットは、前記フェムトセルのネットワークのうちの他のすべてのフェムトセルを介する前記１つのフェムトセルによって受信される、
請求項１に記載の装置。
【請求項２０】
電力制御の方法であって、フェムトセルまたは基地局コントローラが、
フェムトセルのネットワークのためのトレーニング歩行較正手順を実行するアクセス端末から測定レポートを受信することと、ここで、前記測定レポートは、トレーニング歩行較正手順の間の測定に関連付けられる、
前記受信した測定レポートに基づいて前記フェムトセルのうちの少なくとも１つの送信電力を制御することと、ここで、前記送信電力は、前記トレーニング歩行較正手順の間の測定に関連付けられた１つまたは複数の位置での少なくとも１つの基準を満たすように制御される、
前記トレーニング歩行較正手順の間に、ハンドオーバー決定のための第１のハンドオーバーヒステリシス値を定義することと、
前記トレーニング歩行較正手順が完了した後に、ハンドオーバー決定のための第２のハンドオーバーヒステリシス値を定義することと
を備え、前記第２のハンドオーバーヒステリシス値は、前記第１のハンドオーバーヒステリシス値とは異なる、
方法。
【請求項２１】
前記少なくとも１つの基準は、ハンドオーバーの基準および信号対雑音比（ＳＮＲ）の基準を備える、
請求項２０に記載の方法。
【請求項２２】
前記少なくとも１つの基準は、マクロセル保護の基準およびＳＮＲの基準を備える、
請求項２０に記載の方法。
【請求項２３】
前記少なくとも１つの基準は、パイロット信号品質の基準および隣接チャネル保護の基準を備える、
請求項２０に記載の方法。
【請求項２４】
前記フェムトセルうちの第１のフェムトセルよりも高い受信信号品質と関連付けられるものとして前記フェムトセルのうちの第２のフェムトセルを特定する任意の測定レポートを取り除くように、前記受信された測定レポートをフィルタリングすることによって前記フェムトセルのうちの前記第１のフェムトセルのための測定レポート情報を提供することをさらに備え、
前記送信電力の前記制御は、前記フィルタされた測定レポートに基づくものである、
請求項２０に記載の方法。
【請求項２５】
前記第１のハンドオーバーヒステリシス値は、約０である、
請求項２０に記載の方法。
【請求項２６】
アクセスポイント信号のモニタに基づいて前記フェムトセルによって決定された送信電力値を受信することと、
前記受信された送信電力値に基づいて前記少なくとも１つのフェムトセルのための少なくとも１つの送信電力値を決定することと、
前記トレーニング歩行較正手順の間に前記決定された少なくとも１つの送信電力値を使用するように前記少なくとも１つのフェムトセルを構成することと
そさらに備える、請求項２０に記載の方法。
【請求項２７】
電力制御の方法であって、フェムトセルまたは基地局コントローラが、
フェムトセルのネットワークのためのトレーニング歩行較正手順を実行するアクセス端末から測定レポートを受信することと、ここで、前記測定レポートは、トレーニング歩行較正手順の間の測定に関連付けられる、
前記受信した測定レポートに基づいて前記フェムトセルのうちの少なくとも１つの送信電力を制御することと、ここで、前記送信電力は、前記トレーニング歩行較正手順の間の測定に関連付けられた１つまたは複数の位置での少なくとも１つの基準を満たすように制御される、
前記フェムトセルうちの第１のフェムトセルよりも高い受信信号品質と関連付けられるものとして前記フェムトセルのうちの第２のフェムトセルを特定する任意の測定レポートを取り除くように、前記受信された測定レポートをフィルタリングすることによって前記フェムトセルのうちの前記第１のフェムトセルのための測定レポート情報を提供することと
を備え、前記送信電力の前記制御は、前記フィルタされた測定レポートに基づくものである、
方法。
【請求項２８】
フェムトセルのネットワークのためのトレーニング歩行較正手順を実行するアクセス端末から測定レポートを受信するための手段と、ここで、前記測定レポートは、トレーニング歩行較正手順の間の測定に関連付けられる、
前記受信した測定レポートに基づいて前記フェムトセルのうちの少なくとも１つの送信電力を制御するための手段と、ここで、前記送信電力は、前記トレーニング歩行較正手順の間の測定に関連付けられた１つまたは複数の位置での少なくとも１つの基準を満たすように制御される、
第１のハンドオーバーヒステリシス値および第２のハンドオーバーヒステリシス値を定義するための手段と
を備え、前記第１のハンドオーバーヒステリシス値は、前記トレーニング歩行較正手順の間のハンドオーバー決定のためのものであり、
前記第２のハンドオーバーヒステリシス値は、トレーニング歩行較正手順が完了した後のハンドオーバー決定のためのものであり、
前記第２のハンドオーバーヒステリシス値は、前記第１のハンドオーバーヒステリシス値とは異なる、
通信装置。
【請求項２９】
前記フェムトセルうちの第１のフェムトセルよりも高い受信信号品質と関連付けられるものとして前記フェムトセルのうちの第２のフェムトセルを特定する任意の測定レポートを取り除くように、前記受信された測定レポートをフィルタリングすることによって前記フェムトセルのうちの前記第１のフェムトセルのための測定レポート情報を提供するための手段をさらに備え、
前記送信電力の前記制御は、前記フィルタされた測定レポートに基づくものである、
請求項２８に記載の装置。
【請求項３０】
アクセスポイント信号のモニタに基づいて前記フェムトセルによって決定された送信電力値を受信するための手段と、
前記受信された送信電力値に基づいて前記少なくとも１つのフェムトセルのための少なくとも１つの送信電力値を決定するための手段と、
前記トレーニング歩行較正手順の間に前記決定された少なくとも１つの送信電力値を使用するように前記少なくとも１つのフェムトセルを構成するための手段と
請求項２８に記載の装置。
【請求項３１】
フェムトセルのネットワークのためのトレーニング歩行較正手順を実行するアクセス端末から測定レポートを受信するための手段と、ここで、前記測定レポートは、トレーニング歩行較正手順の間の測定に関連付けられる、
前記受信した測定レポートに基づいて前記フェムトセルのうちの少なくとも１つの送信電力を制御するための手段と、ここで、前記送信電力は、前記トレーニング歩行較正手順の間の測定に関連付けられた１つまたは複数の位置での少なくとも１つの基準を満たすように制御される、
前記フェムトセルうちの第１のフェムトセルよりも高い受信信号品質と関連付けられるものとして前記フェムトセルのうちの第２のフェムトセルを特定する任意の測定レポートを取り除くように、前記受信された測定レポートをフィルタリングすることによって前記フェムトセルのうちの前記第１のフェムトセルのための測定レポート情報を提供するための手段と
を備え、前記送信電力の前記制御は、前記フィルタされた測定レポートに基づくものである、
装置。
【請求項３２】
コンピュータに、
フェムトセルのネットワークのためのトレーニング歩行較正手順を実行するアクセス端末から測定レポートを受信させ、ここで、前記測定レポートは、トレーニング歩行較正手順の間の測定に関連付けられる、
前記受信した測定レポートに基づいて前記フェムトセルのうちの少なくとも１つの送信電力を制御させる、ここで、前記送信電力は、前記トレーニング歩行較正手順の間の測定に関連付けられた１つまたは複数の位置での少なくとも１つの基準を満たすように制御される、
前記トレーニング歩行較正手順の間に、ハンドオーバー決定のための第１のハンドオーバーヒステリシス値を定義させ、
前記トレーニング歩行較正手順が完了した後に、ハンドオーバー決定のための第２のハンドオーバーヒステリシス値を定義させる
ためのコードを備え、前記第２のハンドオーバーヒステリシス値は、前記第１のハンドオーバーヒステリシス値とは異なる、
コンピュータプログラム。
【請求項３３】
前記コンピュータに、
前記フェムトセルうちの第１のフェムトセルよりも高い受信信号品質と関連付けられるものとして前記フェムトセルのうちの第２のフェムトセルを特定する任意の測定レポートを取り除くように、前記受信された測定レポートをフィルタリングすることによって前記フェムトセルのうちの前記第１のフェムトセルのための測定レポート情報を提供させるためのコードをさらに備え、
前記送信電力の前記制御は、前記フィルタされた測定レポートに基づくものである、
請求項３２に記載のコンピュータプログラム。
【請求項３４】
前記コンピュータに、
アクセスポイント信号のモニタに基づいて前記フェムトセルによって決定された送信電力値を受信させ、
前記受信された送信電力値に基づいて前記少なくとも１つのフェムトセルのための少なくとも１つの送信電力値を決定させ、
前記トレーニング歩行較正手順の間に前記決定された少なくとも１つの送信電力値を使用するように前記少なくとも１つのフェムトセルを構成させる
ためのコードをさらに備える、請求項３２に記載のコンピュータプログラム。
【請求項３５】
コンピュータに、
フェムトセルのネットワークのためのトレーニング歩行較正手順を実行するアクセス端末から測定レポートを受信させ、ここで、前記測定レポートは、トレーニング歩行較正手順の間の測定に関連付けられる、
前記受信した測定レポートに基づいて前記フェムトセルのうちの少なくとも１つの送信電力を制御させ、ここで、前記送信電力は、前記トレーニング歩行較正手順の間の測定に関連付けられた１つまたは複数の位置での少なくとも１つの基準を満たすように制御される、
前記フェムトセルうちの第１のフェムトセルよりも高い受信信号品質と関連付けられるものとして前記フェムトセルのうちの第２のフェムトセルを特定する任意の測定レポートを取り除くように、前記受信された測定レポートをフィルタリングすることによって前記フェムトセルのうちの前記第１のフェムトセルのための測定レポート情報を提供させる
ためのコードを備え、
前記送信電力の制御は、前記フィルタされた測定レポートに基づくものである、
コンピュータプログラム。
【発明の詳細な説明】
【関連出願】
【０００１】
本出願は、同一出願人が所有する、２０１０年９月２４日に出願され、代理人整理番号第１０２９８７Ｐ１号を付与された、米国仮特許出願第６１／３８６，２７８号、および２０１０年９月２８日に出願され、代理人整理番号第１０２９１０Ｐ１号を付与された、米国仮特許出願第６１／３８７，４３３号の利益および優先権を主張し、上記の各々の開示が参照により本明細書に組み込まれる。
【技術分野】
【０００２】
本出願は、一般には、ワイヤレス通信に関し、より詳細には、限定はしないが、通信性能を向上させることに関する。
【背景技術】
【０００３】
序論  
ワイヤレス通信ネットワークは、ある定義された地理的エリア内のユーザに様々なタイプのサービス（たとえば、音声、データ、マルチメディアサービスなど）を提供するために、その地理的エリア全体に展開され得る。典型的な実装形態では、ネットワークによってサービスされる地理的エリア内で動作しているアクセス端末（たとえば、携帯電話）にワイヤレス接続性を与えるために、（たとえば、様々なセルに対応する）アクセスポイントがネットワーク全体にわたって分散される。
【０００４】
高速なマルチメディアデータサービスの需要が急速に増大するにつれて、向上した性能をもつ効率的で堅牢な通信システムを実装することが課題となっている。従来のネットワークアクセスポイント（たとえば、マクロアクセスポイント）を補強するために、カバレッジの小さいアクセスポイント（たとえば、送信電力が２０ｄＢｍ以下の）が、アクセス端末に対してより強力なカバレッジを提供するために展開され得る。たとえば、ユーザの自宅または企業の環境（たとえば商業ビル）に設置される、カバレッジの小さいアクセスポイントは、セルラー無線通信（たとえば、ＣＤＭＡ、ＷＣＤＭＡ（登録商標）、ＵＭＴＳ、ＬＴＥなど）をサポートするアクセス端末に対して、音声サービスおよび高速データサービスを提供できる。
【０００５】
従来、カバレッジの小さいアクセスポイントは、たとえば、フェムトセル、フェムトアクセスポイント、ｈｏｍｅ  ＮｏｄｅＢ、ｈｏｍｅ  ｅＮｏｄｅＢ、またはアクセスポイント基地局と呼ばれることがある。通常、そのようなカバレッジの小さいアクセスポイントは、ＤＳＬルータまたはケーブルモデムを介して、インターネットおよびモバイルオペレータのネットワークに接続される。便宜的に、以下の議論においては、カバレッジの小さなアクセスポイントは、フェムトセルまたはフェムトアクセスポイントと呼ばれ得る。
【０００６】
実際には、フェムトセルのユーザに対して適切なフェムトセル高周波（ＲＦ）カバレッジを提供することと、他のアクセスポイント（たとえば近隣のマクロセル）およびこれらの他のアクセスポイントのユーザに対する干渉を制限することとの、トレードオフを図る必要があり得る。たとえば、屋内に配備されるフェムトセルでは、建物全体にわたって良好な屋内のＲＦカバレッジを提供しつつ、近隣のアクセスポイントのアップリンクおよび／またはダウンリンク通信と干渉する可能性のある屋外への漏洩を制限するのが望ましいことがある。
【０００７】
干渉は、様々なやり方で引き起こされる。スペクトルリソースの不足によって、フェムトセルはしばしば、マクロセルが使用する周波数チャネルを共有し、または、限られた保護周波数帯を有する隣接するチャネル上で展開される。これらのいずれの場合でも、フェムトセルおよびマクロセルは、これらのチャネル上で互いに干渉し得る。
【０００８】
干渉の別の原因は、ビーコンの送信である。マクロセルは通常、複数の周波数で動作する。マクロセルのユーザを自身のサービスチャネルに誘引するために、フェムトセルは、これらのマクロセル周波数でビーコン（たとえば、パイロットチャネル、ページングチャネル、および同期チャネルを備える）を放射する。これらのビーコンは、マクロセルとフェムトセルとの間でアクティブなハンドインがサポートされない場合には、マクロネットワーク上で干渉を引き起こす。この干渉は、マクロセル周波数上でアクティブなサービスを受けるユーザの音声呼の品質に影響を与えることがあり、一部の場合には、呼の切断につながり得る。
【０００９】
上記のことを考慮すると、マクロネットワークに対する干渉を軽減しつつ適切なカバレッジを提供するように、フェムトセルのサービスチャネル送信電力と、フェムトセルのビーコンチャネル送信電力とを較正するのが望ましい。いくつかの態様では、所望の電力レベルは、屋内領域および伝搬環境、さらには、支配的なマクロネットワークの状態に依存する。たとえば、従来の干渉軽減の技法は、ネットワークリッスンモジュール（ＮＬＭ）を使って、周囲のマクロセルチャネルの品質を検出し、検出されたチャネル品質に基づいてフェムトセル送信電力を較正する。一般に、ＮＬＭは、近隣のアクセスポイントによって送信される順方向リンク信号を取得するように構成される、受信機コンポーネントを含む。しかし、これらの方法は一般に、カバレッジエリアおよびマクロセル干渉の変動に関する単純な仮定に基づいており、その結果、所望のレベルのカバレッジを提供しないことがある。したがって、ワイヤレスネットワークのための、改善されたＲＦカバレッジ制御が必要である。
【発明の概要】
【００１０】
本開示のいくつかの例示的な態様の概要が、以下に続く。この概要は、読者の便宜のために与えられるものであり、本開示の幅を完全に定義するものではない。便宜上、いくつかの態様という用語は、本明細書では、本開示の単一の態様または複数の態様を指すために使用され得る。
【００１１】
いくつかの態様では、本開示は、フェムトセルのネットワークの送信電力を制御することに関する。ある典型的な実装形態では、フェムトセルは、企業の環境（たとえば建物内）または住居において展開される。
【００１２】
いくつかの態様では、本開示は、カバレッジエリアの中およびカバレッジの周囲の異なる点において観測されるマクロ信号に基づいて、かつ、フェムトセルの相互の位置に基づいて（たとえば、上記の異なる点において観測されるフェムトセル信号に基づいて）、フェムトセルの電力レベルを調整する、電力較正方式に関する。このようにして、電力較正方式は、所望のレベルのカバレッジを提供することと、近隣のマクロセルおよびフェムトセルへの干渉を軽減することとの、良好な均衡を容易にする。そのような電力較正方式を使って、フェムトセルサービスチャネル（以後、フェムトセル順方向リンク（ＦＬ）と呼ぶ）の送信電力および／またはフェムトセルビーコンチャネルの送信電力を制御することができる。
【００１３】
いくつかの態様では、本開示は、複数段階の較正手順に関する。この複数段階の手順には、初期化段階と、電力調整段階と、電力最適化段階とのうちの２つ以上が関わる。
【００１４】
いくつかの態様では、初期化段階において、フェムトセルの電力レベルが、ネットワークリッスン手順の使用を通じて設定される。最初に、フェムトセルのネットワーク（たとえばグループまたはクラスタ）に属する各フェムトセルが、マクロセル信号をリッスンし、これらの信号に基づいて最大送信電力を決定する。複数のフェムトセルに同様のカバレッジ領域を提供しようとする中で、次いで各フェムトセルに、実質的に同一の（たとえば、同一の、または定義された差分以内の）送信電力レベルが割り当てられ得る。一部の場合には、割り当てられる送信電力レベルは、ネットワークリッスン手順の間にフェムトネットワーク中のフェムトセルのいずれかによって決定された、最高の最大送信電力レベルに対応する。したがって、いくつかの態様では、電力制御方式は、マクロセル信号のモニタに基づいて、複数のフェムトセルによって決定された送信電力値を受信することと、受信された送信電力値に基づいてフェムトセルの少なくとも１つの送信電力値を決定することと、決定された少なくとも１つの送信電力値を使うようにフェムトセルの少なくとも１つを構成することとを備える。
【００１５】
いくつかの態様では、電力調整段階において、各フェムトセルの送信電力は、歩行に基づく試験手順の間に決定され、その試験手順において、各フェムトセルが、フェムトセルのカバレッジエリア中を移動する（たとえば、携帯電話を持つ技術者が建物中を歩く）特定のアクセス端末（たとえばモバイルデバイス）から測定レポートを受信する。これらの測定レポートは、たとえば、フェムトセルおよび任意の近隣マクロセルから受信された信号に対して、アクセス端末によって様々な位置において観測されるような、受信信号強度または信号品質を示すものを含む。したがって、いくつかの態様では、電力制御方式は、測定レポートに対する少なくとも１つの要求を特定のアクセス端末に送信することと、要求された測定レポートをフェムトセルにおいて受信することであって、測定レポートが特定のアクセス端末の複数の位置と関連付けられる、受信することと、受信された測定レポートに基づいてフェムトセルの送信電力を制御することであって、送信電力が、これらの位置の１つまたは複数における少なくとも１つの基準（たとえば、信号対雑音比（ＳＮＲ）の基準、ハンドオーバーの基準、マクロセル保護の基準、パイロット信号品質の基準、隣接チャネル保護の基準など）を満たすように制御される、制御することとを備える。
【００１６】
いくつかの態様では、各フェムトセルの送信電力は、フェムトセルが生じさせる受信フェムトセル信号の品質が最高となる各々の測定レポートを行う位置において、規定された基準（たとえば、ＳＮＲの基準またはハンドオーバーの基準）を満たすように、受信された測定レポートに基づいて調整される。一部の場合には、フェムトセルは、フェムトセルが生じさせた受信フェムトセル信号の品質が最高とはならなかった位置から受信されたあらゆるレポートを取り除くように、受信された測定レポートをフィルタリングする。したがって、いくつかの態様では、電力制御方式は、第１のフェムトセルにおける複数の測定レポートを受信することと、第１のフェムトセルよりも高い受信信号品質と関連付けられるものとして別のフェムトセルを特定する任意の測定レポートを取り除くように、測定レポートをフィルタリングすることと、フィルタリングされた測定レポートに基づいて第１のフェムトセルの送信電力を制御することとを備える。
【００１７】
いくつかの態様では、電力最適化段階において、フェムトセルを再構成する（たとえば、フェムトセルの位置を変更する、またはフェムトセルの数を変更する）という決定が、フェムトセルに対して実行される最初のまたは後続のトレーニング歩行に基づく較正手順の結果として得られる情報に基づいて引き起こされる。たとえば、フェムトセルを再構成せよという指示が、１）フェムトセル間の電力の差が大きすぎる、２）フェムトセルへの大きなパスロスを示すレポートが多すぎる、３）フェムトセルが最大電力で動作している、または４）カバレッジホールが存在すると判定されると、生成され得る。したがって、いくつかの態様では、電力制御方式は、複数のフェムトセルに対して実行されるトレーニング歩行較正整手順の結果として得られる情報を受信することと、受信された情報に基づいて再構成トリガ条件を識別することと、再構成トリガ条件の識別の結果として、フェムトセルを再構成せよという指示を生成することとを備える。
【００１８】
電力較正方式は、集中型ではない（たとえば分散型の）展開で利用されても集中型の展開で利用されてもよい。集中型ではない展開の例として、フェムトセルのネットワークの各フェムトセルは、測定レポートを取得し、（他のフェムトセルとの協調をほとんどまたはまったく伴わずに）ネットワークの他のフェムトセルの電力較正とは独立に送信電力を較正することができる。集中型の展開の例として、エンティティ（たとえば、フェムトセルまたは基地局コントローラ（ＢＳＣ）のようなネットワークエンティティなどのうちの指定された１つ）が、ネットワークフェムトセルによって取得された測定レポートを取得し、それに従ってフェムトセルの送信電力を較正する。
【００１９】
本開示のこれらおよび他の例示的な態様が、以下の詳細な説明および特許請求の範囲、ならびに添付の図面において説明される。
【図面の簡単な説明】
【００２０】
【図１】アクセスポイントの送信電力を制御するように構成された、通信システムのある実施形態のいくつかの例示的な態様の簡略ブロック図簡略ブロック図。
【図２】いくつかの例示的な電力制御動作を示すフローチャート。
【図３】例示的なトレーニング歩行パスの簡略図。
【図４】アクセスポイントの送信電力を初期化するための、いくつかの例示的な動作を示すフローチャート。
【図５】トレーニング歩行とともにアクセスポイントの送信電力を制御するための、いくつかの例示的な動作を示すフローチャート。
【図６】いくつかの例示的なアクセスポイントの送信電力の最適化動作を示すフローチャート。
【図７】同位置のマクロセルからの測定レポートを用いることに関連する、いくつかの例示的な動作を示すフローチャート。
【図８】カバレッジおよび干渉の基準に基づいて送信電力を制御するための、いくつかの例示的な動作を示すフローチャート。
【図９】通信ノードにおいて利用され得るコンポーネントのいくつかの例示的な態様の簡略ブロック図。
【図１０】ワイヤレス通信システムの簡略図。
【図１１】フェムトノードを含むワイヤレス通信システムの簡略図。
【図１２】ワイヤレス通信のカバレッジエリアを示す簡略図。
【図１３】通信コンポーネントのいくつかの例示的な態様の簡略ブロック図。
【図１４】本明細書で教示されるように送信電力を制御するように構成される装置の、ある例示的な態様の簡略ブロック図。
【図１５】本明細書で教示されるように送信電力を制御するように構成される装置の、ある例示的な態様の簡略ブロック図。
【図１６】本明細書で教示されるように送信電力を制御するように構成される装置の、ある例示的な態様の簡略ブロック図。
【図１７】本明細書で教示されるように送信電力を制御するように構成される装置の、ある例示的な態様の簡略ブロック図。
【００２１】
慣例に従って、図面に示す様々な特徴は一定の縮尺で描かれていない場合がある。したがって、様々な特徴の寸法は、分かりやすいように任意に拡大または縮小されていることがある。さらに、図面のいくつかは、分かりやすいように簡略化されていることがある。したがって、図面は、所与の装置（たとえば、デバイス）または方法のコンポーネントのすべてを示すとは限らない場合がある。最後に、明細書および図の全体にわたって同じ特徴を示すために、同じ参照番号が使用されることがある。
【発明を実施するための形態】
【００２２】
本開示の様々な態様が以下で説明される。本明細書の教示は多種多様な形態で具現化でき、本明細書で開示されている任意の特定の構造、機能、またはその両方は代表的なものにすぎないことは明らかであろう。本明細書の教示に基づいて、本明細書で開示される態様は任意の他の態様とは独立に実装され得ること、およびこれらの態様のうちの２つ以上を様々な方法で組み合わせることができることを、当業者は理解されよう。たとえば、本明細書に記載の態様をいくつ使用しても、装置を実装し、または方法を実施することができる。さらに、本明細書に記載の態様のうちの１つまたは複数に加えて、または、それら以外の、他の構造、機能、または構造および機能を使用して、そのような装置を実装し、またはそのような方法を実施することができる。さらに、態様は、請求項の少なくとも１つの要素を備え得る。
【００２３】
図１は、例示的な通信システム１００（たとえば、通信ネットワークの一部）のいくつかのノードを示す。説明のために、本開示の様々な態様は、１つまたは複数のアクセス端末とアクセスポイントとネットワークエンティティとが相互に通信しているという想定で説明される。ただし、本明細書の教示は、他の種類の装置、または他の用語を使用して参照される他の同様の装置に適用可能であり得ることが理解されよう。たとえば、様々な実施態様において、アクセスポイントは、基地局、ＮｏｄｅＢ、ｅＮｏｄｅＢ、フェムトセル、Ｈｏｍｅ  ＮｏｄｅＢ、Ｈｏｍｅ  ｅＮｏｄｅＢなどと呼ばれ、またはそれらとして実装されてよく、一方、アクセス端末は、ユーザ装置（ＵＥ）、移動局などと呼ばれ、またはそれらとして実装されてよい。
【００２４】
システム１００のアクセスポイントは、システム１００のカバレッジエリア内に設置され得るかまたはシステム１００のカバレッジエリア内をローミングし得る１つまたは複数のワイヤレス端末（たとえば、アクセス端末１０２）に対して、１つまたは複数のサービス（たとえば、ネットワーク接続）へのアクセスを提供する。たとえば、様々な時点で、アクセス端末１０２は、アクセスポイント１０４、アクセスポイント１０６、アクセスポイント１０８、アクセスポイント１１０、またはシステム１００中の何らかのアクセスポイント（図示せず）に接続し得る。これらのアクセスポイントの各々は、ワイドエリアネットワーク接続を容易にするために、１つまたは複数のネットワークエンティティ（便宜上、ネットワークエンティティ１１２によって代表される）と通信できる。
【００２５】
これらのネットワークエンティティは、たとえば１つまたは複数の無線エンティティおよび／またはコアネットワークエンティティのような、様々な形式をとり得る。したがって、様々な実施態様において、ネットワークエンティティは、ネットワーク管理（たとえば、オペレーション、アドミニストレーション、マネージメント、およびプロビジョニングエンティティによる）、呼制御、セッション管理、モビリティ管理、ゲートウェイ機能、インターワーキング機能、または何らかの他の適切なネットワーク機能のうちの、少なくとも１つのような機能を表し得る。いくつかの態様では、モビリティ管理は、トラッキングエリア、ロケーションエリア、ルーティングエリア、または何らかの他の適切な技術を使用することによってアクセス端末の現在地を追跡することと、アクセス端末に対するページングを制御することと、アクセス端末にアクセス制御を提供することとに関する。また、これらのネットワークエンティティのうちの２つ以上は同じ場所に配置されてよく、かつ／またはネットワーク全体に分散されてよい。
【００２６】
本明細書で教示されるような電力制御方式は、アクセスポイント１０４〜１０８の送信電力を制御するために使われる。ある典型的な実装形態では、アクセスポイント１０４〜１０８はフェムトセルである。
【００２７】
図１のエンティティの少なくとも１つは、ネットワークリッスンに基づく電力較正協調１１４と、トレーニング歩行に基づく電力較正１１６と、電力最適化１１８とのための機能を含む。図１の複雑さを緩和するために、この機能は、アクセスポイント１０４（たとえば、フェムトセルのクラスタの指定されたクラスタヘッド）のみに対して図示される。実際には、この機能の少なくとも一部（たとえば、ネットワークリッスン測定の実行およびアクセス端末１０２からの測定レポートの受信）が、アクセスポイント１０４〜１０８の各々において実行される。機能の残り（たとえば、アクセスポイント１０４〜１０８によって収集される情報に基づく送信電力値の計算）は、アクセスポイント１０４〜１０８によって分散方式で実装されてよく、または、アクセスポイント１０４〜１０８（たとえば、フェムトセルクラスタの指定されたヘッド）もしくはネットワークエンティティの指定された１つのような単一のエンティティによって実装されてよい。たとえば、いくつかの実装形態では、この機能は、ネットワークエンティティ１１２（たとえば、ネットワークオペレータによって展開されるＢＳＣネットワークエンティティ）において部分的に実装され、アクセスポイント１０４〜１０８において部分的に実装される。しかし、他の実装形態では、この機能は、アクセスポイント１０４〜１０８の各々の中で完全に分散されて実装される。
【００２８】
例示のために、この機能は、トレーニング歩行を利用するフェムトセルカバレッジ計画手順に関して説明される。この手順は、たとえば、展開されるべきフェムトセルの数および配置を決定することと、トレーニング歩行において使われるべきフェムトセル送信電力の初期値を決定することと、トレーニング歩行に基づいてフェムトセル送信電力を較正することと、送信電力の最適化を実行することとを伴う。送信電力のこの決定は、本明細書ではスーパーバイズド・モバイル・アシステッド・レンジ・チューニング（ＳＭＡＲＴ：Supervised Mobile Assisted Range Tuning）と呼ばれ得る。
【００２９】
フェムトセルが展開されると、ネットワークリッスンに基づく電力較正協調１１４は、マクロセル信号に基づいて、フェムトセルによって使われるべき初期送信電力を決定する。たとえば、フェムトセルの各々は、ネットワークリッスン電力較正（ＮＬＰＣ）を使って、ＮＬＭを介してそのフェムトセルにおいて受信されるアクセスポイントＦＬ信号（たとえば、マクロセル信号および／またはフェムトセル信号）に基づいて、初期送信電力値を決定する。次いで、各フェムトセルは、自身が計算した送信電力値を電力較正協調１１４へ送信する。電力較正協調１１４は次いで、トレーニング歩行に基づく較正手順の間にフェムトセルの各々によって使われるべき送信電力を決定し、対応する送信電力情報をフェムトセルの各々に送信する。次いでトレーニング歩行が開始され、それによって、アクセス端末１０２はトレーニング歩行パス１２０に沿って移動し、アクセス端末１０２は測定レポートをフェムトセルに送信する。次いで、これらの測定レポートからの情報が、トレーニング歩行に基づく電力較正１１６へ送信され、これによって、トレーニング歩行に基づく電力較正１１６が、これらの測定レポートに基づいて、フェムトセルによって使われるべき送信電力を決定する。次いで、（たとえば、最初のまたは後続のトレーニング歩行の間に）トレーニング歩行に基づく電力較正１１６によって決定された情報に基づいてフェムトセルを再構成すべきかどうかを判定するために、電力最適化１１８が使われる。
【００３０】
ここで、展開の構築のためのＳＭＡＲＴに基づくフェムトセルカバレッジ計画を提供するために利用され得る例示的な動作が、図２のフローチャートとともにより詳細に説明される。便宜的に、図２の動作（または、本明細書で議論または教示される任意の他の動作）は、特定のコンポーネント（図１または図８のコンポーネント）によって実行されるものとして説明され得る。ただし、これらの動作は、他の種類のコンポーネントによって実行でき、異なる数のコンポーネントを使用して実行できることが理解されよう。また、本明細書で説明する動作のうちの１つまたは複数は、所与の実装形態では利用されない場合があることを理解されたい。
【００３１】
ブロック２０２によって表されるように、展開されるべきフェムトセルの数が決定され、そうしたフェムトセルの配置が決定される。たとえば、技術者が、カバーされるべきエリアおよびエリアの形状（たとえば、住宅または企業の建物）に基づくフェムトセルの数および配置、構造物の材料、およびＲＦ散乱環境を選択することができる。一般に、ユーザが建物に入ると、ユーザがフェムトセルによってサービスされるのが望ましい。このようにして、より安定したレベルのサービスを提供することができ（たとえば、建物の奥におけるマクロセルの呼の切断を回避することによって）、一部の場合には、追加のサービス（たとえば、より高い帯域幅のサービス）が提供され得る。したがって、通常の設計目標は、フェムトセル群の全体としてのカバレッジが、建物の内部全体をカバーすることである。
【００３２】
１つまたは複数の指針が、手順のこの段階において利用され得る。１つの指針は、（たとえば、企業の至る所に）フェムトセルが可能な限り均一に配置されるべきであるということである。このことは、各フェムトセルのカバレッジが同様かつ対称的になり得るのを確実にすることの助けとなる。このことはまた、順方向リンク／逆方向リンク（ＦＬ／ＲＬ）の不均衡および不均等な負荷の問題を回避することの助けともなる。別の指針は、各フェムトセルから建物の外側を直接（たとえば、窓を通じて直接）見られないことを確実にするということである。このことは、建物の外側へのフェムトセルの電力の漏洩を制限することの助けとなる。別の指針は、各フェムトセルが建物の任意の端および／または角から遠すぎないことを確実にするということである。このことは、これらの位置をカバーするためにフェムトセルの電力設定を非常に高くする必要をなくすことの、助けとなる。
【００３３】
展開されるフェムトセルの数は、部分的に、各フェムトセルによって提供される順方向リンクカバレッジに依存する。たとえば、いくつかの実装形態では、各フェムトセルは、１５ｄＢｍという実用上の最大送信電力の制限を有し得る。いくつかの態様では、カバレッジは、フェムトセルＦＬまたはフェムトセルビーコンによって指示される。たとえば、ある専用型の展開（フェムトセルがマクロセルとは異なる周波数にある）では、マクロセルサイトにおいて、この場合のフェムトセルＦＬカバレッジは９０〜９５ｄＢであり、一方フェムトセルビーコンカバレッジは７０〜７５ｄＢであり得る。この場合の専用型の展開でのマクロセル端部において、フェムトセルＦＬカバレッジは１１０〜１１５ｄＢであり、一方フェムトセルビーコンカバレッジは９５〜１００ｄＢであり得る。共通チャネルの展開（フェムトセルがマクロセルと同じ周波数にある）では、この場合マクロセルサイトにおいて、フェムトセルＦＬカバレッジは８０ｄＢであり得る。この場合の共通チャネルの展開でのマクロセル端部において、フェムトセルＦＬカバレッジは１０５ｄＢであり得る。企業での大規模な展開（たとえば、壁で区切られたオフィスを有するオフィスビル）では、フェムトセルカバレッジの指針は、たとえば、７０００平方フィートのオーダーであり得る。
【００３４】
図３は、４個のフェムトセル３０２、３０４、３０６、および３０８が、建物Ｂに展開される展開の例を、簡略化された方式で示す。ここで、フェムトセル３０２、３０４、３０６、および３０８は、同等のカバレッジエリアを有し、角での適切なカバレッジを提供するように、ある程度均等に間隔を空けられて、外部が直接見えない（たとえば、フェムトセル３０２、３０４、３０６、および３０８は屋内の部屋に配置されている）ことが理解され得る。
【００３５】
図２のブロック２０４によって表されるように、フェムトセルが展開されると、ＳＭＡＲＴ手順２０４が呼び出される。この手順は、適用可能であれば、送信電力初期化動作と、技術者により支援される電力調整動作と、最適化トリガ動作とを伴う。
【００３６】
ブロック２０６によって表されるように、送信電力初期化動作が実行される。ある典型的な実施形態では、フェムトセルのすべてが、ＮＬＰＣを用いて自身の最初の起動値を較正する。たとえば、各フェムトセルは、マクロセルおよび／または他のフェムトセルからの信号をモニタして、受信された信号に基づいて自身の電力値（たとえば最大電力値）を計算することができる。次いで、各フェムトセルの送信電力（たとえば最大送信電力）が、異なるフェムトセルに対して計算された値のすべてに基づいて決定され得る。
【００３７】
一般に、この時点では、フェムトセルのすべてに対して、同一または同様の送信電力を使用するのが望ましい。いくつかの態様では、ここでの目標は、すべてのフェムトセルを同様の電力レベルへと初期化することであり、その電力レベルは、意図されるカバレッジ領域全体から測定レポートを収集するのに十分高い。これが行われると、トレーニング歩行による電力調整手順の間、フェムトセルのすべてが同様のカバレッジエリアを有することになる。その結果、したがって各フェムトセルは、ほぼ同じエリアをカバーするように、自身の最終的な電力レベルを設定しようとする。このようにして、フェムトセルのすべてに対する実質的に等しいカバレッジエリアが実現され得る。
【００３８】
上で言及されたように、トレーニング歩行の間にフェムトセルの各々によって使われるべき送信電力は、集中的に（たとえば単一のエンティティによって）求められてもよく、または分散的に求められてもよい。前者の場合には、各フェムトセルは、ＮＬＰＣ手順を使って送信電力値を決定し、その値をエンティティにレポートする。これらの受信された値に基づいて、エンティティは、フェムトセルによって使われるべき送信電力値を計算する。後者の場合には、各フェムトセルは、ＮＬＰＣによって計算された電力値を、他のフェムトセルの各々にレポートする。したがって、所与のフェムトセルによって受信された値に基づいて、そのフェムトセルは、トレーニング歩行の間にフェムトセルが使う送信電力値を計算する。
【００３９】
いくつかの実施形態では、レポートされた値のすべてのうちの最大値が計算され、フェムトセルのすべてがその同じ最大値へ初期化される。たとえば、集中型の実施形態では、単一のエンティティがこの最大値を計算し、その最大値をフェムトセルへ送信する。分散型の実施形態では、各フェムトセルがこの最大値を自身で計算する。このようにして、フェムトセルのすべて（大きなマクロセル干渉にさらされているものでも）が適切なカバレッジを提供できることが、確実になり得る。
【００４０】
いくつかの実施形態では、所与のフェムトセルに対して最初に計算された送信電力値（たとえば、ＮＬＰＣに基づく値）をこの段階でどの程度変更できるかについて、制限が設けられる。このようにして、マクロネットワークへの干渉が、ある程度制限され得る。しかし、この場合、異なるフェムトセルのカバレッジエリアは、いくらか変動し得る。
【００４１】
一般に、利用可能な最大の電力（たとえば、ハードウェア制約に基づく）は、較正段階の最大送信電力として選択されない。このようにして、マクロチャネルに対する影響を、ある程度軽減することができる。
【００４２】
図２のブロック２０８によって表されるように、フェムトセルのすべてが、自身の送信電力を初期化すると、技術者によって支援される電力調整が行われる。ここで、フェムトセルのすべてが、マクロ環境と、周囲の他のフェムトセルの存在とに基づいて、自身の電力を調整する。これを行うために、アクティブな呼（たとえば、音声またはデータ接続）がフェムトセルチャネル上で開始され、トレーニング歩行が実行される。好ましくは、この歩行のパスは、すべてのフェムトセルの所望のカバレッジエリアを網羅する。このトレーニング歩行は、たとえば、携帯電話のユーザまたは技術者（たとえば、ＩＴ技術者、ネットワークオペレータの技術者など）によって実行され得る。
【００４３】
送信電力レベルを較正するためにフェムトセルユーザの測定レポートを収集するのは可能であるが、そのような手法にはいくつかの欠点がある。たとえば、フェムトセルユーザが音声の呼を開始し、所望のカバレッジエリアから歩いて出る可能性がある。したがって、カバレッジを適合しようとしているフェムトセルは、自身のカバレッジ領域を拡大させる可能性が高い。その結果、フェムトセルは最終的に、最大の許容される送信電力（たとえば２０ｄＢｍ）で送信することになり、マクロセルネットワークへの干渉を引き起こす。別の例として、フェムトセルユーザの密度または交通量は非対称であり得るので、カバレッジエリアにカバレッジホールを生じる。したがって、本明細書の教示によれば、フェムトセルの送信電力を較正するための、良好に定められたトレーニングパス（たとえば技術者の支援を介した）を利用するのが、一般に好ましい。
【００４４】
図３は、点線３１０によって表されるトレーニング歩行パスの例を、簡略化して示す。一般に、このパスは、４個のフェムトセル３０２、３０４、３０６、および３０８のカバレッジエリアの重要な部分を横切る。
【００４５】
トレーニング歩行の間、フェムトセルは、フェムトセルおよびマクロセルの信号品質を測定してレポートするように、アクティブなモバイル機器に要求する。これによって、異なる点におけるパスロスと、観測される干渉とを示すものが、サービングフェムトセルに与えられる。この情報を使って、すべてのフェムトセルが、最適な送信電力レベルを実現しようと、自身の送信電力を調整する。この送信電力を計算するためのアルゴリズムのいくつかの例が、以下で説明される。この段階においては、ビーコンは、技術に応じて、送信されてもされなくてもよい（たとえば、ＣＤＭＡ  １ｘＲＴＴでは、ビーコンは必要ではないことがあるが、ＣＤＭＡ  １ｘＥＶ−ＤＯでは、ビーコンは通常送信される）。この手順は、さらなる電力の調整のために繰り返され得る。
【００４６】
ブロック２１０によって表されるように、送信電力較正動作の後で、フェムトセルの位置と送信電力値とをさらに最適化しようとして、最適化トリガが利用され得る。この最適化は、たとえば、絶対的な送信電力レベル、フェムトセル間での送信電力の差、および、各フェムトセルによってサービスされているカバレッジエリアのうちの、１つまたは複数に基づいてよい。
【００４７】
ブロック２１２および２１４によって表されるように、最適化の基準が満たされる（たとえば、最適化トリガが起きない）場合、展開は完了し、フェムトセルは、送信電力較正動作の間に計算された送信電力値を使用する。逆に、ブロック２１２において最適化の基準が満たされる（たとえば、少なくとも１つの最適化トリガが起きる）場合、フェムトセルの数および／または位置を変更する必要があるということを技術者に知らせるための、指示が提起され得る。この場合、フェムトセルがブロック２１６によって表されるように再構成されると、ＳＭＡＲＴ手順２０４が、新たな構成に対して再び実行される。上記の処理は、満足のいく展開が実現されるまで、必要に応じて繰り返される。
【００４８】
本明細書で教示されるようなカバレッジ計画方式の使用を通じて、複数のフェムトセルによる展開（たとえば、企業における展開）に関連するいくつかの問題が、軽減され得る。これらの問題には、たとえば、ＦＬ／ＲＬの大きな不均衡、マクロセルＲＬに対する負の影響、およびマクロセルＦＬに対する負の影響がある。
【００４９】
大きな建物の異なる位置におけるマクロセル信号強度は、マクロセルと所与の位置との間の距離および建物構造によって（たとえば、窓の隣の位置と、建物の中央部の位置とでは）、大きな量（たとえば２０〜３０ｄＢ）変動し得る。さらに、ネットワークリッスン手法のみに基づく電力較正は、マクロセルサイトの近くに位置する、複数の隣接するフェムトセルの間に、大きな送信電力の差を生じ得る。これは、転じて、ＦＬ／ＲＬの大きな不均衡につながり得る。ここで、ユーザは、ＤＬではより強いがより遠くのフェムトセルによってサービスされ得るので、ユーザは、ＵＬでは比較的高電力で送信し、より弱いがより近くのフェムトセルにおいて大きな干渉を引き起こし得る。
【００５０】
いくつかの態様では、そのような不均衡を軽減するために、本明細書で教示されるようなカバレッジ計画が利用され得る。たとえば、より多くのフェムトセルが展開されるべきであるという決定が行われてよく、これによって、そうしたフェムトセルの各々はより小さなカバレッジエリアを有するようになる。この構成は転じて、システム内での送信電力の差を限定することの助けとなる。
【００５１】
マクロセルＲＬに対するフェムトセルユーザの影響は、マクロセルおよびフェムトセルへのユーザのパスロスの差と、フェムトセルのノイズ値（たとえば、通常はマクロセルよりも高い）と、フェムトセルにおけるｒｉｓｅ−ｏｖｅｒ−ｔｈｅｒｍａｌ（ＲｏＴ）（たとえば、アクティブな近くのマクロセルユーザが原因で非常に高い可能性がある）とに、応じたものである。フェムトセルのカバレッジエリアが大きい場合、フェムトセルカバレッジの端部におけるフェムトセルユーザは、比較的高電力で送信する。このことと、フェムトセルの端部において発生し得るパスロスの差がより小さいこととによって、近くのマクロセルにおけるＲＬ干渉が生じ得る。
【００５２】
そのような干渉を軽減するためにも、やはり、本明細書で教示されるようなカバレッジ計画を利用することができる。カバレッジエリアが小さなフェムトセルをより多く展開することによって、フェムトセルユーザがフェムトセルの端部において非常に高い電力で送信する可能性を低くできる。
【００５３】
通常、ワイヤレスネットワークは、マクロセルからフェムトセルへのハンドインをサポートしない。その結果、（たとえば、建物の角においてカバレッジが提供されるのを確実にするために）フェムトセルのカバレッジエリアが広い場合、建物の外側への（たとえば窓を通じた）大きなフェムトセル電力漏洩が存在し得る。フェムトセルが非公開のアクセスを有する場合には、この漏洩は転じて、建物の近くのアクティブなマクロセルユーザと干渉し得る。さらに、公開のフェムトセルアクセスの場合でも、一部の実装形態では、マクロセルユーザが近くを通ることによる過剰な再選択およびフェムトセルへのハンドオーバーを避けるために、または、アクティブなハンドインがサポートされない場合に呼の切断を避けるために、建物内にフェムトセルカバレッジを封じ込めることがやはり望ましい。
【００５４】
そのような干渉を軽減するためにも、やはり、本明細書で教示されるようなカバレッジ計画を利用することができる。より小さなカバレッジエリアにより多くのフェムトセルを展開することで、そのような漏洩が発生する可能性を小さくすることができる。また、建物内のフェムトセルによるビーコンの送信に関連する干渉を軽減するために、階層化ビーコンまたは機会主義的フェムトセルビーコンを利用することができる。さらに、本明細書で教示されるようなカバレッジ計画は、比較的実行が簡単であり得るとともに、精巧な装置を利用する大掛かりな計画またはＲＦ測定戦略を伴わなくてもよい。むしろ、技術者（または他の適切な人物）からの少量の支援によって得られる情報に基づいて、フェムトセルの送信電力は、分散型の構成と集中型の構成のいずれかを使って、（たとえば自己較正を介して）ＲＦ環境へと自動的に適合され得る。
【００５５】
上記のことに留意して、複数のフェムトセルの送信電力を制御するために実行され得る例示的な動作が、図４〜図７のフローチャートを参照して説明される。
【００５６】
図４は、フェムトセルのネットワークの各フェムトセルの送信電力を初期化するための、例示的な動作を示す。具体的な実装形態に応じて、このことは、フェムトセルＤＬ送信電力と、オプションでフェムトセルビーコン送信電力とを設定することを伴う。ブロック４０２によって表されるように、フェムトセルが展開された後で、初期化が開始する。
【００５７】
ブロック４０４によって表されるように、各フェムトセルは、アクセスポイント信号（たとえば、マクロセルからの信号および／または他のフェムトセルからの信号）のモニタに基づいて、送信電力値を決定する。たとえば、各フェムトセルは、ＮＬＰＣ動作を実行し、受信されたマクロセル信号に基づいて、そのフェムトセルの最大送信電力を計算することができる。
【００５８】
この送信電力値は、様々な基準の１つまたは複数に基づいて計算され得る。いくつかの実装形態では、最大送信電力値が、所望のカバレッジエリア中のすべての領域からアクティブなレポートを取得するのに適切な電力を提供するように、選択される。いくつかの実装形態では、最大送信電力値が、トレーニング歩行の間のマクロセルユーザへの影響を限定するように選択される。いくつかの実装形態では、最大送信電力値は、複数のフェムトセルに等しい電力を提供して、ＦＬ／ＲＬの不均衡を最小にするように選択される。
【００５９】
この送信電力値は、様々な受信信号の情報に基づいて計算され得る。いくつかの実装形態では、チャネル上での受信された全体の電力（たとえばＩｏ）と、チャネル上での受信されたパイロットエネルギー（たとえばＥｃｐ）のうちの１つまたは複数が、送信電力を計算するために使われる。これらの量は、フェムトセルのＮＬＭによって測定されることに留意されたい。いくつかの実装形態では、送信電力は、フェムトセルカバレッジの端部における、規定された信号対雑音比（ＳＮＲ）（たとえば、定義されたパスロスによって規定されるような）を満たすように設定される。この場合、送信電力は、マクロセルに起因する測定されたＩｏ、定義されたパスロス、および目標のＳＮＲに基づいて計算され得る。
【００６０】
いくつかの実装形態では、フェムトセル送信電力は、たとえば、カバレッジ範囲の端部において、フェムトセルのパイロット品質（たとえば、ＵＭＴＳシステムにおけるＣＰＩＣＨ  Ｅc／Ｉｏのような共通のパイロットチャネルの品質）が定義された閾値よりも良好であると規定されるようなカバレッジ状態を満たすように選択される。（たとえばＵＭＴＳの）いくつかの場合には、閾値は、マクロセルＳＩＢ  １１メッセージでブロードキャストされたＱqualmin,femtoパラメータに相当する。さらに、マクロセルネットワークへの干渉を限定するために、フェムトセル送信は、フェムトセルカバレッジ範囲の端部において、最大でもある一定の量だけ、マクロセルＩｏを上昇させることが許される。フェムトセル送信電力は、これらの２つの基準のうちの最小値になるように選定される。これらの手順によって、フェムトセル送信電力を、マクロセルネットワーク中での位置に基づいて適合させることができる。たとえば、送信電力は一般に、測定されるマクロセルの受信信号強度（たとえばＲＳＳＩ）が弱い位置においては、測定されるマクロセルの受信信号強度が強い位置と比べて、低く設定される。
【００６１】
いくつかの実装形態では、フェムトセル送信電力は、あるカバレッジ状態および隣接チャネル保護状態を満たすように選定される。ここで、１つの隣接チャネル保護状態は、較正されているフェムトセルに関連する同一のワイヤレスネットワークオペレータに相当し、別の隣接チャネル保護状態は、較正されているフェムトセルに関連するオペレータとは異なるワイヤレスネットワークオペレータに相当する。
【００６２】
ブロック４０６および４０８によって表されるように、各フェムトセルは、自身の計算された送信電力値を、ブロック４０８〜４１２の送信電力制御動作を実行する少なくとも１つの協調エンティティに送信する。具体的な実装形態に応じて、これらの送信電力制御動作は、システム中の様々な種類のエンティティにおいて実行され得る。
【００６３】
いくつかの実装形態では、各フェムトセルは、他のフェムトセルのすべての送信電力値を受信し、（たとえば、すべてのこれらの値の最大値を選択することによって）受信された送信電力値に基づいて自身の送信電力を決定する。この場合、フェムトセルの各々は、ブロック４０６〜４１０の動作を実行する協調エンティティを備える。
【００６４】
いくつかの実装形態では、１つのエンティティは、フェムトセルのすべての送信電力値を受信し、受信された送信電力値に基づいて、（たとえば、すべてのこれらの値の最大値を選択することによって）使われるべき送信電力を決定し、決定された送信電力値をフェムトセルに送信する。この場合、この集中型のエンティティは、ブロック４０６〜４１０の動作を実行する協調エンティティを備える。このエンティティは、たとえば、フェムトセル、ネットワークエンティティ（たとえばＢＳＣ）、または何らかの他の種類のエンティティのうちの１つであってよい。
【００６５】
ブロック４１０によって表されるように、協調エンティティは、受信された送信電力値に基づいて、フェムトセルの少なくとも１つのための少なくとも１つの送信電力値を決定する。フェムトセルの各々が協調エンティティを備える場合、所与のフェムトセルが、自身の送信電力を決定する。集中型の協調エンティティがある場合には、そのエンティティが、フェムトセルの各々の送信電力を決定する。
【００６６】
上で言及されたように、一部の場合には、フェムトセルのすべてに対して同じ送信電力値が選択される。たとえば、受信された送信電力値のすべてから最大値が選択されてよく、この値がフェムトセルのすべてによって使われる。
【００６７】
やはり上で言及されたように、一部の場合には、所与のフェムトセルに対して選択された送信電力値は、何らかの方式で制限され得る。たとえば、最初は、受信された送信電力値のすべての最大値が選択され得る。しかし、そのフェムトセルによって計算された初期値（たとえば、ＮＬＰＣに基づく送信電力値）を電力が上回る量が、指定された上限値よりも大きくならないように、電力は制限される。このようにして、トレーニング歩行動作の間にマクロセルネットワーク上で引き起こされる干渉の量に対する、制限が設けられ得る。
【００６８】
ブロック４１２によって表されるように、協調エンティティは、ブロック４１０において決定された送信電力値を使うように、少なくとも１つのフェムトセルを構成する。フェムトセルの各々が協調エンティティを備える場合、所与のフェムトセルは、ブロック４１０において自身が決定した値に基づいて、自身の送信電力を設定する。集中型の協調エンティティがある場合には、そのエンティティが、決定された値をフェムトセルに送信する。ここで、ブロック４１０において単一の値が計算された場合、この値がすべてのフェムトセルに送信される。逆に、ブロック４１０において異なる値が異なるフェムトセルに対して計算された場合、適切な値が各フェムトセルに送信される。エンティティがフェムトセルの１つである場合、フェムトセルは、自身で決定した対応する値に基づいて自身の送信電力を設定し、適切な値を他のフェムトセルに送信することに留意されたい。
【００６９】
図５は、フェムトセルのネットワークのための、例示的なトレーニング歩行に基づく送信電力較正動作を示す。ブロック５０２によって要求されるように、フェムトセルが自身の送信電力を設定した後で、初期化が開始する。
【００７０】
ここで、ハンドオーバーパラメータが、通常動作において使われる値とは異なる値に設定され得る。たとえば、いくつかの実装形態では、ユーザにサービスしているフェムトセルは、自身のハンドオーバーヒステリシスパラメータ（たとえば「Ｈｙｓｔ」）を０ｄＢの値に設定し、この変化した値を示すものを、（たとえばハードハンドオーバーを可能にするメッセージを介して）技術者が使用するアクセス端末に送信する。いくつかの実装形態（たとえばＵＭＴＳフェムトセル）では、ユーザにサービスしているフェムトセルは、ハンドオーバーヒステリシスパラメータからセルラー局所オフセット（ＣＩＯ）を引いたものを０ｄＢの値に設定し、この値の変化を示すものを、（たとえばハンドオーバーを可能にするメッセージを介して）技術者が使用するアクセス端末に送信する。これらのいずれの場合でも、アクセス端末が、フェムトセルの別の１つからより強い信号を受信すると、アクセス端末は、その別のフェムトセルへハンドオーバーされる（たとえば、このハンドオーバー動作がハンドオーバーパラメータを使い、測定レポートに基づいて現在のサービングフェムトセルによって制御される場合、サービングフェムトセルはアクセス端末から受信する）。これは、他のフェムトセルの測定された信号強度が、現在のサービングフェムトセルの測定された信号強度を、何らかの量（たとえば、０ではないハンドオーバーヒステリシスパラメータによって定義されるような）だけ超えるまでハンドオーバーが起こらない、通常の動作モードとは対照的である。このようにしてヒステリシスパラメータを制御することによって、アクセス端末は、測定レポートを最も近いフェムトセルに送信する。したがって、各フェムトセルは、そのフェムトセルによって最終的にカバーされる可能性の高いカバレッジエリアに対する測定レポートのすべてを、より容易に収集することになる。
【００７１】
したがって、いくつかの態様では、フェムトセルにおけるハンドオーバー動作は、トレーニング歩行較正手順の間に、ハンドオーバー決定のための第１のハンドオーバーヒステリシス値を定義することと、トレーニング歩行較正手順が完了した後に（たとえば、通常の、初期化ではない動作において）、ハンドオーバー決定のための第２のハンドオーバーヒステリシス値を定義することとを伴ってよく、第２のハンドオーバーヒステリシス値は、第１のハンドオーバーヒステリシス値とは異なる（たとえば、より大きい）。ここで、トレーニング歩行較正手順の間に、アクセス端末が、各測定レポートを、各測定結果の中の最強の受信信号値に関連するフェムトセルへ送信するように、第１のハンドオーバーヒステリシス値が定義され得る。たとえば、いくつかの場合には、第１のハンドオーバーヒステリシス値（たとえば、「Ｈｙｓｔ」または「Ｈｙｓｔ−ＣＩＯ」）は約０である。
【００７２】
トレーニング歩行は、フェムトセルの１つとのアクティブな呼（たとえば音声またはデータ）を技術者が確立すると開始する。このことは、たとえば、技術者が、アクセス端末および／またはフェムトセル上で規定されたアプリケーションを呼び出す（たとえば、ユーザ入力デバイスを動作させることによって）ことを含み得る。したがって、トレーニング歩行動作を実行するための、特定のアクセス端末が識別される。技術者は、（たとえば、不必要に広いカバレッジエリアを生成するのを避けるために）カバレッジエリアから出ることなく、定義されたカバレッジエリアを好ましくは網羅的に包含するパスで、このアクセス端末を持ち運ぶ。
【００７３】
ブロック５０４によって表されるように、アクセス端末を現在サービスしているフェムトセルは、測定レポートに対する少なくとも１つの要求を、その特定のアクセス端末に送信する。この要求は、フェムトセルまたは何らかの他のエンティティにおいて発生し得る（たとえば、ソフトハンドオーバーがサポートされる場合には、ソフトハンドオーバーシグナリングを制御するエンティティがこの要求を生成し、サービングフェムトセルを介してアクセス端末へその要求を送信する）。いくつかの実装形態では、フェムトセルは、周期的な測定レポートメッセージを送信するようにアクセス端末に要求する、単一のメッセージを送信する。いくつかの実装形態では、フェムトセルは、周期的な測定レポートメッセージを送信するように各々がアクセス端末に要求する、複数のメッセージを送信する。また、要求は、測定が、同じ周波数および／または少なくとも１つの他の周波数（たとえば隣接チャネル）で実行されるべきであると、規定することができる。このようにして、フェムトセル送信電力は、その同じ周波数および／または少なくとも１つの他の周波数に対して較正され得る。さらに、複数のワイヤレス技術（たとえば、１ｘＲＴＴ、１ｘＥＶ−ＤＯ、ＵＭＴＳなど）をサポートするある実装形態では、１つのワイヤレス技術からの測定レポートからの情報を使って、異なるワイヤレス技術に対する送信電力を制御することができる。
【００７４】
ブロック５０６によって表されるように、フェムトセルの電力較正を制御するエンティティ（たとえば、フェムトセル、ネットワークエンティティなど）が、アクセス端末からの要求された測定レポートを受信する。アクセス端末は、トレーニングパスに沿って移動していたので、異なる測定レポートは、カバレッジエリア内でのアクセス端末の異なる位置と関連付けられることになる。
【００７５】
各測定レポートによって提供される情報の種類は、システムが利用するワイヤレス技術に依存する。たとえば、１ｘＲＴＴシステムでは、パイロット強度測定メッセージ（ＰＳＭＭ）および候補周波数探索レポートメッセージ（ＣＦＲ）が、フェムトセルおよびビーコンの周波数に対する、Ｅｃｐ／Ｉｏ情報とＩｏ情報とを提供することができる。この情報（およびフェムトセルの既知の送信電力）から、フェムトセルから所与の測定が行われた位置までのパスロスが、計算され得る。別の例として、１ｘＥＶ−ＤＯシステムでは、パス更新メッセージ（ＲＵＭ）は、フェムトセルおよびビーコンの周波数に対する、Ｅｃｐ／Ｉｏの情報を提供することができる。さらに別の例として、ＵＭＴＳシステムでは、測定レポートメッセージ（ＭＲＭ）は、フェムトセルおよびビーコンの周波数に対する、ＣＰＩＣＨ  ＲＳＣＰ情報とＩｏ情報とを提供することができる。
【００７６】
ブロック５０８によって表されるように、電力較正エンティティはオプションで、受信された測定レポートをフィルタリングする。たとえば、フェムトセルが、トレーニング歩行動作の間に他のアクセス端末から測定レポートを受信する場合、フェムトセルは、（たとえば、レポートの中に含まれる、レポートを提供したアクセス端末の識別子に基づいて）これらの他の測定レポートを取り除くようにフィルタリングすることができる。
【００７７】
別の例として、フェムトセルは、意図されるカバレッジ領域に由来しない、任意の測定レポートを取り除くことができる。このようにして、所与のフェムトセルは、不必要に大きなカバレッジエリアをカバーしようとするのを、防がれ得る。たとえば、アクセス端末のハンドオーバーは、異なるフェムトセルからのより大きな受信信号強度がアクセス端末において観測されたときに直ちに発生し得ないので、現在のサービングフェムトセルが、より大きな受信信号強度を有するものとして何らかの他のフェムトセルを列挙する、測定レポートを受信することができる。しかし、現在のサービングアクセスポイントが、これらの位置のカバーを試みることは必要ではない。それは、そうした位置は他のフェムトセルによってカバーされるからである。
【００７８】
したがって、この場合、フェムトセルは、受信された測定レポートをフィルタリングして、現在のサービングフェムトセルよりも強い受信信号品質と関連付けられるものとして別のフェムトセルを識別する、任意の測定レポートを取り除くことができる。たとえば、サービングフェムトセルは、そのサービングフェムトセルが最高の受信信号強度を提供するものとしてレポートされるような位置に対する測定レポートのみを、保持することができる。
【００７９】
ブロック５１０によって表されるように、電力較正エンティティは、受信された測定レポート（可能であれば、フィルタリングされた）に基づいて、フェムトセルの送信電力を制御する（たとえば、最大の送信電力値を設定する）。ここで、送信電力は、測定レポートが作られた位置の１つまたは複数において、少なくとも１つの規定された基準を満たすように制御される。そのような基準と、送信電力がそうした基準に基づいて制御される方式との、いくつかの例が以下に続く。例示のために、これらの例においては、フェムトセルが自身の送信電力を計算すると仮定される。
【００８０】
１ｘＲＴＴの例：  
１ｘＲＴＴの専用チャネルの実装形態では、マクロセル周波数でのビーコン電力は、適切なビーコンのカバレッジが所望のカバレッジエリア内の位置のセットの各位置（たとえば、このフェムトセルの受信した測定レポートが作られた地点の大半またはすべて）において確実に提供されるように、設定され得る。たとえば、各位置に対して、フェムトセルは、その位置までのパスロスと、その位置において観測される最強のマクロセルパイロットの強度（たとえばＥｃｐ）と、定義されたヒステリシス閾値とを考慮して、目標のカバレッジ（たとえば、ビーコンの、パイロット電力と全体の電力との比（たとえばＥｃｐ／Ｉｏ）のようなＳＮＲ）がその位置において確実に満たされるのに必要な、送信電力を計算する。言い換えると、各位置に対して、その位置におけるビーコンパイロット電力が、その位置におけるマクロセルパイロット電力にヒステリシス値を足したものよりも大きくなるのを確実にすることによって、ビーコンの発見（アイドルハンドイン）を実行するのに必要な電力が計算される。
【００８１】
いくつかの実装形態では、ここで異常値が考慮から外される。たとえば、カバレッジは位置の８０％のみに対して提供されると、事前に決定されてよい。次いで、フェムトセルビーコンの送信電力が、関心のある位置のすべてにおいてビーコンのカバレッジを確実にする送信電力として（たとえば、レポート地点の８０％においてビーコンの発見を確実にするように）、選択される。このようにして、受信された測定レポートが作成されたすべての位置に対してビーコンのカバレッジを提供することが許されていればフェムトセルが選択し得る、高すぎる送信電力レベルをフェムトセルは選択しなくなる。
【００８２】
上で言及されたように、いくつかの実装形態では、階層化ビーコン手法が利用される。たとえば、一部の時間（たとえば時間の５％）は高電力ビーコンが送信されてよく、残りの時間は低電力ビーコンが送信されてよい。そのような場合、送信電力値は、高電力ビーコンおよび低電力ビーコンに対して決定される。たとえば、高電力ビーコンの送信電力は、位置の８０％においてビーコンの発見を確実にする送信電力として選択されてよく、一方、低電力ビーコンの送信電力は、位置の５０％においてビーコンの発見を確実にする送信電力として選択されてよい。
【００８３】
１ｘＲＴＴの専用チャネルの実装形態では、フェムトセル周波数上でのフェムトセルＦＬ電力は、ＳＮＲの制約およびマクロセル保護の制約に基づいて設定され得る。つまり、（たとえば、関心のあるすべての点において良好なカバレッジを確実にするために）ＳＮＲの制約を満たす第１の送信電力が計算され、（たとえば、関心のあるすべての点において、隣接チャネルのマクロセルユーザに対する影響を限定するために）マクロセル保護の制約を満たす第２の送信電力が計算される。そして、これらの制約の最小値または重み付けられた組合せ（たとえば加重平均）が、フェムトセルＦＬ送信電力に対して選択される。
【００８４】
ＳＮＲの制約の計算のために、測定レポートに対応する各位置に対して、フェムトセルは、目標のカバレッジ（たとえば、パイロットエネルギーをノイズと干渉の和で割ったようなＳＮＲ（たとえば、Ｅｃｐ／Ｎｔ））が、その位置までのパスロスと、その位置において観測される全体のマクロセル干渉（たとえばＩｏ）とを考慮して、その位置において満たされるのを確実にするのに必要な、送信電力を決定する。言い換えると、各位置に対して、規定のＥｃｐ／Ｎｔ（たとえば−７ｄＢ）を提供するのに必要な電力が決定される。ここで、パスロス情報および全体のマクロセル干渉情報が、測定レポートから取得される。ここでもやはり、通常は異常値が考慮から外される。したがって、フェムトセルＦＬの第１の送信電力値が、関心のある位置のすべてにおいてＦＬカバレッジを確実にする送信電力（たとえば、位置の９５％をカバーするのに必要な電力）として、選択される。
【００８５】
マクロセル保護の制約の計算のために、フェムトセルは、隣接マクロセル周波数に対する過剰な干渉を防ぐ、最大の許容送信電力を決定する。たとえば、測定レポートに対応する各位置に対して、フェムトセルは、その位置までのパスロスと、隣接チャネル干渉比（ＡＣＩＲ）とを考慮して、その位置におけるフェムトセルＦＬ信号の干渉が、その位置におけるマクロセル信号強度（たとえばＩｏ）よりも、少なくとも安全マージンの分だけ小さくなるのを確実にする、最大送信電力を計算する。言い換えると、各位置に対して、隣接チャネルのマクロセル信号に対する影響を、最大でもある定義された値（たとえば１．７８ｄＢ）に限定するための、最大許容送信電力が決定される。ここでもやはり、通常は異常値が考慮から外される。したがって、フェムトセルＦＬの第２の送信電力値が、関心のある位置のすべてにおいて適切な保護を確実にする送信電力（たとえば、位置の５０％（たとえば半径１０メートルよりも遠く）を保護するのに必要な電力）として、選択される。
【００８６】
上で言及されたように、次いで、フェムトセルＦＬの最終的な送信電力が、第１の送信電力値と第２の送信電力値の最小値として、またはこれら２つの重み付けられた組合せとして、選択される。
【００８７】
１ｘＲＴＴの共通チャネルの実装形態では、マクロセル周波数上でのビーコン電力は、専用チャネルの実装形態で使われたものと同じ式に基づいて、設定され得る。しかし、この場合、ビーコン電力の上限は、共通チャネルの実装形態に対して計算された、フェムトセルＦＬ送信電力に基づいて設定され得る。たとえば、フェムトセルビーコンによってフェムトセル周波数に向けられるユーザが、フェムトセルへの再選択を引き起こすのに十分強いフェムトセルＦＬ信号を観測するように、フェムトセルビーコン電力は、フェムトセルＦＬ電力よりも低く保たれ得る。
【００８８】
１ｘＲＴＴの共通チャネルの実装形態では、フェムトセル信号は、ユーザに対してカバレッジを提供し、マクロセルユーザに、フェムトセルへと再選択させる。いくつかの態様では、フェムトセルＦＬ送信電力は、適切なカバレッジを提供しつつ、漏洩を防止するように慎重に、設定される。フェムトセル周波数上のフェムトセルＦＬ電力は、ＳＮＲの制約およびアイドルハンドオーバー（たとえばハンドアウト）の制約に基づき得る。つまり、ＳＮＲの制約を満たす第１の送信電力が計算され、アイドルハンドオーバーの制約を満たす第２の送信電力が計算される。そして、これらの制約の最大値（または重み付けられた組合せ）が、フェムトセルＦＬ送信電力に対して選択される。
【００８９】
ＳＮＲの制約の計算のために、各々の測定レポートの位置に対して、フェムトセルは、目標のカバレッジ（たとえば、Ｅｃｐ／ＮｔのようなＳＮＲ）が、その位置までのパスロスと、その位置において観測される全体のマクロセル干渉（たとえばＩｏ）とを考慮して、その位置において満たされるのを確実にするのに必要な、送信電力を決定する。したがって、位置の各々に対応する送信電力値の第１のセットが、処理のこの段階において提供される。
【００９０】
ハンドオーバーの制約の計算のために、各々の測定レポートの位置に対して、フェムトセルは、フェムトセルによってサービスされている、その位置にあるアクセス端末が、マクロネットワークへハンドオフされないのを確実にするのに必要な、送信電力を決定する。したがって、各位置に対して、フェムトセルは、その位置までのパスロスを考慮して、その位置におけるフェムトセルパイロット強度が、その位置における最良のマクロセル信号強度（たとえばＥｃｐ）よりも、少なくとも定義された閾値（たとえばヒステリシス値）だけ超えるのを確実にするために必要な、送信電力を決定する。処理のこの段階において、位置の各々に対応する送信電力値の第２のセットが提供される。
【００９１】
次に、各位置の最大送信電力が選択される。つまり、各位置に対して、最高の送信電力が、第１のセットおよび第２のセットの中の対応する値に基づいて選択される。次いで、異常値が考慮から除去される。したがって、フェムトセルＦＬの最終的な送信電力値が、関心のある位置のすべてにおいてＦＬカバレッジを確実にする送信電力（たとえば、位置の９５％をカバーするのに必要な電力）として、選択される。
【００９２】
１ｘＥＶ−ＤＯの例：  
上で説明された動作と同様の動作が、１ｘＥＶ−ＤＯの実装形態に利用され得る。
【００９３】
共通チャネルの１ｘＥＶ−ＤＯの実装形態では、フェムトセル周波数上でのフェムトセルＦＬ電力は、ＳＮＲの制約およびハンドオーバー（たとえばハンドオフ）の制約に基づいて設定され得る。この場合、Ｉｏの情報は一般に、１ｘＥＶ−ＤＯの状況では利用可能ではないので、ＳＮＲの制約およびマクロセル保護の制約のアルゴリズムは、すべてのマクロセルからのＥｃｐ／Ｉｏに基づき、かつ、各位置において観測されるようなビーコン信号のＥｃｐ／Ｉｏに基づく。上記のように、通常は異常値が考慮から外され（たとえば、９５パーセンタイル）、ＳＮＲの制約を満たすように計算された第１の送信電力と、ハンドオーバーの制約を満たすように計算された第２の送信電力との最大値が、最終的なフェムトセルＦＬ送信電力として選択される。また、計算された送信電力値は、（たとえば、図４で説明されるような、たとえば、初期化後に設定された送信電力値に対する）増分の値を備え得る。
【００９４】
共通チャネルの１ｘＥＶ−ＤＯの実装形態では、隣接マクロセル周波数上でのフェムトセルビーコン電力は、上で論じられた、１ｘＥＶ−ＤＯのフェムトセルＦＬ送信電力に対して設定され得る。この計算はまた、フェムトセル周波数上での最良のマクロセルのＥｃｐ／Ｉｏに基づき、その位置において観測されるような、隣接マクロセル周波数上での最良のマクロセルのＥｃｐ／Ｉｏに基づき、さらには定められた減衰マージンに基づく。
【００９５】
専用チャネルの１ｘＥＶ−ＤＯの実装形態では、フェムトセル周波数上でのフェムトセルＦＬ電力は、ＳＮＲの制約およびマクロセル保護の制約に基づいて設定され得る。この場合、隣接チャネルへの干渉がある閾値レベルを上回る（たとえば、その位置がマクロセルサイトに近い）かどうかに応じて、異なるアルゴリズムが利用され得る。また、Ｉｏの情報は、１ｘＥＶ−ＤＯの状況では利用可能ではないことがあるので、ＳＮＲの制約およびマクロセル保護の制約のアルゴリズムは、すべてのマクロセルからのＥｃｐ／Ｉｏに基づき、かつ、各位置において観測されるようなビーコン信号のＥｃｐ／Ｉｏに基づく。上記のように、通常は異常値が考慮から外され（たとえば、９５パーセンタイル）、ＳＮＲの制約を満たすように計算された第１の送信電力と、マクロセル保護の制約を満たすように計算された第２の送信電力との最小値が、最終的なフェムトセルＦＬ送信電力として選択される。
【００９６】
専用チャネルの１ｘＥＶ−ＤＯの実装形態では、隣接マクロセル周波数上でのフェムトセルビーコン電力は、ハンドオーバー（たとえば、アイドルモバイルハンドイン）を支援するように設定され得る。たとえば、各々の測定レポートの位置に対して、フェムトセルは、ビーコン強度が最強のマクロセルの強度よりもヒステリシスマージンの分だけ高くなるのを確実にするように、ビーコン送信電力を設定することができる。この計算は、すべてのマクロセルからのＥｃｐ／Ｉｏに基づき、その位置において観測されるようなビーコン信号のＥｃｏ／Ｉｏに基づき、さらには定められたヒステリシス値に基づく。やはり、この時点で、通常は異常値が考慮から外される（たとえば８０パーセンタイル）。
【００９７】
ＵＭＴＳの例：
ＵＭＴＳにおいては、測定レポートメッセージ（ＭＲＭ）は、ＭＲＭを要求した測定結果制御メッセージ（ＭＣＭ）において規定されたプライマリスクランブリングコード（ＰＳＣ）の、ＣＰＩＣＨ  ＲＳＣＰとＣＰＩＣＨ  Ｅｃ／Ｉｏとを含む。ＭＲＭを使って、フェムトセルは、技術者の歩行によってカバーされる位置へのパスロス（ＰＬ）とともに、そうした位置におけるマクロセルのＩｏを抽出する。したがって、フェムトセル（または他の電力制御エンティティ）は、必要なカバレッジ範囲および隣接チャネルのＲＦ状態の推測を取得し、それに従ってフェムトセル送信電力を精密に調整することができる。
【００９８】
図８は、ブロック８０２において開始する、各フェムトセルに対して実行され得る例示的な電力較正動作を示す。一般に、これらの動作は、様々な種類の送信電力較正手順に対して利用され得る。たとえば、そのような方式は、トレーニング歩行に基づく較正手順、ネットワークリッスンに基づく電力較正（上で図４において説明されたような）、または他の種類の較正動作に対して利用され得る。
【００９９】
ブロック８０４によって表されるように、第１のワイヤレスネットワークオペレータと関連付けられるフェムトセルによる第１の周波数上でのワイヤレス通信のカバレッジ基準を満たす第１の送信電力レベルについての決定が行われる。異なるＭＲＭと関連付けられる各位置に対して、フェムトセルは、目標のカバレッジ（たとえば、ＣＰＩＣＨ  Ｅｃｐ／ＩｏのようなＳＮＲ）が、その位置までのパスロスと、その位置において観測されるマクロセルＲＳＳＩ（たとえばＩｏ）とを考慮して、その位置において満たされるのを確実にするのに必要な、送信電力を計算する。いくつかの実装形態では、ここで異常値が考慮から外される。たとえば、カバレッジはある割合の位置のみに対して提供されると、事前に決定されてよい。したがって、第１の送信電力レベルは、関心のある位置のすべてにおけるカバレッジを確実にする送信電力として、選択される。
【０１００】
ブロック８０６によって表されるように、第２のワイヤレスネットワークオペレータ（他のオペレータ）との隣接チャネルワイヤレス通信に対応する、第１の干渉の基準を満たす第２の送信電力レベルに関する、決定が行われる。いくつかの実装形態では、この基準は、隣接チャネル上での信号電力の値（たとえば、ＣＰＩＣＨ  Ｅｃ）と、受信された全体の電力の値（たとえば、フェムトセルを除くＩｏ）との比較に基づく。この比較に基づいて、最大送信電力値は、定義された式に従って計算され得る。
【０１０１】
ブロック８０８によって表されるように、第１のワイヤレスネットワークオペレータ（同じオペレータ）との隣接チャネルワイヤレス通信に対応する、第２の干渉の基準を満たす第３の送信電力レベルに関する、決定が行われる。いくつかの実装形態では、この基準は、隣接チャネル上での信号電力の値（たとえば、ＣＰＩＣＨ  ＲＳＣＰ）と、閾値との比較に基づく。この比較に基づいて、最大送信電力値は、定義された式に従って計算され得る。
【０１０２】
ブロック８１０によって表されるように、第１の送信電力レベル、第２の送信電力レベル、および第３の送信電力レベルのうちの最小値が選択される。ブロック８１２によって表されるように、フェムトセルの送信電力は、選択された最小の送信電力レベルに基づいて制御される。このようにして、選択された送信電力レベルは、可能な限り良好なカバレッジを提供しつつ、隣接チャネルへの干渉の所望の目標を依然として満たす。
【０１０３】
上の動作は、フェムトセルのネットワーク中の各フェムトセルにおいて実行される。アクセス端末が、あるフェムトセルのカバレッジから、別のカバレッジへ移動すると、他のフェムトセルが、アクセス端末との通信を開始する。したがって、新たなフェムトセルは、測定レポートに対する要求のアクセス端末への送信を開始し（ブロック５０４）、受信された測定レポートを処理して、自身の送信電力を制御する（ブロック５０６〜５１０）。ブロック５０４〜５１０の動作は、技術者が指定されたトレーニングパスに沿って歩くときに、フェムトセルのネットワーク中の各フェムトセルにおいて繰り返される。このようにして、適切なカバレッジと適切なマクロセル保護との間での効果的な妥協をその特定のフェムトセルに対して実現する送信電力レベルを、フェムトセルのすべてが計算する。
【０１０４】
技術者がトレーニング歩行を完了すると、アクティブな呼は終了する。このことは、たとえば、技術者が、アクセス端末および／またはフェムトセル上で規定されたアプリケーションを終了する（たとえば、ユーザ入力デバイスを動作させることによって）ことを含み得る。
【０１０５】
図６は、最適化手順とともに利用され得る、例示的な動作を示す。この手順は、フェムトセルのうちの指定された１つ、ネットワークエンティティ（たとえばＢＳＣ）、または、トレーニング歩行に基づく較正手順の間に生成された送信電力情報を取得できる何らかの他の適切なエンティティによって、実行され得る。
【０１０６】
ブロック６０２によって表されるように、トレーニング歩行に基づく較正手順が完了すると、最適化手順が開始する。処理のこの段階において、送信電力値は、フェムトセルのネットワークの各フェムトセルに対して計算されている。
【０１０７】
ブロック６０４によって表されるように、トレーニング歩行による較正手順の結果として得られた情報が、受信される。たとえば、トレーニング歩行に基づく較正手順が完了すると、（たとえば、単一のエンティティが両方の動作を実行していない実装形態では）この情報は自動的に、最適化手順を実行するエンティティへと送信され得る。いくつかの実装形態では、この情報は、トレーニング歩行に基づく較正手順の間にフェムトセルに対して計算される、送信電力値を備える。いくつかの実装形態では、この情報は、パスロスの値、信号強度の値（たとえばパイロット強度）、または信号品質を示すもののうちの１つまたは複数を備え、これらは、トレーニング歩行による較正手順の間に受信された測定レポートから取得される。
【０１０８】
ブロック６０６によって表されるように、受信された情報に基づいて、再構成トリガ条件が識別される。たとえば、最適化トリガは、電力の差、サービングパスロス、電力の上限、カバレッジホール、または何らかの他の基準に基づいて設定され得る。
【０１０９】
いくつかの実装形態では、２つのフェムトセル（たとえば隣接するフェムトセル）の送信電力値の差が、閾値（たとえば１０ｄＢ）以上であるかどうかに関する判定が、この段階で行われる。この電力差を超える場合には、フェムトセルの再構成（たとえば、さらなるフェムトセルの追加）がトリガされて、この電力の差の結果として発生し得る、ＦＬ／ＲＬの不整合を取り除くことができる。
【０１１０】
いくつかの実装形態では、閾値のパスロス以上のパスロス値の数が、閾値の数以上であるかどうかに関する判定が、この段階で行われる。具体的な例として、システムは、パスロス値は測定レポートの少なくとも９５％に対して８５ｄＢ未満でなければならないという、要件を有し得る。このようにして、システムは、フェムトセルのカバレッジエリアのサイズを制限することができる。したがって、多くのパスロス値が大きすぎると判定されると、再構成がトリガされ得る。
【０１１１】
フェムトセルのいずれかが、閾値の（たとえば最大の）電力レベルに達したかどうかに関する判定も、この段階で行われ得る。具体的な例として、システムは、フェムトセルのいずれも、その最大許容電力において動作することを許されるべきではないという、要件を有し得る。たとえば、この基準は、フェムトセルのカバレッジエリアのサイズを制限するために利用され得る。したがって、送信電力値の１つまたは複数が、閾値の電力レベルに達したと判定されると、再構成がトリガされ得る。
【０１１２】
技術者はまた、較正後の歩行を実行して、満足のいくフェムトセルＦＬおよびフェムトセルビーコンの性能を確実にすることができる。たとえば、カバレッジホールが、フェムトセルのネットワークのカバレッジエリアにおいて存在するかどうかに関する判定が、この段階で行われ得る。一部の場合には、カバレッジホールは、呼の切断がある領域において発生するかどうかを判定することによって、特定され得る。切断が発生する場合、技術者はフェムトセルを移動し、またはさらなるフェムトセルを挿入して、これらのカバレッジホールを取り除くことができる。
【０１１３】
いくつかの実装形態では、技術者は、アクセス端末上で音声フィードをリッスンすることによって、トレーニング歩行中にカバレッジホールを特定する。たとえば、技術者は、音声フィード（たとえば連続的な音声トラック）を提供する別のアクセス端末またはサーバとの呼を、発信することができる。次いで技術者は、呼の切断またはノイズ（たとえば、クリックおよびポップ）について音声フィードをモニタし、これらの事象が発生した位置を記録することができる。これらのカバレッジホールを特定すると、技術者は、フェムトセルを再構成して、カバレッジホールを取り除くことができる。
【０１１４】
いくつかの実装形態では、カバレッジホールは、トレーニング歩行全体で信号品質（たとえば、パイロット信号強度）をモニタすることによって、特定される。このモニタは、技術者、アクセス端末、フェムトセル、ネットワークエンティティ、または、信号品質情報を受信できる何らかの他の適切なエンティティによって、実行され得る。たとえば、アクセス端末は、測定レポートから取得された信号品質情報を、ユーザインターフェースデバイス（たとえばディスプレイ）に出力することができる。次いで技術者は、信号品質情報が閾値を下回る位置を記録して、カバレッジホールを特定することができる。別の例として、アクセス端末は、収集した信号品質情報と、１つまたは複数の閾値とを自動的に比較して、可能な場合には（たとえば、受信された信号品質が、ある割合の領域において閾値を下回る場合）再構成をトリガすることができる。さらに別の例として、エンティティ（たとえば、フェムトセル、ネットワークエンティティなど）が、測定レポートを介して受信した信号品質情報を、１つまたは複数の閾値と自動的に比較して、可能であれば再構成をトリガすることができる。
【０１１５】
ブロック６０８によって表されるように、フェムトセルを再構成せよという指示が、ブロック６０６における再構成条件の識別の結果として、生成される。たとえば、最適化動作を実行するエンティティは、ユーザインターフェースデバイス上で指示を出力することができ、またはこのエンティティは、メッセージを何らかの他のエンティティへ送信して、指示がそのエンティティ（たとえば、フェムトセル、アクセス端末、ネットワークエンティティ、管理ツール、ウェブベースのアプリケーションなど）上に出力されるようにすることができる。この指示を受信すると、技術者は、フェムトセルを再配置し、かつ／または別のフェムトセルを追加することができる。
【０１１６】
技術者は、送信電力較正手順を繰り返すことができる。たとえば、最初のトレーニング歩行の間に送信電力が計算された後、および／または、フェムトセルの再構成の後に、後続のトレーニング歩行を実行することができる。この後続のトレーニング歩行の間に、上で説明された情報（たとえば、電力値、パスロス値など）が取得され、本明細書で論じられたような送信電力の最適化のために使われ得る。
【０１１７】
電力の差が指定された制限値（たとえば１０ｄＢ）を超えた場合、より低電力のフェムトセルの送信電力が、制限値内で上げられ得る。一部の場合には、この動作は、技術者の介入なしで実行され得る。たとえば、最適化動作を実行するエンティティは、メッセージを適切なフェムトセルへ送信して、自身の送信電力を調整するようにそのフェムトセルに指示することができる（または、エンティティが、電力を調整する必要のあるフェムトセルである場合、エンティティは内部の動作を呼び出す）。
【０１１８】
アクセス端末がアクセスポイント（たとえばフェムトセル）の比較的近くにある状況では、アクセス端末は、別のアクセスポイントから、信頼性のある測定レポートの情報を取得できないことがある。この場合、近くのアクセスポイントによるＦＬ送信が、アクセス端末の受信機の能力を超過することがある。
【０１１９】
この問題に対処するために、図７で説明されるような、同位置のアクセスポイントを交換する方式を利用して、測定レポート情報を取得することができる。一部の展開では、２つ以上のマクロセルが、少なくとも実質的に同じ位置に展開される。一部の場合には、これらの同位置のマクロセルは、同じマクロセル識別子と１つの異なる周波数とを使うことができる。さらに、これらのマクロセルは、同一のまたは実質的に同一の電力レベル（たとえば数ｄＢ以内）で送信することができる。したがって、アクセス端末が、第１の周波数上での第１のアクセスポイントの測定レポートを生成できない場合、アクセス端末は、第１のアクセスポイントの代理として、別の周波数上の第２の同位置のアクセスポイントを測定することができる。
【０１２０】
図７の動作は、たとえば、サービスされるアクセス端末から測定レポートを受信するアクセスポイント（たとえばフェムトセル）において、または、そのような測定レポートの送信先のネットワークエンティティ（たとえば、フェムトセル送信電力を制御する）において実行され得る。また、例示を目的に、これらの動作は、同位置のマクロセルおよびフェムトセル送信電力の制御に関連して、説明される。ただし、これらの概念は他の種類のアクセスポイントに対して利用され得ることを、理解されたい。
【０１２１】
図７のブロック７０２によって表されるように、同位置のアクセスポイントの交換方式は、様々な種類の送信電力較正手順に対して利用され得る。たとえば、そのような方式は、ネットワークリッスンに基づく電力較正（上で図４において説明されたような）、トレーニング歩行に基づく較正手順、または他の種類の測定に対して利用され得る。
【０１２２】
ブロック７０４によって表されるように、第１のマクロセル識別子と関連付けられる測定レポートが、第１のマクロセルから第１の周波数で受信されていないという、判定が行われる。たとえば、これらの測定レポートの受信の失敗は、測定レポート（たとえば、ＮＬＭまたはアクセス端末を介した）の受信を試みているフェムトセルからの干渉、または、別のフェムトセルからの干渉によるものであり得る。一部の場合には、この判定は、第１のマクロセルの存在についての事前の知識に基づき得る。たとえば、以前の較正手順で、第１の周波数上での第１のマクロセルからの測定レポートの受信に成功していることがある。したがって、後続の較正手順は、このマクロセルから測定レポートを受信すると予測する。
【０１２３】
ブロック７０６によって表されるように、第１のマクロセル識別子と関連付けられる測定レポートが、第１のマクロセルと同位置の第２のマクロセルから第２の周波数で受信されているという、判定が行われる。一部の場合には、この判定は、測定レポートが第１のマクロセルから受信されなかったと判定された後に、他の周波数上での探索を開始した結果として、行われ得る。他の場合には、複数の周波数での測定は、そのような判定とは無関係に実行され得る。
【０１２４】
ブロック７０８によって表されるように、測定レポートが第１のマクロセルから受信されていないという判定の結果として、フェムトセルの送信電力は、代わりに、第２のマクロセルから受信された測定レポートに基づいて制御され得る。たとえば、上で論じられたように、そのような測定レポートは、信号強度情報、パスロス情報などを含んでよく、これらの情報を使って、測定レポートが取得された位置において少なくとも１つの基準を満たすように、送信電力を調整することができる。したがって、本明細書で論じられたように、送信電力は、ハンドオーバーの基準、ＳＮＲの基準、マクロセル保護の基準、パイロット信号品質の基準、隣接チャネル保護の基準、または何らかの他の基準のうちの１つまたは複数を満たすように、ここで制御され得る。
【０１２５】
異なる実装形態では、様々な修正が、説明された実施形態に対してなされ得る。上記の議論では、ビーコンの送信電力は、第１のマクロセル周波数に対して計算される。任意の他のマクロセル周波数に対するビーコン送信電力は、第１のマクロセル周波数からのオフセットとして計算され得る。ここで、オフセットはたとえば、ネットワークリッスンモジュールまたは何らかの他の手段を使用して求められるような、これらの異なる周波数に対するマクロセルの受信電力の差に基づいて、計算され得る。このようにして、他のマクロセル周波数のための情報を取得するために、追加のトレーニング歩行を行う必要がない。
【０１２６】
上の説明においては、アクセス端末がトレーニング歩行中に複数のハードハンドオフを実行すると、仮定される。しかし、一部の１ｘおよびＤＯフェムトセルネットワークでは、ソフトハンドオフ（ＳＨＯ）がフェムトセル間でサポートされる。そのような状況では、モバイル機器によって送信されるすべての測定結果メッセージが、ネットワークエンティティ（たとえばＢＳＣ）によって復号される。フェムトセルはまた、ＢＳＣとして動作するように構成され得る。このフェムトセルは、呼を固定して、モバイル機器によって送信されるすべての測定レポートを収集する。そのような展開では、電力較正は、上で説明された方法をわずかに変化させたいくつかの方法によって行われ得る。たとえば、アンカーフェムトセルが、（バックホールを通じて）収集されたレポートを、異なるフェムトセルへ分配することができる。各フェムトセルの信号強度が、最強である場合、または、最強のフェムトセルに対してあるマージン（たとえば「Ｘ」ｄｂ）以内である場合、各フェムトセルはすべてのレポートを送信される。測定レポートを受信した後で、フェムトセルは、前に説明された手順を使って、自身の電力を較正する。１ｘ  ＦＬにおけるＳＨＯによる利益がある程度あるので、カバレッジ性能の目標は緩和され得る（たとえば、下側の
【数１】
0005571254.tif 000002
【０１２７】
閾値を使用する）。あるいは、１ｘ  ＦＬにおけるＳＨＯの利益は、モバイル機器へのパスロスに反比例する電力で送信しつつ、ＳＨＯ領域における点をカバーするように、ＳＨＯ中の各フェムトセルに依頼することによるものであり得る。同様に、フェムトセル間のＳＨＯがＤＯフェムトセルの間でサポートされる場合、ＢＳＣ（またはＢＳＣとして動作するフェムトセル）は、すべての測定レポートを受信する。そのような場合、ＢＳＣは、上で説明されたような、異なるフェムトセルの相対的なパイロット強度に基づいて、複数のフェムトセルにレポートを分配することができる。また、１つのエンティティがレポートのすべてを収集する場合、そのエンティティは、最適化を利用して、フェムトセルの送信電力を計算することができる。たとえば、システム中の合計電力は、所望の制限値以内に制限され得る。
【０１２８】
上で論じられたように、フェムトセルは、マクロセルによって使われているチャネルを共有することができる。この場合、サービスチャネル上のフェムトセル電力は、ユーザをフェムトセルへと誘引するのに十分強く、また良好なＳＮＲを提供しなければならない。ビーコンは、上記のような共有されていないマクロチャネルで送信される。
【０１２９】
開示される電力制御技法は、所有者によって住居内で、または、ＩＴスタッフもしくは技術者によって店舗およびさらには大きな企業において、利用され得る。この技法は、非公開または公開のアクセスポリシーを有する、単一フェムトセルによる展開および複数フェムトセルによる展開に適用可能である。
【０１３０】
すべてのレポートからの情報が、１つのネットワークエンティティ（たとえばＢＳＣ）に対して利用可能である場合、ネットワークエンティティは、本明細書で説明されたアルゴリズムを実行して、カバレッジを良好にしてマクロネットワークへの影響を最小にするための、最適な電力レベルを計算し、次いで、フェムトセルのすべてに対してこれらの電力レベルを伝えることができる。
【０１３１】
展開が非公開のアクセスである場合、レポート収集の処理において、大勢のアクティブなフェムトセルユーザが情報源であってよい。これは、公開アクセスの展開の場合、意図されるカバレッジエリアの外側のユーザもフェムトセル上でアクティブになり得るので、問題になり得る。しかし、あらゆる不要なレポートは、本明細書で論じられたように、除去されるようにフィルタリングされ得る。また、フェムトセルは、外部漏洩のインジケータとして、ホワイトリストに属さないユーザの登録／セッション確立の統計情報を使って、それに従って自身の電力を適合させることができる。
【０１３２】
１ｘＲＴＴ、１ｘＥＶ−ＤＯ、およびＵＭＴＳに対する例が、詳細に説明されてきたが。本明細書の教示は、他のワイヤレス技術にも適用可能であることを理解されたい。したがって、本明細書で教示されるような電力制御方式は、ＬＴＥシステム、または、何らかの他の種類のワイヤレスシステムにおいて利用され得る。
【０１３３】
例示を目的に、１ｘＲＴＴの実装形態、１ｘＥＶ−ＤＯの実装形態、およびＵＭＴＳの実装形態の送信電力較正を計算することに関連する、追加の詳細がここで同様に説明される。
【０１３４】
例示的な詳細：１ｘＲＴＴ送信電力較正  
このセクションは、ＳＭＡＲＴ手順のさらなる本質を与える。フェムトセルは、マクロチャネルに隣接する専用チャネル上で展開されると、仮定される。専用型の展開とは、マクロセルのＲＦ周波数チャネルとは異なる固有の（専用の）ＲＦ周波数チャネルを、フェムトセルが有することを示唆する。同じＲＦ周波数チャネルが、マクロセルとフェムトセルの両方によって使われる、共有チャネルの状況に対する修正が後で説明される。
【０１３５】
最初に、フェムトセルの数が、カバーされるべき全体のエリアおよびフェムトセルごとの意図されるカバレッジエリアに基づいて、決定される。フェムトセルは均一に配置され、マクロネットワークへの影響を最小にするためにフェムトセルが端部から離れたままになるように、配慮が行われる。これに影響を与える何らかの他の要因は、建物の形状および構造と、フェムトセルの機能に必須であるイーサネット（登録商標）およびＧＰＳポイントの利用可能性である。１ｘＲＴＴのフェムトセルの送信（Ｔｘ）電力較正の詳細なステップが、以下で与えられる。
【０１３６】
１）初期化：  
以下のステップは、各フェムトセルによって実行され、ネットワークリッスンモジュールを使って初期電力レベルを決定する（説明されるすべての量は、ｄＢｍまたはｄＢの単位であることに留意されたい）：  
ａ）ＮＬＭを隣接マクロ周波数へと合わせて、受信された全体のエネルギー（Ｉｏmacro_NL）を測定する。  
ｂ）初期化のために、ＰＬfemto boundary_1xを目標のカバレッジエリアとする。これは、電力調整段階よりも前に完全なカバレッジを確実にするために、高い側に、たとえば１００ｄＢに選択される。  
ｃ）以下の式に基づいて、必要なフェムトセル電力を計算する。
【０１３７】
展開が専用チャネルによるものである場合以下のようになる：
【数２】
0005571254.tif 000003
【０１３８】
Ｃは、目標のＳＮＲ、隣接チャネル干渉比、および送信電力に必要な何らかの追加のマージンに基づいて選定される、設定可能なパラメータである。
【０１３９】
展開が、マクロセルとの共有チャネルである場合、初期送信電力が同様に計算される。しかし、この場合、マクロセル測定は、隣接チャネルの代わりに、共有チャネル上で行われる。
【０１４０】
すべてのフェムトセルがＮＬＰＣを実行すると、これらのＮＬＰＣの値の最大値が取得される：
【数３】
0005571254.tif 000004
【０１４１】
ここで、各フェムトセルは、以下の式によって与えられる値へと初期化される：
【数４】
0005571254.tif 000005
【０１４２】
ここで、ＣＡＰinitは設定可能な値（たとえば１５ｄＢ）である。ここでの目標は、すべてのフェムトセルにわたって初期電力を同一にしつつ、初期のＮＬＰＣ値からの電力の増大に対する制限を保つことである。このＮＬＰＣアルゴリズムは、これら両方の相反する要件の良好なトレードオフを実現する。
【０１４３】
これは、技術者によって手動で行われてよく、またはフェムトセルが、バックホールを通じて自身の電力を互いに通信してよく、フェムトセルのすべてが最大値を選択する。また、初期化は異なる方式で行われてよいことに留意されたい。たとえば、すべてのフェムトセルは、最大の可能な送信電力レベルに設定され得る。しかし、最大送信電力を使うと大きな干渉を引き起こし得るので、これは推奨されない。
【０１４４】
２）電力調整：  
これは、フェムトセル展開のプロセスにおいて最も重要な段階であり、すべてのフェムトセルの電力を所望のレベルへ合わせるのを助ける。この段階は、いくつかの単純なステップで示される。
【０１４５】
初期化の後、フェムトセルチャネル上で呼が開始されることになり、アクティブなモバイル機器が、カバレッジが望まれる住宅／企業の中のすべての領域へ持ち運ばれる。これは、あらゆる場所からＲＦ測定結果を収集し、最適な電力値を設定するために行われる。
【０１４６】
呼の間、フェムトセルは、標準的なシグナリング手順を使い、周期的に測定レポートを提出するようにモバイル機器に要求する。使用される２つの測定レポート（ｃｄｍａ２０００  １ｘＲＴＴ規格で定義される）は、以下の通りである。１）パイロット強度測定結果メッセージ（ＰＳＭＭ）：ＰＳＭＭの一部として、モバイル機器は、その動作周波数上で検出できる様々なフェムトセルＰＮ（擬似ランダムノイズシーケンスまたはコード）のＥｃｐ／Ｉｏと、全体の受信エネルギーＩｏとをレポートする。展開が共通チャネルである場合、このチャネル上でのマクロセルも、ＰＳＭＭにおいてレポートされる。２）候補周波数探索レポートメッセージ（ＣＦＳＲＰＭ）：候補周波数探索（ＣＦＳ）手順の一部として、フェムトセルは、規定されたマクロ周波数へと合わせて、検出できる様々なマクロＰＮのＥｃｐ／Ｉｏと、ＣＦＳＲＰＭにおける全体の受信エネルギーＩｏとをレポートするように、モバイル機器に要求する。
【０１４７】
これらのレポートは、エリアの良好なサンプリングを得るために、定期的に（たとえば２〜３秒ごとに）モバイル機器から取得される。互いに短いスパンで到達するＰＳＭＭメッセージおよびＣＦＳＲＰＭメッセージが一緒に組み合わされて、１つの測定レポートを結成する。フェムトセルは、これらのメッセージが互いに短いスパンで到達するように、（たとえば、時間的に非常に近く要求をスケジューリングすることによって、ＣＦＳ要求メッセージにおいて利用可能なＡＣＴＩＯＮ＿ＴＩＭＥフィールドを使用することによって、など）これらのメッセージの要求を時間的に同期することができる。
【０１４８】
フェムトセルは、モバイル機器のレポートを使って、レポート地点の各々における良好なカバレッジを提供するのに必要な電力を計算する。モバイル機器は、フェムトセルの強度が変化するに従ってトレーニング歩行の間にフェムトセル間のハードハンドオフを実行していると仮定され、ＰＳＭＭはサービングフェムトセルへと向かい続ける。ハンドオフヒステリシスは、サービングフェムトセルが常に最強のフェムトセルであることを確実にするように、０ｄＢに設定されるが、このパラメータは調整され得る。（このヒステリシス値は、１ｘＲＴＴ規格で利用可能なＴ＿ＡＤＤ、ＡＤＤ＿ＩＮＴＥＲＣＥＰＴなどのような、様々なパラメータによって設定され得ることに留意されたい。）最後に、各フェムトセルは、受信強度がすべてのフェムトセルの中で最高であるレポート（地点）のサブセットを形成し、これらのレポートが取得された地点におけるカバレッジを提供しようと試みる。各フェムトセルは、すべてのこれらの地点において必要なビーコン電力とフェムトセル電力とを計算し、次いで、次のようにこれらのチャネルの電力値を選定する。
【０１４９】
ビーコン電力：  
アイドルモバイルハンドインを支援するために、レポート地点におけるビーコンの電力は、最強のマクロセルよりも、ヒステリシスマージン１ｘ＿ｂｅａｃｏｎhystの分だけ高くなければならない。「ｉ」番目の測定レポートに対して、必要なビーコン送信電力は、以下の式を使って計算される：
【数５】
0005571254.tif 000006
【０１５０】
ここで、
【数６】
0005571254.tif 000007
【０１５１】
は、「ｉ」番目のＣＦＳＲＰＭレポートからの最強のマクロセルパイロットの強度であり、モバイル機器が測定するＥｃｐ／ＩｏとＩｏとを加算することによって計算され、Ｋは、典型的なハンドオフヒステリシス値と送信電力において必要なマージンとに基づく定数であり、ＰＬreport（ｉ）は、レポート地点までのパスロスであり、以下の式によってＰＳＭＭレポートを使って計算される：
【数７】
0005571254.tif 000008
【０１５２】
ここで、Ｅｃｐ／Ｉｏｒfemtoは、フェムトセルＦＬチャネル上の全体の送信電力に対する、パイロットチャネルの電力の比である。
【０１５３】
したがって、すべてのレポートされる点においてビーコンのカバレッジを提供するのに必要な電力レベルのセット｛Ｐbeacon_1x（ｉ）｝が形成される。
【０１５４】
フェムトセルは、階層化ビーコン設計を使用することができる。この階層化ビーコン設計について、高いビーコン送信電力および低いビーコン送信電力が、何らかの統計的な値（たとえば、メジアン、平均、最大値、またはセットからのあるパーセンタイル値）として選択される。高電力に対して選択された統計的な値は、低電力のビーコンよりも高い。
【０１５５】
ビーコンは、フェムトセルチャネルへと再選択するのに１回しか必要ではないので、カバレッジの目標は、マクロセルユーザへの影響を最小にするために低く保たれる。
【０１５６】
フェムトセルの展開がマクロセルに対する共通チャネルである場合、ビーコン電力は、フェムトセル電力にも依存する。共通チャネルにおけるフェムトセル電力は、マクロを保護するように慎重に設定される。その結果、フェムトセル電力を記録することが重要になる。それは、ビーコンのカバレッジがフェムトセルのカバレッジよりも広い場合、アイドルハンドインの失敗につながるからである。高電力ビーコンのカバレッジがフェムトセルよりも小さくなるように、高電力ビーコンの電力に対する制限を計算するために、フェムトセル電力が使われる。
【０１５７】
この依存性によって、共通チャネルの展開では、フェムトセル電力は、ビーコン電力よりも前に計算される。
【０１５８】
フェムトセル電力：  
フェムトセル電力較正のアルゴリズムは、展開の性質、すなわち専用型の展開か共通チャネルの展開かに依存する。
【０１５９】
隣接チャネル上にマクロセルを伴う専用型の展開：  
フェムトセル電力は、フェムトセルユーザに対して良好なカバレッジを提供すると同時に、隣接チャネル上のマクロセルユーザに対して引き起こされる干渉を限定するために、設定される。
【０１６０】
ａ）カバレッジの制約：  
良好なカバレッジを提供するために、フェムトセル電力は、レポート地点において目標のＳＮＲ（１ｘ＿Ｅｃｐ／Ｎｔthreshold）を実現するように設定される。ここでの干渉は、隣接するマクロチャネルからの漏洩によるものである。「ｉ」番目のレポート地点に対して必要な電力は、以下の式を使って計算される：
【数８】
0005571254.tif 000009
【０１６１】
ここで、
【数９】
0005571254.tif 000010
【０１６２】
は、マクロチャネルに対する全体の干渉である。フェムトセルチャネルからの漏洩を除くために、これは、すべてのレポートされたマクロのエネルギーを加算することによって計算される。ＰＬreport（ｉ）は、上で説明されたようなＰＳＭＭから取得され、Ｃは、隣接チャネルの漏洩比率と、必要なＳＮＲの目標と、送信電力において必要な何らかの追加のマージンとの組合せによって決定される、定数の係数である。他のフェムトセルからの干渉はこの計算では除去され、パラメータＣに適切なマージンを含めることによって軽減される。これは、各フェムトセルが他のフェムトセルによって引き起こされる干渉に対抗しようとすれば発生し得る、電力増大の競争を防ぐ上で重要である。
【０１６３】
ここで、フェムトセルは、以下のように、大半のレポート地点が良好なカバレッジを得るのを確実にする電力を選択し、異常値のみを除外する：
【数１０】
0005571254.tif 000011
【０１６４】
ここで、｛Ｐfemto_1x（ｉ）｝は、すべてのレポート地点に対して計算された電力のセットであり、Ｃｏｖfemtoは設定可能であり、通常は９５に選定される。
【０１６５】
ｂ）マクロ保護の制約：  
フェムトセルが、マクロセルに隣接するチャネルで動作している場合、干渉が、マクロセルユーザに対して継続的に害を与える。これは、展開が非公開のアクセスである場合には、特に重要である。影響を制御下に保つために、フェムトセルは、マクロセルの干渉に対する寄与を、マクロセルのみの干渉の一部（ＩｏΔと指定される）に限定するために、自身の電力を設定する。これは、次のように行われる：
各々のレポート地点に対して、以下の式によって与えられるような電力制限値を計算する：
【数１１】
0005571254.tif 000012
【０１６６】
ここで、Ｚは、必要なマクロセル保護のレベルを決定する定数である。フェムトセルは、地点群のある部分（たとえば５０％）を保護するための、電力制限値を計算する。均一にエリアをサンプリングすることで、隣接チャネル上のマクロセルユーザが、フェムトセルの周囲の領域の５０％の中では保護されることが確実になる。
【数１２】
0005571254.tif 000013
【０１６７】
パラメータＰｒｏｔmacroは、設定可能であり、いくつかの実装形態では、５０に選定される。
【０１６８】
最終的なフェムトセル電力は、カバレッジとマクロセル保護のうちの最小値となるように選択される。
【０１６９】
共通チャネルによる展開：  
この状況では、フェムトセル信号を使って、フェムトセルユーザへのカバレッジを提供し、また、共通チャネル上のマクロセルユーザに、フェムトセルへと再選択させる。したがって、フェムトセル信号は、ビーコンのように動作する。電力設定は、各々の地点でのこれらの要件の両方を考慮する。
【０１７０】
ａ）ＳＮＲの制約：  
目標地点におけるフェムトセルのＳＮＲは、設定された閾値−ＳＩＮＲfemto,maxと等しくなければならない。したがって以下のようになる：
【数１３】
0005571254.tif 000014
【０１７１】
ここで、Ｃは、ＳＮＲの目標ＳＩＮＲfemto,maxと、送信電力において望まれる追加のマージンとの関数として選定される。  
ｂ）アイドルハンドオフの制約：  
フェムトセルパイロット強度は、最良のマクロセルパイロットの強度よりも、ヒステリシスマージンの分だけ高くなるように目標設定される。これは、企業の境界を、共通チャネルのモバイル機器のアイドルハンドインの境界とアイドルハンドアウトの境界との間に保つために行われる。このことは、企業内の大半のユーザが、マクロチャネルからフェムトセルチャネルへと再選択できることを意味し、第２に、フェムトセルチャネル上のユーザが、企業内にいる間はマクロネットワークに戻らないことを意味する。境界の正確な位置は、ヒステリシス値によって制御される。したがって、以下のようになる：
【数１４】
0005571254.tif 000015
【０１７２】
ここで、Ｋは、通常のハンドオフヒステリシスと、送信電力値における何らかの追加のマージンとに基づいて選定される。
【０１７３】
各地点において電力の最大値を選択することで、電力が、各地点におけるカバレッジの制約とアイドルハンドオフの制約の両方を満たすことが、確実になる。
【０１７４】
ここで、フェムトセルは、以下のように、大半のレポート地点が良好なカバレッジを得るのを確実にする電力を選択し、異常値のみを除外する：
【数１５】
0005571254.tif 000016
【０１７５】
ここで、｛Ｐfemto_1x（ｉ）｝は、すべてのレポート地点に対して計算された電力のセットであり、Ｃｏｖfemtoは設定可能であり、いくつかの実装形態では９５に選定される。
【０１７６】
３）電力最適化：  
フェムトセル電力は、たとえば、不正確な位置、不十分なカバレッジ、逆方向リンクの性能への悪影響などに対するトリガのような、あるイベントトリガ／アラームを提起することによって、最良の性能のために精密に調整される。そのようなトリガのいくつかの例が、以下で説明される。
【０１７７】
電力の差：カバレッジの境界を共有する２つのフェムトセルの電力の差は、１０ｄＢ以下でなければならない。これは、ＦＬ／ＲＬ不均衡の問題を最小にするために重要である。
【０１７８】
サービングパスロス：各フェムトセルが測定レポートを得た部分のうち、パスロス値が８５ｄＢを超える部分は、５％未満でなければならない。これらのパスロス値は、送信電力の調整の前に技術者の歩行から取得されよく、または、新たな歩行を実行して、新たに計算された送信電力値を送信するフェムトセルによるレポートの新しいセットを収集することによって、取得されてもよいことに留意されたい。この最適化トリガは、各フェムトセルのカバレッジエリアが、８５ｄＢ以内に限定されるのを確実にする。カバレッジがこの点を超えて拡大すると、端部のフェムトセルユーザは、リンクを維持するために非常に高い電力で送信し、近くのマクロセルにおいて望ましくない高いＲＯＴ（ｒｉｓｅ−ｏｖｅｒ−ｔｈｅｒｍａｌ）を引き起こし得る。
【０１７９】
電力上限の設定：カバレッジ基準がいくつかの地点で満たせなかったことが示される場合、いずれのフェムトセルも、ビーコンまたはフェムトチャネル上で最大電力の制限値に到達してはならない。
【０１８０】
これらの条件のいずれかがトリガされる場合、いくつかのフェムトセルの位置が変更されることになり、または別のフェムトセルが、トリガが提起された領域に加えられることになる。この後で、全体の較正手順が繰り返されることになる。
【０１８１】
例示的な詳細：１ｘＥＶ−ＤＯ送信電力較正  
このセクションは、ＳＭＡＲＴ手順のある実施形態の追加の態様と、それが１ｘＥＶ−ＤＯの実装（たとえば、ここではＥＶ−ＤＯまたは単にＤＯと呼ばれ得る）においてどのように展開され得るかとを説明する。この例では、ＤＯフェムトセルは、マクロチャネルと共有されるチャネル上で、またはマクロチャネルとは別に設けられた専用チャネル上で、展開されると仮定される。専用型の展開では、フェムトセルは、マクロチャネルに隣接する専用チャネル上で展開されると、仮定される。フェムトセルビーコンは、専用型のＤＯの展開では、ＳＭＡＲＴにおいてマクロチャネル上で送信される。以下のステップは、１ｘ  ＳＭＡＲＴ手順とともに行われる。
【０１８２】
１）初期化：  
フェムトセル電力：  
フェムトセルｉは、フェムトセルの動作周波数上で測定される全体のマクロセルのＲＳＳＩである、Ｉｏmacro,NLM,i（ｄＢｍ）を測定する。マクロセルが検出されない場合、Ｉｏmacro,NLM,iは、熱ノイズのフロアとして設定される。そしてフェムトセルは、ＰＬedge,femto（たとえば９０ｄＢ）によって表される領域においてカバレッジを提供するための、Ｐiを計算する。
【数１６】
0005571254.tif 000017
【０１８３】
ここで、Ｋは、必要なＥｃｐ／Ｎｔと、送信電力値において望まれる追加のマージンとの関数である。
【０１８４】
そして、フェムトセルｉの一時的な送信電力は以下のように計算される：
【数１７】
0005571254.tif 000018
【０１８５】
ここで、Ｐmin,femtoおよびＰmax,femtoは、それぞれ、フェムトセルについて許可される、ｄＢｍ単位での最小および最大の送信電力レベルである。
【０１８６】
すべてのフェムトセルがそれぞれのＮＬＰＣ電力を出力すると、技術者は、各フェムトセルによって使われるべき初期電力を、次のように決定する：
【数１８】
0005571254.tif 000019
【０１８７】
すると、フェムトセルｉの初期電力は以下のようになる：
【数１９】
0005571254.tif 000020
【０１８８】
ここで、ＣＡＰinit,DOは、許可される電力の上昇を制限する定数（たとえば１５ｄＢ）である。この方法は、技術者が、各々の個々のフェムトセルの初期電力を、ＣＡＰinit,DOの上昇の制限値を侵すことなく、可能な限りＰfemto,DO,init,maxに近づくように上昇させることを可能にする。
【０１８９】
このフェムトセル電力の初期化は、共通チャネルによる展開と専用型の展開の両方に適用されるが、一部のパラメータ、たとえばＰＬedge,femtoが異なり得る。
【０１９０】
ビーコン電力：  
初期ビーコン電力を決定するための同様のアルゴリズムも、各フェムトセルにおいて実行される。フェムトセルｉは、マクロセルの動作周波数上で測定される全体のマクロセルのＲＳＳＩである、Ｉｏbeacon,NLM,i（ｄＢｍ）を測定する。そしてフェムトセルは、ＰＬedge,beacon（たとえば９５ｄＢ）によって表される領域においてビーコンのカバレッジを提供するための、「ｉ」を計算する：
【数２０】
0005571254.tif 000021
【０１９１】
ここで、Ｋは、フェムトセルカバレッジの端部における所望のビーコンパイロット強度（Ｅｃｐ／Ｉｏ）と、送信電力値における何らかの追加のマージンとの関数として選定される。ビーコンに関しては、カバレッジとは単に、技術者により支援される電力調整段階においてビーコンが探索可能であるべきであることを意味する。
【０１９２】
そして、ビーコンｉの一時的な送信電力は以下のように計算される：
【数２１】
0005571254.tif 000022
【０１９３】
ここで、Ｐmin,beaconおよびＰmax,beaconは、それぞれ、ビーコンについて許可される、ｄＢｍ単位での最小および最大の送信電力レベルである。
【０１９４】
フェムトセル電力とは異なり、各フェムトセルのビーコンは、上限を伴う最大化の操作を行わずに、異なる値を有し得る。このことは、マクロセルＥｃｐ／Ｉｏ測定へのビーコンの影響を最小にし、したがって、フェムトセル／マクロセルのＥｃｐ／Ｉｏのいずれもが問題をレポートしないというリスクを下げるために、行われる。
【０１９５】
このビーコン電力の初期化は、共通チャネルによる展開と専用型の展開の両方に適用されるが、一部のパラメータ、たとえばＰＬedge,beaconが異なり得る。
【０１９６】
２）電力調整：  
これは、フェムトセル展開のプロセスにおいて最も重要な段階であり、すべてのフェムトセルの電力を所望のレベルへ合わせるのを助ける。この段階は、いくつかのステップで示される。
【０１９７】
初期化の後、フェムトセルチャネル上でデータセッションが開始され、アクティブなモバイル機器が、カバレッジが望まれる住宅／企業の中のすべての領域へ持ち運ばれる。これは、あらゆる場所からＲＦ測定結果を収集し、最適な電力値を設定するために行われる。
【０１９８】
呼の間、フェムトセルは、標準的なシグナリング手順を使い、周期的に測定レポートを提出するようにモバイル機器に要求する。要求は、パス更新要求メッセージを使って送信される。使われるレポートメッセージは、パス更新メッセージ（ＲＵＭ）である。ＲＵＭにおいて、アクセス端末は、その動作周波数および要求される周波数で検出できるすべてのＰＮのＥｃｐ／Ｉｏをレポートする。これらのレポートは、エリアの良好なサンプリングを得るために、たとえば数秒ごとにモバイル機器から取得される。
【０１９９】
しかし、１ｘＲＴＴの場合とは異なり、ＥＶ−ＤＯアクセス端末のレポートは、様々なセクタのＥｃｐ／Ｉｏしか含まず、Ｉｏの測定結果を含まない。これは、ＥＶ−ＤＯフェムトセルおよびビーコンの電力較正に対して、直接のパスロスのレポートが利用可能ではないことを意味し、１ｘＲＴＴ  ＳＭＡＲＴに対する大きな違いである。
【０２００】
以下のＥＶ−ＤＯ  ＳＭＡＲＴアルゴリズムは、ＤＯマクロセルとビーコンとのＥｃｐ／Ｉｏのレポートが技術者のトレーニング歩行の間に利用可能である場合に、これらのレポートどのように使って、ある基準を満たすフェムトセルとビーコンとの送信電力を計算できるかを明らかにする。これらのレポートが利用可能ではない場合、１ｘＲＴＴアクセス端末のレポートを使って、フェムトセルとビーコンとの送信電力を計算することができる。
【０２０１】
電力較正の考え方は、モバイル機器のレポートを使って、レポート地点の各々における良好なカバレッジを提供するのに必要な電力を計算するということである。この例では、モバイル機器は、フェムトセルの強度が変化するに従ってトレーニング歩行の間にフェムトセル間のハードハンドオフを実行していると仮定され、ＲＵＭはサービングフェムトセルへと向かい続ける。ハードハンドオフがサポートされる場合、ハンドオフヒステリシスは、サービングフェムトセルが常に最強のフェムトセルであることを確実にするように（たとえば０ｄＢへ）設定される（しかし、このパラメータは調整され得る）。このヒステリシス値は、ＤＯ規格において利用可能な、ＰｉｌｏｔＡｄｄ、ＡｄｄＩｎｔｅｒｃｅｐｔ、ＳｏｆｔＳｌｏｐｅ、ＰｉｌｏｔＣｏｍｐａｒｅなどのような、様々なパラメータによって設定され得る。ハードハンドオフがサポートされずソフトハンドオフがない場合、アクセス端末は、受信する測定レポートに基づいて、サービングフェムトセルによって最強のフェムトセルへとリダイレクトされ得る。たとえば、ターゲットフェムトセルがより強くなったことをレポートが示す場合、サービングフェムトセルは、接続切断命令を送信することができ、この命令に基づいて、アクセス端末は、接続を切断し、アイドル状態になり、ターゲットフェムトセルへと再選択し、データ接続をセットアップし、レポートの送信を継続する。ソフトハンドオフがサポートされる場合、いくつかのフェムトセルは、自身がサービングフェムトセル（すなわち最強のフェムトセル）となっているレポートだけではなく、別のフェムトセルが最強である他のレポートも収集する。この場合、フェムトセルは、これらのレポートを対応する最強のフェムトセルへと直接再配信することができ、または、すべてのレポートを収集しそれらを対応する最強のフェムトセルへと再配信するのを担う制御センター（たとえば集中型のエンティティ）へと、すべてのレポートを送信することができる。上述の方法のいずれかによって、最後には、各フェムトセルは、レポートにおいて受信強度がすべてのフェムトセルの中で最高であるレポート（地点）のサブセットを形成し、これらのレポートが取得された地点におけるカバレッジを提供しようと試みる。各フェムトセルは、すべてのこれらの地点において必要なビーコン電力とフェムトセル電力とを計算し、次いで、次のように電力を選定する。
【０２０２】
共通チャネルによる展開  
フェムトセル電力：  
フェムトセル電力は、共有チャネルのマクロに対する影響を考慮して調整される。電力は、フェムトセルによってサービスされているアクセス端末への、アイドルモードのカバレッジとアクティブモードのカバレッジとを提供するのに、十分大きくなければならない。フェムトセル上にユーザがとどまり続けるために、フェムトセルの信号強度は、最強のマクロセル信号強度よりもはるかに弱くなければならず、弱くない場合には、アクセス端末はマクロへのアイドルハンドオフを実行する。フェムトセル信号強度をマクロセル信号強度よりもどれだけ弱くできるかと、フェムトセルに依然としてとどまり続けることとは、アイドルハンドオフを実行するために使われるヒステリシス値に依存する。典型的な値は、３〜５ｄＢである。このことに留意して、電力調整が次のように実行される。
【０２０３】
アイドルハンドアウトの制約：  
フェムトセルｉは、各々のレポート地点においてアイドルハンドオフのカバレッジの制約を満たすために、そうした地点に対する送信電力の上昇分または減少分である、セット｛Ｐdelta,temp1,i｝を構築する。「ｊ」番目のレポートについては、これは次のように行われる：
【数２２】
0005571254.tif 000023
【０２０４】
ここで、Ｋは、典型的なアイドルハンドオフのヒステリシス値と、送信マージンにおける何らかの所望の追加のマージンとの関数として選定され、Ｅｃｐ／Ｉｏbest macro,i（ｊ）は、ｊ番目の測定レポートにおいてレポートされる最良の（Ｅｃｐ／Ｉｏに関して最強の）マクロセルのＥｃｐ／Ｉｏであり、（Ｅｃｐ／Ｉｏ）femto,i（ｊ）は、ｊ番目の測定レポートにおいてレポートされるフェムトセルのＥｃｐ／Ｉｏである。−５ｄＢのＨｙｓｔfemtoで、フェムトセルからマクロセルへのアイドルハンドオフが起こり、５ｄＢのＨｙｓｔfemtoで、マクロセルからフェムトセルへのアイドルハンドオフが起こる。
【０２０５】
フェムトセルｉは、Ｐdelta,temp1,iの値のセットのＣＤＦの、Ｃｏｖfemto,DO（たとえば９５％）パーセンタイルの値として、Ｐfeminc,temp1,iを計算する。これによって、レポート地点のＣｏｖfemto,DOパーセントが、アイドルハンドオフの条件を満たすことが確実になる。
【０２０６】
フェムトセルｉは、較正された送信電力を以下のように計算する：
【数２３】
0005571254.tif 000024
【０２０７】
ＳＮＲの制約：  
フェムトセルｉは、各々のレポート地点においてＳＮＲのカバレッジの制約を満たすために、そうした地点に対する送信電力の上昇分または減少分である、セット｛Ｐdelta,temp2,i｝を構築する。「ｊ」番目のレポートに対して必要な上昇分または減少分は、「ｊ」番目のレポートにおいてレポートされるマクロセルパイロット強度とフェムトセルパイロット強度とに基づいて計算される。フェムトセルｉは、Ｐdelta,temp2,iの値のセットのＣＤＦの、Ｃｏｖfemto,DO（たとえば９５％）パーセンタイルの値として、Ｐfeminc,temp2,iを計算する。これによって、レポート地点のＣｏｖfemto,DOパーセントが、アイドルハンドオフの条件を満たすことが確実になる。
【０２０８】
フェムトセルｉは、較正された送信電力を以下のように計算する：
【数２４】
0005571254.tif 000025
【０２０９】
最後に、フェムトセル電力は以下のように設定される：
【数２５】
0005571254.tif 000026
【０２１０】
ここで、Ｐmin,femtoおよびＰmax,femtoは、フェムトセル送信電力の最小または最大の設定された絶対値である。
【０２１１】
上記のフェムトセル電力の計算は、異なるセクタ（マクロセル、フェムトセル、および／またはビーコン）のＥｃｐ／Ｉｏを含む、ＥＶ−ＤＯホームアクセス端末（フェムトセル）測定レポートに基づく。これらのＥＶ−ＤＯレポートが利用可能ではない場合、前述の電力計算は、このように進めることはできない。そのような状況では、利用可能であれば、１ｘＲＴＴホームアクセス端末測定レポートを再使用して、１ｘＲＴＴレポートに基づいてＥＶ−ＤＯ電力調整を実行することができる。この手法は、１ｘＲＴＴ技術とＥＶ−ＤＯ技術の両方が、同じフェムトセル上で利用可能であり、１ｘＲＴＴ電力調整とＥＶ−ＤＯ電力調整の両方が実行されることを仮定し、これは非常に可能性の高い状況である。
【０２１２】
１ｘＲＴＴホームアクセス端末レポートの中のすべての信号測定結果のうち、Ｅｃｐ／ＩｏレポートおよびＩｏレポートから計算されるパスロス情報のみが、以下の方法では使われる。しかし、１ｘＲＴＴホームアクセス端末レポートに含まれる他の測定結果または情報も、ＥＶ−ＤＯ電力調整のために使われてよい。
【０２１３】
まず、電力調整アルゴリズムは、１ｘＲＴＴ測定レポートの収集段階で収集されたすべてのパスロスレポートを用いて、｛ＰＬfemto,i（ｊ）｝の累積分布関数（ＣＤＦ）を計算する。そして、このアルゴリズムは、｛ＰＬfemto,i（ｊ）｝のＣＤＦにおける、ＰＬedge,1x＝ＣｏｖＰｅｒ＿ＰＬedgeパーセンタイルの値を計算する。
【０２１４】
ＰＬedge,1xが取得された後、電力調整アルゴリズムは、上で説明されたフェムトセル電力初期化手順の一部を繰り返す。手順のこの部分は、上で述べられた「１）初期化」および「フェムトセル電力」という見出しで開始し、「Ｐmin,femtoおよびＰmax,femtoは、許可される最小および最大の送信電力レベルである・・・」で終了する４段落（たとえばおおよそ段落００１９２〜００１９５）を含む。この初期化手順の残りの部分は、ここでは実行されるべきではないことに留意されたい。実行されるべきではない動作は、「すべてのフェムトセルがそれぞれのＮＬＰＣ電力を出力すると・・・」で始まる３段落（たとえばおおよそ段落００１９６〜００１９８）を含む。先行の文章において説明される初期化手順の一部を繰り返す際に、手順は、ＰＬedge,femtoをＰＬedge,1xで置き換える。出力される電力レベルＰfemto,DO,i（ＰＬedge,1x）は、フェムトセル電力として設定される。
【数２６】
0005571254.tif 000027
【０２１５】
ビーコン電力：  
適切なビーコン電力を較正する必要がある各マクロチャネルに対して、フェムトセルは、ＮＬＭモジュールを起動して、このビーコンチャネル上でのマクロセルＥｃｐ／Ｉｏを測定する。ビーコンが周波数ｆｉ上で送信されると仮定すると、ビーコンの送信電力は、次のように、フェムトセルの送信電力に対して設定される。
【数２７】
0005571254.tif 000028
【０２１６】
ここで、Ｐfemto,final,iは、較正されたフェムトセル送信電力であり、Ｋは、周波数ｆｏ上でのＮＬＭによって測定されたマクロセル信号強度と周波数ｆｉ上でのマクロセルパイロット強度の差と、送信電力における何らかの所望の追加のマージンとの関数として、選定される。アップフェードが原因でユーザがビーコンからのアイドルハンドインを実行するが、ダウンフェードが原因でフェムトセル信号の取得に失敗することの確率を下げるために、追加のマージンは使われる。
【０２１７】
専用型の展開  
フェムトセル電力：  
良好なフェムトセルカバレッジを提供しつつ、マクロセルが動作中であり得る隣接チャネルへの漏洩を避けるために、専用型のフェムトセル電力較正には、フェムトセルカバレッジとマクロセル保護という２つの制約を伴う。より具体的には、以下の手順が、フェムトセル電力較正のために実行される。
【０２１８】
Ｓiを、様々なセクタからのＥｃｐ／Ｉｏ測定結果を含む、フェムトセルｉにおいて受信された、フェムトセル周波数およびビーコン周波数からのレポートのセットとする。具体的に特定されなければ、すべての規定される変数は、ｄＢ単位である。
【０２１９】
フェムトセルカバレッジの制約：  
良好なカバレッジ（たとえば、ＳＮＲ＞５ｄＢを有するものとして定義される）を提供するのに必要な送信電力を、次のように計算する：
フェムトセルｉは、セットＰtemp1,iを次のように構築する：
【数２８】
0005571254.tif 000029
【０２２０】
ここで、（Ｅｃｐ／Ｉｏ）macro,k,i（ｊ）は、Ｓｉのｊ番目のレポートにおいてレポートされたｋ番目のマクロセルのＥｃｐ／Ｉｏを表す線形部分にあり、（Ｅｃｐ／Ｉｏ）beacon,i,i（ｊ）は、Ｓｉのｊ番目のレポートにおいてレポートされたｉ番目のビーコンのＥｃｐ／Ｉｏである。ＰB,iは、ｉ番目のフェムトセルに対する初期化の後のビーコン電力であり、Ｋは、所望のＳＮＲの目標と、送信電力値における何らかの所望の追加のマージンとの関数である。この制約によって、このレポートに対応する位置が、あるＳＮＲ（たとえば５ｄＢ）の信号品質を超える信号を受信しないことが確実になる。これによって、不必要な干渉が防がれる。
【０２２１】
フェムトセルｉは、この制約に対応する送信電力を次のように計算する：
【数２９】
0005571254.tif 000030
【０２２２】
すなわち、レポートの９５％に対する、このカバレッジの制約を満たすための電力である。
【０２２３】
マクロ保護の制約：  
隣接チャネルのマクロセルを保護しつつ使うことができる送信電力を、以下のように計算する。
【０２２４】
フェムトセルｉは、セットＰtemp2,iを次のように構築する：
【数３０】
0005571254.tif 000031
【０２２５】
ここで、Ｃは、保護のレベル（たとえばマクロセル強度よりも５ｄＢ低い）と何らかの追加のマージンとの関数である。
【０２２６】
次いで、フェムトセルｉは、この制約に対応する送信電力を次のように計算する：
【数３１】
0005571254.tif 000032
【０２２７】
そして、各フェムトセルの電力は以下のように計算される：
【数３２】
0005571254.tif 000033
【０２２８】
共通チャネルによる展開と同様に、両方の技術が同じフェムトセル内で共存し、１ｘＲＴＴホームアクセス端末測定レポートが１ｘＲＴＴ電力調整のために収集されている場合には、１ｘＲＴＴホームアクセス端末測定レポートに基づいてフェムトセル電力を較正することも可能である。また、パスロス情報のみが以下の手順で使われるが、他の測定レポートも計算において用いられてよい。
【０２２９】
ビーコン電力：  
アイドルモバイルハンドインを支援するために、レポート地点におけるビーコンの強度は、最強のマクロセルよりも、ヒステリシスマージンｂｅａｃｏｎhyst,DOの分だけ高くなければならない。これを実現するために、フェムトセルｉは、各々の地点においてアイドルハンドオフのカバレッジの制約を満たすために、そうした地点に対する送信電力の上昇分または減少分である、セット｛Ｐdelta,i｝を構築する。この電力値は、次のように計算される：
【数３３】
0005571254.tif 000034
【０２３０】
ここで、（Ｅｃｐ／Ｉｏ）beacon,i（ｊ）は、ｉ番目のフェムトセルに送信されるｊ番目のレポートにおいてレポートされるｉ番目のビーコンのＥｃｐ／Ｉｏである。パラメータ（Ｅｃｐ／Ｉｏ）bestmacro,i（ｊ）は、ｉ番目のフェムトセルに送信されるｊ番目のレポートにおいてレポートされる最良のマクロセルのＥｃｐ／Ｉｏであり、Ｋは、典型的なハンドオフヒステリシスと、送信電力における何らかの追加のマージンとの関数として選定される。
【０２３１】
フェムトセルｉは、Ｐdelta,iのＣＤＦの、Ｃｏｖbeacon,DO（たとえば８０％）パーセンタイルの値として、Ｐinc,iを計算する。これによって、レポートのＣｏｖbeacon,DOパーセントが、アイドルハンドオフの条件を満たすことが確実になる。
【０２３２】
フェムトセルｉは、ビーコンの較正された送信電力を以下のように計算する：
【数３４】
0005571254.tif 000035
【０２３３】
上で言及されたように、別の手法は、１ｘＲＴＴホームアクセス端末測定レポートを再使用して、ビーコン送信電力を計算することである。いくつかの態様では、この手法は、１ｘＲＴＴホームアクセス端末測定レポートに基づく、共通チャネルのフェムトセル電力の計算と同様である。まず、すべてのパスロスレポートの｛ＰＬfemto,i（ｊ）｝を作成し、｛ＰＬfemto,i（ｊ）｝のＣＤＦのＰＬedge,1x,temp＝ＣｏｖＢｃｎパーセンタイルの値を計算し、次いで、許容されるパスロスの目標に下側と上側の境界を適用し、最後に、新たなパスロスの目標ＰＬedge,1x,tempとともに、専用型の展開に対してビーコンＮＬＰＣを繰り返す。計算された電力は、最終的なビーコン電力Ｐbeacon,final,DO,iとして設定される。
【０２３４】
フェムトセルのすべてがこの方法に基づいて自身の電力を調整すると、次のステップは、これらの電力レベルを最適化することである。
【０２３５】
３）電力最適化：  
電力の最適化は、本明細書で説明されるものと同じ動作（たとえば１ｘＲＴＴに対する）を使って行われ得る。
【０２３６】
例示的な詳細：ＵＭＴＳ送信電力調整  
このセクションは、ＳＭＡＲＴ手順のある実施形態の追加の態様と、それがＵＭＴＳの実装形態においてどのように展開され得るかということとを、説明する。
【０２３７】
電力較正モードにおけるパラメータの初期化  
電力較正モードのための、利用され得るパラメータのセットの例が以下に続く。測定レポートを、長期間にわたって短い間隔で定期的に受信するために、ＭＲＭレポート間隔およびＭＲＭレポート量が、それぞれ、２５０ｍｓと無限大とに設定される。さらに、ソフトハンドオーバー（ＳＨＯ）は、技術者のトレーニング歩行の間は無効にされ得る。
【０２３８】
ＳＨＯが無効にされないと、レポートが依然として各フェムトセルにおいて収集され、または、１つのフェムトセル（たとえばクラスタヘッドとして動作する）へ、もしくは別個のエンティティへと送信され得る。説明されるアルゴリズムは、いずれの場合にも適用可能である。
【０２３９】
アクティブな呼のハンドオーバーは、（たとえばＳＨＯが無効であれば）ハードハンドオーバーを通じて管理され得る。フェムトセル間のハンドオーバーに対しては、たとえば、ヒステリシス−ＣＩＯの値として０ｄＢを使うことが採用され得る。これによって、フェムトセルが最強である可能性の高い領域から、フェムトセルがレポートを収集できるようになる。マクロセルへのハンドオーバーに対しては、たとえば、ヒステリシス−ＣＩＯの値として６ｄＢが採用され得る。これによって、マクロセルがフェムトセルよりも強い領域から、フェムトセルがレポートを取得できるようになる。
【０２４０】
送信電力制御  
各フェムトセルは、所望のカバレッジ範囲と（入力として）、ＮＬＭを用いて得られたマクロセルのＲＳＳＩ測定結果とを使う。フェムトセル送信電力は、カバレッジ要件を満たすように選定される。たとえば、フェムトセルのＣＰＩＣＨ  Ｅc／Ｉｏは、カバレッジ範囲におけるＱqualmin,femtoよりも良好になるように定義され得る。さらに、マクロセルダウンリンクへの干渉を限定するために、フェムトセル送信は、フェムトセルカバレッジ範囲の端部において、最大でもある一定の量だけ、マクロセルＩｏを上昇させることのみに制限され得る。したがって、各フェムトセルにおいて、以下の条件が満たされる。
【０２４１】
カバレッジの条件：  
フェムトセル送信電力は、カバレッジ範囲の端部において、アイドル再選択要件を満たすように選定される。たとえば、フェムトセルのＣＰＩＣＨ  Ｅc／Ｉｏは、カバレッジ範囲におけるＱqualmin,femtoよりも良好でなければならない。
【数３５】
0005571254.tif 000036
【０２４２】
パラメータＸは、フェムトセルカバレッジの端部における何らかの負荷ＰＬedge,NLを仮定した場合の、ＨＵＥ（フェムトセル）が経験する最小の所望のダウンリンクＣＰＩＣＨ  Ｅｃ／Ｉｏ、全体の送信電力スペクトル密度に対する、チップ当たりのパイロットエネルギーの比（すなわち、ＣＰＩＣＨ  Ｅｃ／Ｉｏｒ）、および負荷関数に基づく。
【０２４３】
パラメータＩｏmacro,NLMは、周波数内のマクロセル（または本明細書で論じられるような同位置のマクロセル）のＣＰＩＣＨ  ＲＳＣＰを測定するために、ＮＬＭを使って計算される。マクロセルが検出されない場合は、パラメータＩｏmacro,NLMはＮ0に設定され得る。
【０２４４】
隣接チャネル（他のオペレータ）の保護の条件：  
別のワイヤレスネットワークオペレータに属する隣接チャネルに対して引き起こされる干渉を制限するために、３ＧＰＰ  ＴＳ  ２５．１０４のセクション６．４．６において、出力電力に対する追加の要件が与えられる。一般に、この要件は、ＣＰＩＣＨのＥｃとＩｏとの比較に基づく。パラメータＰfemto,temp2は、これらの要件によって規定されるような隣接チャネル保護の条件を考慮した、全体の送信電力として定義される。
【０２４５】
隣接チャネル（同じオペレータ）の保護の条件：  
同じオペレータ（たとえばフェムトセルのオペレータ）に属する隣接チャネルのマクロセルに対して引き起こされる干渉を制限するために、出力電力に対する追加の要件が以下で与えられる。  
隣接チャネル同一オペレータの条件が有効である場合：  
ＣＰＩＣＨ  ＲＳＣＰadjacentchannel［ｄＢｍ］は、フェムトセルにおいてＮＬＭによって測定される、隣接チャネル上の主要ＣＰＩＣＨ（最強のＰＳＣ）の符号出力である。
【０２４６】
（送信ダイバーシティが主要ＣＰＩＣＨに適用される場合、ＣＰＩＣＨ  Ｅｃは、各アンテナから送信された主要ＣＰＩＣＨの符号出力の［Ｗ］単位での和でなければならない。）。
【０２４７】
全体の送信電力の制限値は、以下のように与えられる：
【数３６】
0005571254.tif 000037
【０２４８】
Ｐfemto,min［ｄＢｍ］：全体のフェムトセル送信電力の許容される最小値  
Ｐfemto,max［ｄＢｍ］：全体のフェムトセル送信電力の許容される最大値  
Ｐfemto,temp3＝Ｐadjacentchannel,sameopを、隣接チャネル保護の条件を考慮した、全体の送信電力とする。
【０２４９】
フェムトセル送信電力は、これらの３つの基準のうちの最小値になるように選択される。
【数３７】
0005571254.tif 000038
【０２５０】
上記の手順は、ユニット（たとえば建物）中の各フェムトセルにおいて実行される。ユニット中にｎ個のフェムトセルがあるとすると、以下のようになる：
【数３８】
0005571254.tif 000039
【０２５１】
アルゴリズム（または技術者）は、計算された送信電力レベルの最大値を選ぶ：
【数３９】
0005571254.tif 000040
【０２５２】
次いで、フェムトセルの送信電力が、同じ電力Ｐinitへと初期化される。したがって、以下のようになる
【数４０】
0005571254.tif 000041
【０２５３】
これによって、すべてのフェムトセルが、初期のカバレッジを確実にするのに十分高い電力で送信していることと、２つのフェムトセルの間のハンドオーバーの境界が、各フェムトセルからのパスロスが等しくなるところにあることを確実にし、（技術者によって支援される電力調整ステップの後で）最終的な電力の不整合が低くなるのを確実にしようとする。次のステップは、技術者によって支援される電力調整である。
【０２５４】
技術者によって支援される電力調整  
技術者は、音声の呼を開始し、ユニット中を歩き回る。技術者がとるパスについて、以下の推奨が適用される。技術者の歩行は、カバレッジが必要なすべての領域から測定結果をレポートするために、網羅的かつ均一にユニットにわたるものでなければならない。技術者の歩行パスの全体にわたって、技術者は低速で歩行することが推奨される。より多くの測定レポートを得るために（たとえば、チャネル減衰による推定誤差を軽減するために）、技術者の歩行パス上で複数回の歩行が実行され得る。
【０２５５】
フェムトセルは、技術者のモバイル機器からレポートを収集し、フェムトセルがＣＰＩＣＨ  Ｅｃ／Ｉｏを最高位に順位付ける位置で、そのレポートを使用する。送信電力値が等しく、０ｄＢヒステリシス＋ＣＩＯなので、測定レポートメッセージ（ＭＲＭ）は、最も近いフェムトセル（たとえばパスロスが最小の）に送信される。受信される各々の測定レポートメッセージに対して、フェムトセルは、ＰＬとマクロセルＲＳＳＩとを抽出する。加えて、フェムトセルは、次のように送信電力値を計算する。
【０２５６】
各々の受信される測定レポートメッセージ（ｉ）について、カバレッジの条件が満たされる。このカバレッジの条件は、情報が測定レポートから取得されることを除いて、送信電力初期化について上で説明されたカバレッジの条件と同様の方式で、計算される。たとえば、各々の受信された測定レポートメッセージ（ｉ）について、パラメータＰfemto,tech,iは、パスロスＩｏmacro,tech,iとＸとに基づいて計算され、パラメータＩｏmacro,tech,iは、周波数内のマクロセル（または本明細書で論じられるような同位置のマクロセル）の、アクセス端末によって測定されたＣＰＩＣＨ  ＲＳＣＰを使うことによって、計算される。マクロセルが検出されない場合は、パラメータＩｏmacro,tech,iはＮ0に設定され得る。
【０２５７】
フェムトセルにおいて収集されるレポートがｍ個あるとすると、以下のようになる：
【数４１】
0005571254.tif 000042
【０２５８】
フェムトセルは、計算される送信電力レベルのｃｏｖＴｘｐｅｒパーセンタイルを選び、フェムトセルのダウンリンク送信電力レベルを、同一の電力へと初期化する。つまり、以下のようになる：
【数４２】
0005571254.tif 000043
【０２５９】
ここで、関数パーセンタイルは、Ｐfemto,techの値のｃｏｖＴｘｐｅｒパーセンタイルの値を計算し、Ｐfemto,temp2およびＰfemto,temp3は、同じオペレータおよび他のオペレータに対する隣接チャネル保護要件を考慮して全体の出力電力を計算することによって、得られる。
【０２６０】
ＳＭＡＲＴ手順が完了すると、フェムトセルは、ＰSMARTと示される全体の送信電力で、ダウンリンク上での送信を開始する。したがって、以下のようになる
【数４３】
0005571254.tif 000044
【０２６１】
技術者は、フェムトセル送信電力の精密な調整のために、ＳＭＡＲＴ手順を複数回実行することができる。
【０２６２】
図９は、本明細書で教示される送信電力制御関連の動作を実行するための（たとえば、それぞれ図１のアクセス端末１０２、アクセスポイント１０４、およびネットワークエンティティ１１２に対応する）アクセス端末９０２、アクセスポイント９０４、およびネットワークエンティティ９０６のようなノードに組み込まれ得る（対応するブロックによって表される）、いくつかの例示的なコンポーネントを示す。説明されるコンポーネントは、通信システム中の他のノードに組み込まれてもよい。たとえば、システム中の他のノードは、同様の機能を提供するために、アクセス端末９０２、アクセスポイント９０４、またはネットワークエンティティ９０６のうちの１つまたは複数に関して記載されたコンポーネントと同様のコンポーネントを含み得る。また、所与のノードは、記載されるコンポーネントのうちの１つまたは複数を含み得る。たとえば、アクセスポイントは、アクセスポイントが複数の搬送波で動作し、かつ／または異なる技術によって通信することを可能にする、複数の送受信機コンポーネントを含み得る。
【０２６３】
図９に示されるように、アクセス端末９０２およびアクセスポイント９０４は各々、他のノードと通信するための（それぞれ送受信機９０８と送受信機９１０とによって表される）１つまたは複数のワイヤレス送受信機を含む。各送受信機９０８は、信号（たとえば、メッセージ、測定レポート、指示、他の種類の情報など）を送信するための送信機９１２と、信号（たとえば、メッセージ、ＦＬ信号、パイロット信号、ハンドオーバーパラメータ、他の種類の情報など）を受信するための受信機９１４とを含む。同様に、各送受信機９１０は、信号（たとえば、メッセージ、要求、指示、ＦＬ信号、パイロット信号、ハンドオーバーパラメータ、他の種類の情報など）を送信するための送信機９１６と、信号（たとえば、メッセージ、測定レポート、送信電力値、他の種類の情報など）を受信するための受信機９１８とを含む。
【０２６４】
アクセスポイント９０４およびネットワークエンティティ９０６は各々、他のノード（たとえば、他のネットワークエンティティ）と通信するための（それぞれネットワークインターフェース９２０とネットワークインターフェース９２２とによって表される）１つまたは複数のネットワークインターフェースを含む。たとえば、ネットワークインターフェース９２０および９２２は、有線ベースの、またはワイヤレスの、バックホールもしくはバックボーンを介して、１つまたは複数のネットワークエンティティと通信するように構成され得る。いくつかの態様では、ネットワークインターフェース９２０および９２２は、有線ベースの通信またはワイヤレス通信（たとえば、メッセージ、測定レポート、指示、ハンドオーバーパラメータ、送信電力値、他の種類の情報などの送信および受信）をサポートするように構成された（たとえば、送信機コンポーネントおよび受信機コンポーネントを含む）送受信機として実装され得る。したがって、図９の例では、ネットワークインターフェース９２０は、信号を送信するための送信機９２４と、信号を受信するための受信機９２６とを備えるものとして示されている。同様に、ネットワークインターフェース９２２は、信号を送信するための送信機９２８と、信号を受信するための受信機９３０とを備えるものとして示されている。
【０２６５】
アクセス端末９０２、アクセスポイント９０４、およびネットワークエンティティ９０６は、本明細書で教示されるような電力制御関連の動作をサポートするのに使われ得る、他のコンポーネントも含む。たとえば、アクセス端末９０２は、送信電力の制御に関連する機能（たとえば、測定レポート情報の提供、再構成トリガ条件の識別、フェムトセルを再構成せよという指示の生成、測定レポートが受信されていないという判定、測定レポートが受信されているという判定）を実現し、他の処理機能を提供するための、処理システム９３２を含む。同様に、アクセスポイント９０４は、送信電力の制御に関連する機能（たとえば、送信電力の制御、第１のハンドオーバーヒステリシス値の定義、第２のハンドオーバーヒステリシス値の定義、少なくとも１つの送信電力値の決定、少なくとも１つのフェムトセルの構成、測定レポート情報の提供、再構成トリガ条件の識別、フェムトセルを再構成せよという指示の生成、測定レポートが受信されていないという判定、測定レポートが受信されているという判定、第２のマクロセルから受信された測定レポートに基づく第１の周波数でのフェムトセルの送信電力の制御、第１の送信電力レベルの決定、第２の送信電力レベルの決定、第３の送信電力レベルの決定、第１の送信電力レベル、第２の送信電力レベル、第３の送信電力レベルからの最小の送信電力レベルの選択、フェムトセルの送信電力の制御）を実現し、他の処理機能を提供するための、処理システム９３４を含む。ネットワークエンティティ９０６も、送信電力の制御に関連する機能（たとえば、処理システム９３４に関して上で説明されたような）を実現し、他の処理機能を提供するための、処理システム９３６を含む。アクセス端末９０２、アクセスポイント９０４、およびネットワークエンティティ９０６は、それぞれ、情報（たとえば、測定レポート情報、閾値、パラメータなど）を管理するための（たとえば、メモリデバイスを各々含む）メモリコンポーネント９３８と、９４０と、９４２とを含む。加えて、アクセス端末９０２、アクセスポイント９０４、およびネットワークエンティティ９０６は、ユーザに指示（たとえば、音声および／または視覚による指示）を与えるための、かつ／または、ユーザ入力（たとえば、キーパッド、タッチスクリーン、マイクロフォンなどのような感知デバイスをユーザが作動させることによる）を受信するための、ユーザインターフェースデバイス９４２、９４４、および９４６をそれぞれ含む。
【０２６６】
便宜的に、アクセス端末９０２およびアクセスポイント９０４は、本明細書で説明される様々な実施例において使用され得るコンポーネントを含むものとして、図９に示される。実際には、図示された各ブロックは、異なる実施態様においては異なる機能を有し得る。たとえば、処理システム９３２、９３４、および９３６は、異なるワイヤレス通信技術を利用する実装形態では、異なる動作をサポートするように構成される。
【０２６７】
図９のコンポーネントは、様々な方法で実施され得る。いくつかの実装形態では、図９のコンポーネントは、たとえば、１つまたは複数のプロセッサおよび／または（１つまたは複数のプロセッサを含み得る）１つまたは複数のＡＳＩＣのような、１つまたは複数の回路において実装され得る。ここで、各回路（たとえば、プロセッサ）は、この機能を与えるために回路によって使用される情報または実行コードを記憶するためのデータメモリを使用し、かつ／または組み込み得る。たとえば、ブロック９０８によって表される機能の一部、ならびにブロック９３２、９３８および９４２によって表される機能の一部またはすべては、アクセス端末の１つまたは複数のプロセッサとアクセス端末のデータメモリとによって（たとえば、適切なコードの実行によって、かつ／またはプロセッサコンポーネントの適切な構成によって）実装され得る。同様に、ブロック９１０によって表される機能の一部、ならびにブロック９２０、９３４、９４０および９４４によって表される機能の一部またはすべては、アクセスポイントの１つまたは複数のプロセッサとアクセスポイントのデータメモリとによって（たとえば、適切なコードの実行によって、かつ／またはプロセッサコンポーネントの適切な構成によって）実装され得る。また、ブロック９２２、９３６、９４２、および９４６によって表される機能の一部またはすべては、ネットワークエンティティの１つまたは複数のプロセッサとネットワークエンティティのデータメモリとによって（たとえば、適切なコードの実行によって、かつ／またはプロセッサコンポーネントの適切な構成によって）実装され得る。
【０２６８】
上で論じられたように、いくつかの態様では、本明細書の教示は、大規模なカバレッジ（たとえば、一般にマクロセルネットワークまたはＷＡＮと呼ばれる３Ｇネットワークなどの広域セルラーネットワーク）と、より小規模のカバレッジ（たとえば、一般にＬＡＮと呼ばれる住宅ベースまたは建物ベースのネットワーク環境）とを含むネットワークにおいて利用され得る。アクセス端末（ＡＴ）がそのようなネットワーク中を移動するとき、アクセス端末は、ある位置では、大規模なカバレッジを提供するアクセスポイントによってサービスされることがあり、他の位置では、より小規模のカバレッジを提供するアクセスポイントによってサービスされることがある。いくつかの態様では、よりカバレッジが小さなノードを使用して、容量の漸次的な増大と、屋内のカバレッジと、（たとえば、より堅牢なユーザ体験のための）様々なサービスとを実現することができる。
【０２６９】
本明細書の説明では、比較的広いエリアにカバレッジを提供するノード（たとえば、アクセスポイント）をマクロアクセスポイントと呼ぶことがあり、一方、比較的小さいエリア（たとえば、住居）にカバレッジを提供するノードをフェムトアクセスポイントと呼ぶことがある。本明細書の教示は、他のタイプのカバレッジエリアに関連付けられたノードに適用され得ることを、理解されたい。たとえば、ピコアクセスポイントは、マクロエリアよりも小さく、フェムトエリアよりも大きなエリアにわたってカバレッジ（たとえば、商業ビル内のカバレッジ）を提供することができる。様々な適用例において、マクロアクセスポイント、フェムトアクセスポイント、または他のアクセスポイントタイプのノードを指すために、他の用語を使用することがある。たとえば、マクロアクセスポイントを、アクセスノード、基地局、アクセスポイント、ｅＮｏｄｅＢ、マクロセルなどとして構成し、またはそのように呼ぶことがある。同様に、フェムトアクセスポイントを、Ｈｏｍｅ  ＮｏｄｅＢ、Ｈｏｍｅ  ｅＮｏｄｅＢ、アクセスポイント基地局、フェムトセルなどとして構成し、またはそのように呼ぶことがある。いくつかの実装態様では、ノードは１つまたは複数のセルまたはセクタに関連付けられ得る（たとえば、セルまたはセクタと呼ばれることがあり、もしくはセルまたはセクタに分割されることがある）。マクロアクセスポイント、フェムトアクセスポイント、またはピコアクセスポイントに関連付けられたセルまたはセクタは、それぞれ、マクロセル、フェムトセル、またはピコセルと呼ばれ得る。
【０２７０】
図１０は、本明細書の教示が実施され得る、複数のユーザをサポートするように構成されたワイヤレス通信システム１０００を示す。システム１０００は、たとえば、マクロセル１００２Ａ〜１００２Ｇのような、複数のセル１００２の通信を可能にし、各セルは、対応するアクセスポイント１００４（たとえば、アクセスポイント１００４Ａ〜１００４Ｇ）によってサービスされる。図１０に示すように、アクセス端末１００６（たとえば、アクセス端末１００６Ａ〜１００６Ｌ）は、時間とともにシステム全体にわたって様々な位置に分散し得る。各アクセス端末１００６は、たとえば、そのアクセス端末１００６がアクティブかどうか、そのアクセス端末１００６がソフトハンドオフに設定されているかどうかに応じて、所与の時点において、順方向リンク（ＦＬ）および／または逆方向リンク（ＲＬ）で１つまたは複数のアクセスポイント１００４と通信できる。ワイヤレス通信システム１０００は、広い地理的領域全体にサービスを提供できる。たとえば、マクロセル１００２Ａ〜１００２Ｇは、近隣の数ブロック、または農村環境では数マイルをカバーし得る。
【０２７１】
図１１は、１つまたは複数のフェムトアクセスポイントがネットワーク環境内に展開された、例示的な通信システム１１００を示す。具体的には、システム１１００は、比較的小規模のネットワーク環境（たとえば、１つまたは複数のユーザの住居１１３０）に設置された複数のフェムトアクセスポイント１１１０（たとえば、フェムトアクセスポイント１１１０Ａおよび１１１０Ｂ）を含む。各フェムトアクセスポイント１１１０は、ＤＳＬルータ、ケーブルモデム、ワイヤレスリンク、または他の接続手段（図示せず）を介してワイドエリアネットワーク１１４０（たとえば、インターネット）とモバイルオペレータのコアネットワーク１１５０とに結合され得る。以下に説明されるように、各フェムトアクセスポイント１１１０は、関連付けられたアクセス端末１１２０（たとえば、アクセス端末１１２０Ａ）と、オプションで他の（たとえば、ハイブリッドまたはエイリアン）アクセス端末１１２０（たとえば、アクセス端末１１２０Ｂ）をサービスするように構成され得る。言い換えると、フェムトアクセスポイント１１１０へのアクセスが制限され、それによって、所与のアクセス端末１１２０は、指定された（たとえば、ホーム）フェムトアクセスポイント１１１０のセットによってサービスされ得るが、指定されていないフェムトアクセスポイント１１１０（たとえば、近隣のフェムトアクセスポイント１１１０）によってはサービスされ得ない。
【０２７２】
図１２は、いくつかのトラッキングエリア１２０２（またはルーティングエリア、またはロケーションエリア）が定義されており、それぞれのエリアがいくつかのマクロカバレッジエリア１２０４を含む、カバレッジマップ１２００の一例を示す。ここで、トラッキングエリア１２０２Ａ、１２０２Ｂ、および１２０２Ｃに関連付けられたカバレッジのエリアは太線によって示され、マクロカバレッジエリア１２０４はより大きな六角形によって表される。トラッキングエリア１２０２は、フェムトカバレッジエリア１２０６も含む。この例では、フェムトカバレッジエリア１２０６（たとえば、フェムトカバレッジエリア１２０６Ｂおよび１２０６Ｃ）の各々は、１つまたは複数のマクロカバレッジエリア１２０４（たとえば、マクロカバレッジエリア１２０４Ａおよび１２０４Ｂ）内に示されている。ただし、フェムトカバレッジエリア１２０６の一部またはすべてが、マクロカバレッジエリア１２０４内になくてもよいことを理解されたい。実際には、所与のトラッキングエリア１２０２またはマクロカバレッジエリア１２０４内に、多数のフェムトカバレッジエリア１２０６（たとえば、フェムトカバレッジエリア１２０６Ａおよび１２０６Ｄ）を定義することができる。同様に、所与のトラッキングエリア１２０２またはマクロカバレッジエリア１２０４内に、１つまたは複数のピコカバレッジエリア（図示せず）を定義することができる。
【０２７３】
再び図１１を参照すると、フェムトアクセスポイント１１１０の所有者は、たとえばモバイルオペレータのコアネットワーク１１５０を介して提供される３Ｇモバイルサービスのような、モバイルサービスに加入できる。加えて、アクセス端末１１２０は、マクロ環境と、より小規模の（たとえば、住居内）ネットワーク環境の両方で動作可能であり得る。言い換えると、アクセス端末１１２０の現在地に応じて、アクセス端末１１２０は、モバイルオペレータのコアネットワーク１１５０に関連付けられたマクロセルのアクセスポイント１１６０によって、または、フェムトアクセスポイント１１１０のセット（たとえば、対応するユーザの住居１１３０内に存在するフェムトアクセスポイント１１１０Ａおよび１１１０Ｂ）のうちの任意の１つによって、サービスされ得る。たとえば、加入者は、自宅の外にいるときは標準のマクロアクセスポイント（たとえば、アクセスポイント１１６０）によってサービスされ、自宅の中にいるときはフェムトアクセスポイント（たとえば、アクセスポイント１１１０Ａ）によってサービスされる。ここで、フェムトアクセスポイント１１１０は、レガシーアクセス端末１１２０との後方互換性を有し得る。
【０２７４】
フェムトアクセスポイント１１１０は、単一周波数で展開されてもよく、あるいは、複数の周波数で展開されてもよい。具体的な構成に応じて、その単一の周波数、または複数の周波数のうちの１つもしくは複数は、マクロアクセスポイント（たとえば、アクセスポイント１１６０）によって使用される１つまたは複数の周波数と重なり得る。
【０２７５】
いくつかの態様では、アクセス端末１１２０は、好ましいフェムトアクセスポイント（たとえば、アクセス端末１１２０のホームフェムトアクセスポイント）との接続が可能な場合はいつでも、そのフェムトアクセスポイントに接続するように構成され得る。たとえば、アクセス端末１１２０Ａがユーザの住居１１３０内にある際にはいつでも、アクセス端末１１２０Ａは、ホームフェムトアクセスポイント１１１０Ａまたは１１１０Ｂとのみ通信することが望ましい場合がある。
【０２７６】
いくつかの態様では、アクセス端末１１２０がマクロセルラーネットワーク１１５０内で動作しているが、（たとえば、好適ローミングリスト中で定義されるような）その最も好適なネットワーク上に存在していない場合、アクセス端末１１２０は、ベターシステムリセレクション（ＢＳＲ：better system reselection）手順を使用して、最も好適なネットワーク（たとえば、好適なフェムトアクセスポイント１１１０）を探索し続けることができ、ＢＳＲ手順は、利用可能なシステムを定期的にスキャニングして、より良好なシステムが現在利用可能であるかどうかを判定し、その後、そのような好適なシステムを捕捉することを含み得る。アクセス端末１１２０は、特定の帯域およびチャネルの探索を制限することができる。たとえば、ある領域中のすべてのフェムトアクセスポイント（またはすべての制限付きフェムトアクセスポイント）がその上で動作する、１つまたは複数のフェムトチャネルを定義することができる。最も好適なシステムの探索は、定期的に繰り返すことができる。好ましいフェムトアクセスポイント１１１０を発見すると、アクセス端末１１２０は、フェムトアクセスポイント１１１０を選択し、そのフェムトアクセスポイント１１１０のカバレッジエリア内にあるときに使用するために、フェムトアクセスポイント１１１０に登録する。
【０２７７】
いくつかの態様では、フェムトアクセスポイントへのアクセスが制限され得る。たとえば、所与のフェムトアクセスポイントは、いくつかのサービスをいくつかのアクセス端末のみに提供することができる。いわゆる限定された（すなわち、閉鎖型）アクセスによる展開において、所与のアクセス端末には、マクロセルのモバイルネットワークと、フェムトアクセスポイントの定義されたセット（たとえば、対応するユーザの住居１１３０内に存在するフェムトアクセスポイント１１１０）とによってのみ、サービスされ得る。いくつかの実装形態では、アクセスポイントは、少なくとも１つのノード（たとえば、アクセス端末）に対して、シグナリング、データアクセス、登録、ページング、またはサービスのうちの少なくとも１つを提供しないように制限され得る。
【０２７８】
いくつかの態様では、制限付きフェムトアクセスポイント（限定加入者グループＨｏｍｅ  ＮｏｄｅＢとも呼ばれ得る）は、アクセス端末の限定されプロビジョニングされたセットにサービスする、フェムトアクセスポイントである。このセットは、必要に応じて、一時的にまたは永続的に拡大され得る。いくつかの態様では、限定加入者グループ（ＣＳＧ）は、アクセス端末の共通のアクセス制御リストを共有するアクセスポイント（たとえば、フェムトアクセスポイント）のセットとして定義され得る。
【０２７９】
したがって、所与のフェムトアクセスポイントと所与のアクセス端末との間には様々な関係が存在し得る。たとえば、アクセス端末の観点から、公開フェムトアクセスポイントは、無制限のアクセスをもつフェムトアクセスポイントを指すことがある（たとえば、そのフェムトアクセスポイントはすべてのアクセス端末にアクセスを許可する）。制限付きフェムトアクセスポイントは、何らかの形で制限された（たとえば、アクセスおよび／または登録について制限された）フェムトアクセスポイントを指し得る。ホームフェムトアクセスポイントは、アクセス端末がアクセスし、そこで動作することを許可される（たとえば、永続的なアクセスが、１つまたは複数のアクセス端末の定義されたセットに与えられる）フェムトアクセスポイントを指し得る。ハイブリッド（またはゲスト）フェムトアクセスポイントは、異なるアクセス端末が異なるレベルのサービスを提供される（たとえば、一部のアクセス端末は、部分的なアクセスおよび／または一時的アクセスが許可され得るが、他のアクセス端末は完全なアクセスが許可され得る）フェムトアクセスポイントを指し得る。外来フェムトアクセスポイントは、おそらく非常事態（たとえば、９１１番）を除いて、アクセス端末がアクセスし、またはそこで動作することを許可されないフェムトアクセスポイントを指し得る。
【０２８０】
制限付きフェムトアクセスポイントの観点からすると、ホームアクセス端末は、そのアクセス端末の所有者の住居に設置された制限付きフェムトアクセスポイントにアクセスすることが許可されたアクセス端末を指し得る（通常、ホームアクセス端末はそのフェムトアクセスポイントへの永続的なアクセス権を有する）。ゲストアクセス端末は、（たとえば、最終期限、使用時間、バイト、接続回数、または何らかの他の１つまたは複数の基準に基づいて制限された）制限付きフェムトアクセスポイントへの一時的アクセス権を有するアクセス端末を指し得る。外来アクセス端末は、たとえば、おそらく９１１番などの非常事態を除いて、制限付きフェムトアクセスポイントにアクセスする許可を有さないアクセス端末（たとえば、制限付きフェムトアクセスポイントに登録するための証明書または許可を有さないアクセス端末）を指し得る。
【０２８１】
便宜的に、本明細書の開示は、フェムトアクセスポイントに関して様々な機能を説明する。ただし、ピコアクセスポイントは、同じまたは同様の機能をより大きなカバレッジエリアに与えることができることを理解されたい。たとえば、所与のアクセス端末に対して、ピコアクセスポイントを制限すること、ホームピコアクセスポイントを定義することなどが可能である。
【０２８２】
本明細書の教示は、複数のワイヤレスアクセス端末のための通信を同時にサポートするワイヤレス多元接続通信システムにおいて採用され得る。ここで、各端末は、順方向リンクおよび逆方向リンク上の送信を介して、１つまたは複数のアクセスポイントと通信することができる。順方向リンク（すなわち、ダウンリンク）は、アクセスポイントから端末への通信リンクを指し、逆方向リンク（すなわち、アップリンク）は、端末からアクセスポイントへの通信リンクを指す。この通信リンクは、単入力単出力システム、多入力多出力（ＭＩＭＯ）システム、または何らかの他のタイプのシステムを介して確立され得る。
【０２８３】
ＭＩＭＯシステムは、データ伝送に複数の（ＮT個の）送信アンテナと複数の（ＮR個の）受信アンテナとを利用する。ＮT個の送信アンテナとＮR個の受信アンテナとによって形成されるＭＩＭＯチャネルは、空間チャネルとも呼ばれるＮS個の独立チャネルに分解され得る（ここでＮS  ≦  ｍｉｎ｛ＮT，  ＮR｝である）。ＮS個の独立チャネルの各々が、１つの次元に対応する。複数の送信アンテナおよび受信アンテナによって生成された追加の次元数が利用された場合、ＭＩＭＯシステムは改善された性能（たとえば、より高いスループットおよび／またはより高い信頼性）を実現することができる。
【０２８４】
ＭＩＭＯシステムは、時分割複信（ＴＤＤ）と周波数分割複信（ＦＤＤ）とをサポートすることができる。ＴＤＤシステムでは、順方向リンク送信と逆方向リンク送信とが同じ周波数領域上で行われるので、相互関係の原理により逆方向リンクチャネルからの順方向リンクチャネルの推定が可能である。これにより、アクセスポイントで複数のアンテナが使用可能な場合、アクセスポイントは順方向リンクで送信ビーム形成利得を抽出できるようになる。
【０２８５】
図１３は、例示的なＭＩＭＯシステム１３００のワイヤレスデバイス１３１０（たとえば、アクセスポイント）と、ワイヤレスデバイス１３５０（たとえば、アクセス端末）とを示す。デバイス１３１０において、いくつかのデータストリームのトラフィックデータが、データソース１３１２から送信（ＴＸ）データプロセッサ１３１４に供給される。次いで、各データストリームは、それぞれの送信アンテナを介して送信され得る。
【０２８６】
ＴＸデータプロセッサ１３１４は、データストリーム用に選択された特定の符号化方式に基づいて、各データストリームに対するトラフィックデータをフォーマットし、符号化し、インターリーブして、符号化データを与える。各データストリームの符号化データは、ＯＦＤＭ技法を使用してパイロットデータと多重化され得る。パイロットデータは、通常は、知られている方法で処理されチャネル応答を推定するために受信機システムにおいて使用され得る、既知のデータパターンである。次いで、各データストリームの多重化されたパイロットデータおよび符号化データは、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）されて、変調シンボルを与える。各データストリームのデータレート、符号化、および変調は、プロセッサ１３３０によって実行される命令によって決定され得る。データメモリ１３３２は、プロセッサ１３３０またはデバイス１３１０の他のコンポーネントによって使用される、プログラムコードと、データと、他の情報とを記憶し得る。
【０２８７】
次いで、すべてのデータストリームの変調シンボルがＴＸ  ＭＩＭＯプロセッサ１３２０に供給され、ＴＸ  ＭＩＭＯプロセッサ１３２０はさらに（たとえば、ＯＦＤＭの）変調シンボルを処理し得る。ＴＸ  ＭＩＭＯプロセッサ１３２０は、次いで、ＮT個の変調シンボルストリームを、ＮT個のトランシーバ（ＸＣＶＲ）１３２２Ａ〜１３２２Ｔに供給する。いくつかの態様では、ＴＸ  ＭＩＭＯプロセッサ１３２０は、データストリームのシンボルと、シンボルの送信元のアンテナとにビームフォーミング重みを付加する。
【０２８８】
各送受信機１３２２は、それぞれのシンボルストリームを受信し、処理して１つまたは複数のアナログ信号を与え、そのアナログ信号をさらに調整して（たとえば、増幅し、フィルタリングし、アップコンバートして）ＭＩＭＯチャネルを介した送信に適した変調信号を与える。次いで、送受信機１３２２Ａ〜１３２２ＴからのＮT個の変調信号が、それぞれＮT個のアンテナ１３２４Ａ〜１３２４Ｔから送信される。
【０２８９】
デバイス１３５０において、送信された変調信号はNR個のアンテナ１３５２Ａ〜１３５２Ｒによって受信され、各アンテナ１３５２からの受信信号は、それぞれの送受信機（ＸＣＶＲ）１３５４Ａ〜１３５４Ｒに供給される。各送受信機１３５４は、それぞれの受信信号を調整して（たとえば、フィルタリングし、増幅し、ダウンコンバートして）、調整された信号をデジタル化して、サンプルを与え、さらにそれらのサンプルを処理して、対応する「受信」シンボルストリームを与える。
【０２９０】
次いで、受信（ＲＸ）データプロセッサ１３６０は、特定の受信機処理技法に基づいてＮR個の送受信機１３５４からＮR個の受信シンボルストリームを受信し、処理して、ＮT個の「検出」シンボルストリームを与える。次いで、ＲＸデータプロセッサ１３６０は、各検出シンボルストリームを復調し、デインターリーブし、復号して、データストリームのトラフィックデータを復元する。ＲＸデータプロセッサ１３６０による処理は、デバイス１３１０におけるＴＸ  ＭＩＭＯプロセッサ１３２０およびＴＸデータプロセッサ１３１４によって実行される処理を補完するものである。
【０２９１】
プロセッサ１３７０は、どのプリコーディング行列（以下で論じる）を使用すべきかを定期的に判定する。プロセッサ１３７０は、行列インデックス部分とランク値部分とを備える逆方向リンクメッセージを作成する。データメモリ１３７２は、プロセッサ１３７０またはデバイス１３５０の他のコンポーネントによって使用される、プログラムコードと、データと、他の情報とを記憶し得る。
【０２９２】
逆方向リンクメッセージは、通信リンクおよび／または受信データストリームに関する様々な種類の情報を備え得る。次いで、逆方向リンクメッセージは、データソース１３３６からいくつかのデータストリームのトラフィックデータも受信するＴＸデータプロセッサ１３３８によって処理され、変調器１３８０によって変調され、送受信機１３５４Ａ〜１３５４Ｒによって調整され、デバイス１３１０に戻される。
【０２９３】
デバイス１３１０において、デバイス１３５０からの変調信号は、アンテナ１３２４によって受信され、送受信機１３２２によって調整され、復調器（ＤＥＭＯＤ）１３４０によって復調され、ＲＸデータプロセッサ１３４２によって処理されて、デバイス１３５０によって送信された逆方向リンクメッセージを抽出する。次いで、プロセッサ１３３０は、ビームフォーミング重みを決定するためにどのプリコーディング行列を使用すべきかを判定し、次いで、抽出されたメッセージを処理する。
【０２９４】
図１３はまた、通信コンポーネントが、本明細書で教示されるような送信電力制御動作を実行する、１つまたは複数のコンポーネントを含み得ることを示す。たとえば、送信電力制御コンポーネント１３９０は、デバイス１３１０のプロセッサ１３３０および／または他のコンポーネントと協働して、本明細書で教示されるような、デバイス１３１０および／または少なくとも１つの他のデバイスによる送信（たとえば、デバイス１３５０などの別のデバイスへの送信）のための送信電力を制御することができる。また、送信電力制御コンポーネント１３９２は、プロセッサ１３７０および／またはデバイス１３５０の他のコンポーネントと協働して、本明細書で教示されるような送信電力制御動作（たとえば、デバイス１３１０および／または他のデバイスによる送信のための）を支援することができる。各デバイス１３１０および１３５０について、説明されるコンポーネントのうちの２つ以上の機能が、単一のコンポーネントによって提供されてもよいことを理解されたい。たとえば、単一の処理コンポーネントが、送信電力制御コンポーネント１３９０およびプロセッサ１３３０の機能を提供することができる。同様に、単一の処理コンポーネントが、送信電力制御コンポーネント１３９２およびプロセッサ１３７０の機能を提供することができる。
【０２９５】
本明細書の教示は、様々なタイプの通信システムおよび／またはシステムコンポーネントに組み込むことができる。いくつかの態様では、本明細書の教示は、利用可能なシステムリソースを共有することによって（たとえば、帯域幅、送信電力、符号化、インターリーブなどのうちの１つまたは複数を規定することによって）、複数のユーザとの通信をサポートすることが可能な多元接続システムにおいて利用され得る。たとえば、本明細書の教示は、符号分割多元接続（ＣＤＭＡ）システム、多重キャリアＣＤＭＡ（ＭＣＣＤＭＡ）、広帯域ＣＤＭＡ（Ｗ−ＣＤＭＡ）、高速パケットアクセス（ＨＳＰＡ、ＨＳＰＡ＋）システム、時分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術のうちの、いずれか１つまたは組合せに適用され得る。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計され得る。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、または何らかの他の技術などの無線技術を実装することができる。ＵＴＲＡは、Ｗ−ＣＤＭＡおよびＬｏｗ  Ｃｈｉｐ  Ｒａｔｅ（ＬＣＲ）を含む。ｃｄｍａ２０００技術は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。本明細書の教示は、３ＧＰＰ  Ｌｏｎｇ  Ｔｅｒｍ  Ｅｖｏｌｕｔｉｏｎ（ＬＴＥ）システム、Ｕｌｔｒａ  Ｍｏｂｉｌｅ  Ｂｒｏａｄｂａｎｄ（ＵＭＢ）システム、および他のタイプのシステムで実装され得る。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と称する団体からの文書に記載されており、ｃｄｍａ２０００は、「第３世代パートナーシッププロジェクト２」（３ＧＰＰ２）と称する団体からの文書に記載されている。本開示のいくつかの態様は、３ＧＰＰの用語を使用して説明されることがあるが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  Ｒｅｌ０、ＲｅｖＡ、ＲｅｖＢ）技術および他の技術に適用され得ることを理解されたい。
【０２９６】
本明細書の教示は、様々な装置（たとえば、ノード）に組み込む（たとえば、装置内に実装する、または装置によって実行する）ことができる。いくつかの態様では、本明細書の教示に従って実装されるノード（たとえば、ワイヤレスノード）は、アクセスポイントまたはアクセス端末を備え得る。
【０２９７】
たとえば、アクセス端末は、ユーザ機器、加入者局、加入者ユニット、移動局、モバイル機器、モバイルノード、リモート局、リモート端末、ユーザ端末、ユーザエージェント、ユーザデバイス、もしくは何らかの他の用語を備えてよく、それらのいずれかとして実装されてよく、またはそれらのいずれかとして知られ得る。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備え得る。したがって、本明細書で教示される１つまたは複数の態様は、電話（たとえば、セルラー電話もしくはスマートフォン）、コンピュータ（たとえば、ラップトップ）、携帯型通信デバイス、携帯型コンピューティングデバイス（たとえば、個人情報端末）、娯楽デバイス（たとえば、音楽デバイス、ビデオデバイス、もしくは衛星ラジオ）、全地球測位システムデバイス、または、ワイヤレス媒体を介して通信するように構成された他の好適なデバイスに組み込まれ得る。
【０２９８】
アクセスポイントは、ＮｏｄｅＢ、ｅＮｏｄｅＢ、無線ネットワーク制御装置（ＲＮＣ）、基地局（ＢＳ）、無線基地局（ＲＢＳ）、基地局制御装置（ＢＳＣ）、ベーストランシーバ基地局（ＢＴＳ）、送受信機機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または何らかの他の類似の用語を備えてよく、それらのいずれかとして実装されてよく、またはそれらのいずれかとして知られ得る。
【０２９９】
いくつかの態様では、ノード（たとえば、アクセスポイント）は、通信システムのためのアクセスノードを備え得る。そのようなアクセスノードは、たとえば、ネットワークへの有線またはワイヤレス通信リンクを介した、ネットワーク（たとえば、インターネットまたはセルラーネットワークなどワイドエリアネットワーク）のための、またはネットワークへの接続性を与えることができる。したがって、アクセスノードは、別のノード（たとえば、アクセス端末）が、ネットワークまたは何らかの他の機能にアクセスできるようにし得る。さらに、上記のノードの一方または双方がポータブルであってもよく、または場合によっては比較的ポータブルでなくてもよいことを理解されたい。
【０３００】
また、ワイヤレスノードは、非ワイヤレス方式で（たとえば、有線接続を介して）情報を送信および／または受信できることを理解されたい。したがって、本明細書で論じられる受信機および送信機は、非ワイヤレス媒体を介して通信するための適切な通信インターフェースコンポーネント（たとえば、電子的または光学的インターフェースコンポーネント）を含み得る。
【０３０１】
ワイヤレスノードは、任意の適切なワイヤレス通信技術に基づく、またはそれをサポートする、１つまたは複数のワイヤレス通信リンクを介して通信することができる。たとえば、いくつかの態様では、ワイヤレスノードはネットワークに加わることができる。いくつかの態様では、ネットワークはローカルエリアネットワークまたはワイドエリアネットワークを備え得る。ワイヤレスデバイスは、本明細書で論じられる様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数を、サポートまたは使用することができる。同様に、ワイヤレスノードは、様々な対応する変調方式または多重化方式のうちの１つまたは複数を、サポートまたは使用することができる。したがって、ワイヤレスノードは、上記または他のワイヤレス通信技術を使用して１つまたは複数のワイヤレス通信リンクを確立し、それを介して通信するために適切なコンポーネント（たとえば、エアインターフェース）を含み得る。たとえば、ワイヤレスノードは、ワイヤレス媒体を通じて通信を可能にする様々なコンポーネント（たとえば、信号発生器および信号処理器）を含み得る、関連する送信機コンポーネントと受信機コンポーネントとを有する、ワイヤレス送受信機を備え得る。
【０３０２】
（たとえば、添付の図の１つまたは複数に関して）本明細書で説明された機能は、いくつかの態様では、添付の特許請求の範囲において同様に指定された「手段」機能に対応し得る。図１４、図１５、図１６、および図１７を参照すると、装置１４００、１５００、１６００、および１７００は、一連の相互に関連する機能モジュールとして表される。ここで、測定レポートを受信するためのモジュール１４０２は、少なくともいくつかの態様では、たとえば、本明細書で説明する受信機に対応し得る。送信電力を制御するためのモジュール１４０４は、少なくともいくつかの態様では、たとえば、本明細書で説明する処理システムに対応し得る。ハンドオーバーヒステリシス値を定義するためのモジュール１４０６は、少なくともいくつかの態様では、たとえば、本明細書で説明する処理システムに対応し得る。送信電力値を受信するためのモジュール１４０８は、少なくともいくつかの態様では、たとえば、本明細書で説明する受信機に対応し得る。少なくとも１つの送信電力値を決定するためのモジュール１４１０は、少なくともいくつかの態様では、たとえば、本明細書で説明する処理システムに対応し得る。少なくとも１つのフェムトセルを構成するためのモジュール１４１２は、少なくともいくつかの態様では、たとえば、本明細書で説明する処理システムに対応し得る。測定レポート情報を提供するためのモジュール１４１４は、少なくともいくつかの態様では、たとえば、本明細書で説明する処理システムに対応し得る。情報を受信するためのモジュール１５０２は、少なくともいくつかの態様では、たとえば、本明細書で説明する受信機に対応し得る。再構成トリガ条件を識別するためのモジュール１５０４は、少なくともいくつかの態様では、たとえば、本明細書で説明する処理システムに対応し得る。フェムトセルを再構成せよという指示を生成するためのモジュール１５０６は、少なくともいくつかの態様では、たとえば、本明細書で説明する処理システムに対応し得る。測定レポートが第１のマクロセルから受信されていないと判定するためのモジュール１６０２は、少なくともいくつかの態様では、たとえば、本明細書で説明する処理システムに対応し得る。測定レポートが第２のマクロセルから受信されていないと判定するためのモジュール１６０４は、少なくともいくつかの態様では、たとえば、本明細書で説明する処理システムに対応し得る。フェムトセルの送信電力を制御するためのモジュール１６０６は、少なくともいくつかの態様では、たとえば、本明細書で説明する処理システムに対応し得る。第１の送信電力レベルを決定するためのモジュール１７０２は、少なくともいくつかの態様では、たとえば、本明細書で説明する処理システムに対応し得る。第２の送信電力レベルを決定するためのモジュール１７０４は、少なくともいくつかの態様では、たとえば、本明細書で説明する処理システムに対応し得る。第３の送信電力レベルを決定するためのモジュール１７０６は、少なくともいくつかの態様では、たとえば、本明細書で説明する処理システムに対応し得る。最小の送信電力レベルを選択するためのモジュール１７０８は、少なくともいくつかの態様では、たとえば、本明細書で説明する処理システムに対応し得る。フェムトセルの送信電力を制御するためのモジュール１７１０は、少なくともいくつかの態様では、たとえば、本明細書で説明する処理システムに対応し得る。
【０３０３】
図１４、図１５、図１６、および図１７のモジュールの機能は、本明細書の教示に一致する様々な方法で実装され得る。いくつかの態様では、これらのモジュールの機能は、１つまたは複数の電気的コンポーネントとして実装され得る。いくつかの態様では、これらのブロックの機能は、１つまたは複数のプロセッサコンポーネントを含む処理システムとして実装され得る。いくつかの態様では、これらのモジュールの機能は、たとえば、１つまたは複数の集積回路（たとえば、ＡＳＩＣ）の少なくとも一部を使用して実装され得る。本明細書で論じるように、集積回路は、プロセッサ、ソフトウェア、他の関連するコンポーネント、またはそれらの何らかの組合せを含み得る。これらのモジュールの機能は、本明細書で教示される方法とは別の何らかの方法でも実装され得る。いくつかの態様では、図１４、図１５、図１６、および図１７中の任意の破線ブロックのうちの１つまたは複数はオプションである。
【０３０４】
本明細書における「第１」、「第２」などの名称を使用した要素へのあらゆる言及は、それらの要素の数量または順序を全般に限定するものでないことを理解されたい。むしろ、これらの呼称は、本明細書において２つ以上の要素またはある要素の複数の例を区別する便利な方法として使用され得る。したがって、第１および第２の要素への言及は、そこで２つの要素のみが使用できること、または第１の要素が何らかの方法で第２の要素に先行しなければならないことを意味するものではない。また、別段の規定がない限り、要素のセットは１つまたは複数の要素を備え得る。さらに、説明または特許請求の範囲で使用される「Ａ、Ｂ、またはＣの少なくとも１つ」または「Ａ、Ｂ、またはＣのうちの１つまたは複数」または「Ａ、Ｂ、およびＣからなるグループの少なくとも１つ」という形式の用語法は、「ＡまたはＢまたはＣまたはそれら要素の任意の組合せ」を意味する。
【０３０５】
情報および信号は様々な異なる技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光子、またはそれらの任意の組合せによって表され得る。
【０３０６】
さらに、本明細書で開示された態様に関して説明された様々な例示的な論理ブロック、モジュール、プロセッサ、手段、回路、およびアルゴリズムステップのいずれかは、電子ハードウェア（たとえば、ソースコーディングまたは何らかの他の技法を使用して設計できる、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、または両方の組合せとして実装できることを当業者は理解されよう。ハードウェアとソフトウェアのこの互換性を明確に示すために、様々な例示的なコンポーネント、ブロック、モジュール、回路、およびステップを、上記では概してそれらの機能に関して説明した。そのような機能をハードウェアとして実装するか、ソフトウェアとして実装するかは、具体的な適用例および全体的なシステムに課される設計制約に依存する。当業者は、説明した機能を具体的な適用例ごとに様々な方法で実装することができるが、そのような実装の決定は、本開示の範囲からの逸脱を生じるものと解釈すべきではない。
【０３０７】
本明細書で開示した態様に関して説明した様々な例示的な論理ブロック、モジュール、および回路は、集積回路（ＩＣ）、アクセス端末、またはアクセスポイント内で実装され得るか、またはそれらによって実行され得る。ＩＣは、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲート回路もしくはトランジスタ論理回路、個別ハードウェアコンポーネント、電子的コンポーネント、光学的コンポーネント、機械的コンポーネント、または本明細書で説明する機能を実行するように設計されたそれらの任意の組合せを備えることができ、ＩＣの内部に、ＩＣの外側に、またはその両方に存在するコードまたは命令を実行することができる。汎用プロセッサはマイクロプロセッサであってよいが、代替として、プロセッサは、任意の従来のプロセッサ、コントローラ、マイクロコントローラ、または状態機械であってよい。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０３０８】
任意の開示されたプロセス中のステップの特定の順序または階層は、例示的な手法の一例であることを理解されたい。設計の選好に基づいて、プロセス中のステップの特定の順序または階層は、本開示の範囲内のまま再構成できることを理解されたい。添付の方法クレームは、様々なステップの要素を例示的な順序で提示したものであり、提示された特定の順序または階層に限定されるものではない。
【０３０９】
１つまたは複数の例示的な実施形態では、説明された機能は、ハードウェア、ソフトウェア、ファームウェア、またはそれらの任意の組合せで実装され得る。ソフトウェアで実装される場合、機能を、１つまたは複数の命令またはコードとしてコンピュータ可読媒体上に記憶するか、またはコンピュータ可読媒体を介して送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体でよい。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、または、命令もしくはデータ構造の形態の所望のプログラムコードを搬送または記憶するために使用できコンピュータによってアクセスされ得る任意の他の媒体を、備え得る。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含めるべきである。コンピュータ可読媒体は、任意の好適なコンピュータプログラム製品に実装され得ることを理解されたい。
【０３１０】
本明細書で使用する「決定（ｄｅｔｅｒｍｉｎｉｎｇ）」という用語は、多種多様な動作を包含する。たとえば、「決定」は、計算、算出、処理、導出、調査、探索（たとえば、テーブル、データベース、または別のデータ構造の中の探索）、確認などを含み得る。また、「決定」は、受信（たとえば、情報を受信すること）、アクセス（たとえば、メモリ中のデータにアクセスすること）などを含み得る。また、「決定」は、解決、選択、選出、確立などを含み得る。
【０３１１】
開示された態様の前述の説明は、当業者が本開示を実施または使用できるようにするために提供されるものである。これらの態様への様々な変更は当業者には容易に明らかになり、本明細書で定義された包括的な原理は本開示の範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に、本願出願の当初の特許請求の範囲に記載された発明を付記する。
［Ｃ１］
フェムトセルのネットワークのためのトレーニング歩行較正手順を実行するアクセス端末から測定レポートを受信するように構成される受信機と、ここで、前記測定レポートは、前記アクセス端末の複数の位置に関連付けられる、
前記受信した測定レポートに基づいて前記フェムトセルのうちの少なくとも１つの送信電力を制御するように構成される処理システムと
を備え、前記送信電力は、前記少なくとも１つの位置での少なくとも１つの基準を満たすように制御される、
通信装置。
［Ｃ２］
前記少なくとも１つの基準は、ハンドオーバーの基準、ＳＮＲの基準、マクロセル保護の基準、パイロット信号品質の基準、または隣接チャネル保護の基準を備える、
［Ｃ１］に記載の装置。
［Ｃ３］
前記少なくとも１つの基準は、ハンドオーバーの基準およびＳＮＲの基準を備える、
［Ｃ１］に記載の装置。
［Ｃ４］
前記少なくとも１つの基準は、マクロセル保護の基準およびＳＮＲの基準を備える、
［Ｃ１］に記載の装置。
［Ｃ５］
前記少なくとも１つの基準は、パイロット信号品質の基準および隣接チャネル保護の基準を備える、
［Ｃ１］に記載の装置。
［Ｃ６］
前記測定レポートは、第１のワイヤレス通信技術を使用して受信され、
前記制御される送信電力は、前記第１のワイヤレス通信技術とは異なる第２の技術のためのものである、
［Ｃ１］に記載の装置。
［Ｃ７］
前記測定レポートは、少なくとも１つの周波数上で測定された情報を含み、
前記送信電力は、前記少なくとも１つの周波数上で制御さえる、
［Ｃ１］に記載の装置。
［Ｃ８］
前記処理システムは、
前記トレーニング歩行較正手順の間に、ハンドオーバー決定のための第１のハンドオーバーヒステリシス値を定義し、
前記トレーニング歩行較正手順が完了した後に、ハンドオーバー決定のための第２のハンドオーバーヒステリシス値を定義する
ようにさらに構成され、前記第２のハンドオーバーヒステリシス値は、前記第１のハンドオーバーヒステリシス値とは異なる、
［Ｃ１］に記載の装置。
［Ｃ９］
前記第１のハンドオーバーヒステリシス値は、約０である、
［Ｃ８］に記載の装置。
［Ｃ１０］
前記第１のハンドオーバーヒステリシス値は、前記トレーニング歩行較正手順の間に、前記アクセス端末が、各測定レポートを、前記測定レポートの中の最強の受信信号値に関連するフェムトセルへ送信するように、定義される、
［Ｃ８］に記載の装置。
［Ｃ１１］
前記受信機は、アクセスポイント信号のモニタに基づいて前記フェムトセルによって決定された送信電力値を受信するようにさらに構成され、
前記処理システムは、前記受信された送信電力値に基づいて前記少なくとも１つのフェムトセルのための少なくとも１つの送信電力値を決定するようにさらに構成され、
前記処理システムは、前記トレーニング歩行較正手順の間に前記決定された少なくとも１つの送信電力値を使用するように前記少なくとも１つのフェムトセルを構成するさらに構成される、
［Ｃ１］に記載の装置。
［Ｃ１２］
前記少なくとも１つの送信電力値は、単一の送信電力値を備え、
前記単一の送信電力値の決定は、前記受信され送信電力値のうちの最大値を選択することを備える、
［Ｃ１１］に記載の装置。
［Ｃ１３］
前記少なくとも１つのフェムトセルの前記構成は、前記フェムトセルのすべてを構成することを備える、
［Ｃ１１］に記載の装置。
［Ｃ１４］
前記少なくとも１つの送信電力値の前記決定は、
前記フェムトセルの各々のための別個の送信電力値を決定することと、
前記受信された送信電力値に適用される上限に基づいて前記フェムトセルのための前記別個の送信電力値を制限することと
備える、［Ｃ１１］に記載の装置。
［Ｃ１５］
前記処理システムは、前記フェムトセルうちの第１のフェムトセルよりも高い受信信号品質と関連付けられるものとして前記フェムトセルのうちの第２のフェムトセルを特定する任意の測定レポートを取り除くように、前記受信された測定レポートをフィルタリングすることによって前記フェムトセルのうちの前記第１のフェムトセルのための測定レポート情報を提供するようにさらに構成され、
前記送信電力の前記制御は、前記フィルタされた測定レポートに基づくものである、
［Ｃ１］に記載の装置。
［Ｃ１６］
前記信号品質は、Ｅｃｐ／Ｉｏを備える、
［Ｃ１５］に記載の装置。
［Ｃ１７］
前記少なくとも１つのフェムトセルは、前記フェムトセルのネットワークのうちの１つのフェムトセルを備え、
前記測定レポートは、前記１つのフェムトセルによって受信される、
［Ｃ１］に記載の装置。
［Ｃ１８］
前記少なくとも１つのフェムトセルは、前記フェムトセルのネットワークのすべてのフェムトセルを備え、
前記測定レポートは、前記フェムトセルのすべてを介するネットワークエンティティによって受信される、
［Ｃ１］に記載の装置。
［Ｃ１９］
前記少なくとも１つのフェムトセルは、前記ネットワークのフェムトセルのうちのすべてのフェムトセルを備え、
前記測定レポートの第１のサブセットは、前記フェムトセルのうちの１つの受信機によって受信され、
前記測定レポートの第２のサブセットは、前記フェムトセルのネットワークのうちの他のすべてのフェムトセルを介する前記１つのフェムトセルによって受信される、
［Ｃ１］に記載の装置。
［Ｃ２０］
フェムトセルのネットワークのためのトレーニング歩行較正手順を実行するアクセス端末から測定レポートを受信することと、ここで、前記測定レポートは、前記アクセス端末の複数の位置に関連付けられる、
前記受信した測定レポートに基づいて前記フェムトセルのうちの少なくとも１つの送信電力を制御することと
を備え、前記送信電力は、前記少なくとも１つの位置での少なくとも１つの基準を満たすように制御される、
電力制御の方法。
［Ｃ２１］
前記少なくとも１つの基準は、ハンドオーバーの基準およびＳＮＲの基準を備える、
［Ｃ２０］に記載の方法。
［Ｃ２２］
前記少なくとも１つの基準は、マクロセル保護の基準およびＳＮＲの基準を備える、
［Ｃ２０］に記載の方法。
［Ｃ２３］
前記少なくとも１つの基準は、パイロット信号品質の基準および隣接チャネル保護の基準を備える、
［Ｃ２０］に記載の方法。
［Ｃ２４］
前記トレーニング歩行較正手順の間に、ハンドオーバー決定のための第１のハンドオーバーヒステリシス値を定義することと、
前記トレーニング歩行較正手順が完了した後に、ハンドオーバー決定のための第２のハンドオーバーヒステリシス値を定義することと、
をさらに備え、前記第２のハンドオーバーヒステリシス値は、前記第１のハンドオーバーヒステリシス値とは異なる、
［Ｃ２０］に記載の方法。
［Ｃ２５］
前記第１のハンドオーバーヒステリシス値は、約０である、
［Ｃ２４］に記載の方法。
［Ｃ２６］
アクセスポイント信号のモニタに基づいて前記フェムトセルによって決定された送信電力値を受信することと、
前記受信された送信電力値に基づいて前記少なくとも１つのフェムトセルのための少なくとも１つの送信電力値を決定することと、
前記トレーニング歩行較正手順の間に前記決定された少なくとも１つの送信電力値を使用するように前記少なくとも１つのフェムトセルを構成することと
そさらに備える、［Ｃ２０］に記載の方法。
［Ｃ２７］
前記フェムトセルうちの第１のフェムトセルよりも高い受信信号品質と関連付けられるものとして前記フェムトセルのうちの第２のフェムトセルを特定する任意の測定レポートを取り除くように、前記受信された測定レポートをフィルタリングすることによって前記フェムトセルのうちの前記第１のフェムトセルのための測定レポート情報を提供することをさらに備え、
前記送信電力の前記制御は、前記フィルタされた測定レポートに基づくものである、
［Ｃ１］に記載の装置。
［Ｃ２８］
フェムトセルのネットワークのためのトレーニング歩行較正手順を実行するアクセス端末から測定レポートを受信するための手段と、ここで、前記測定レポートは、前記アクセス端末の複数の位置に関連付けられる、
前記受信した測定レポートに基づいて前記フェムトセルのうちの少なくとも１つの送信電力を制御するための手段と
を備え、前記送信電力は、前記少なくとも１つの位置での少なくとも１つの基準を満たすように制御される、
通信装置。
［Ｃ２９］
第１のハンドオーバーヒステリシス値および第２のハンドオーバーヒステリシス値を定義するための手段をさらに備え、
前記第１のハンドオーバーヒステリシス値は、前記トレーニング歩行較正値の間のハンドオーバー決定のためのものであり、
前記第２のハンドオーバーヒステリシス値は、トレーニング歩行較正手順が完了した後のハンドオーバー決定のためのものであり、
前記第２のハンドオーバーヒステリシス値は、前記第１のハンドオーバーヒステリシス値とは異なる、
［Ｃ２８］に記載の装置。
［Ｃ３０］
アクセスポイント信号のモニタに基づいて前記フェムトセルによって決定された送信電力値を受信するための手段と、
前記受信された送信電力値に基づいて前記少なくとも１つのフェムトセルのための少なくとも１つの送信電力値を決定するための手段と、
前記トレーニング歩行較正手順の間に前記決定された少なくとも１つの送信電力値を使用するように前記少なくとも１つのフェムトセルを構成するための手段と
［Ｃ２８］に記載の装置。
［Ｃ３１］
前記フェムトセルうちの第１のフェムトセルよりも高い受信信号品質と関連付けられるものとして前記フェムトセルのうちの第２のフェムトセルを特定する任意の測定レポートを取り除くように、前記受信された測定レポートをフィルタリングすることによって前記フェムトセルのうちの前記第１のフェムトセルのための測定レポート情報を提供するための手段をさらに備え、
前記送信電力の前記制御は、前記フィルタされた測定レポートに基づくものである、
［Ｃ２８］に記載の装置。
［Ｃ３２］
コンピュータに、
フェムトセルのネットワークのためのトレーニング歩行較正手順を実行するアクセス端末から測定レポートを受信させ、ここで、前記測定レポートは、前記アクセス端末の複数の位置に関連付けられる、
前記受信した測定レポートに基づいて前記フェムトセルのうちの少なくとも１つの送信電力を制御させる
ためのコードを備えるコンピュータ可読媒体を備え、前記送信電力は、前記少なくとも１つの位置での少なくとも１つの基準を満たすように制御される、
コンピュータプログラム製品。
［Ｃ３３］
前記コンピュータ可読媒体は、前記コンピュータに、
前記トレーニング歩行較正手順の間に、ハンドオーバー決定のための第１のハンドオーバーヒステリシス値を定義させ、
前記トレーニング歩行較正手順が完了した後に、ハンドオーバー決定のための第２のハンドオーバーヒステリシス値を定義させる
ためのコードをさらに備え、前記第２のハンドオーバーヒステリシス値は、前記第１のハンドオーバーヒステリシス値とは異なる、
［Ｃ３２］に記載のコンピュータプログラム製品。
［Ｃ３４］
前記コンピュータ可読媒体は、前記コンピュータに、
アクセスポイント信号のモニタに基づいて前記フェムトセルによって決定された送信電力値を受信させ、
前記受信された送信電力値に基づいて前記少なくとも１つのフェムトセルのための少なくとも１つの送信電力値を決定させ、
前記トレーニング歩行較正手順の間に前記決定された少なくとも１つの送信電力値を使用するように前記少なくとも１つのフェムトセルを構成させる
ためのコードをさらに備える、［Ｃ３２］に記載のコンピュータプログラム製品。
［Ｃ３５］
前記コンピュータ可読媒体は、前記コンピュータに、前記フェムトセルうちの第１のフェムトセルよりも高い受信信号品質と関連付けられるものとして前記フェムトセルのうちの第２のフェムトセルを特定する任意の測定レポートを取り除くように、前記受信された測定レポートをフィルタリングすることによって前記フェムトセルのうちの前記第１のフェムトセルのための測定レポート情報を提供させるためのコードをさらに備え、
前記送信電力の前記制御は、前記フィルタされた測定レポートに基づくものである、
［Ｃ３２］に記載のコンピュータプログラム製品。
［Ｃ３６］
フェムトセルのネットワークに対して実行されるトレーニング歩行較正手順の結果として得られた情報を受信するように構成される受信機と、
前記受信された情報に基づいて再構成トリガ条件を識別するように構成される処理システムと
を備え、前記処理システムは、再構成トリガ条件の前記識別の結果として、前記フェムトセルを再構成せよという指示を生成するようにさらに構成される、
通信装置。
［Ｃ３７］
前記情報は、前記フェムトセルの送信電力値を備え、
前記再構成トリガの前記識別は、前記フェムトセルのうちの２つの前記送信電力値の差が、閾値以上であるかどうか判定することを備える、
［Ｃ３６］に記載の装置。
［Ｃ３８］
前記情報は、前記トレーニング歩行較正手順の結果として得られる測定情報からのパスロス値を備え、
前記再構成トリガの前記識別は、閾値のパスロス以上のパスロス値の数を識別することと、前記識別された数が閾値の数以上であるかどうか判定することとを備える、
［Ｃ３６］に記載の装置。
［Ｃ３９］
前記情報は、前記フェムトセルのための送信電力値を備え、
前記再構成トリガの前記識別は、前記送信電力値のうちの少なくとも１つが閾値の電力レベルに達したかどうか判定することを備える、
［Ｃ３６］に記載の装置。
［Ｃ４０］
前記情報は、前記トレーニング歩行較正手順の結果として得られる測定レポートからのパイロット信号品質値を備え、
前記再構成トリガの前記識別は、前記パイロット信号品質を少なくとも１つの閾値と比較することと、前記比較に基づいてカバレッジホールを識別することとを備える、
［Ｃ３６］に記載の装置。
［Ｃ４１］
前記指示の前記生成は、
前記アクセス端末にメッセージを送ることと、
前記フェムトセルのうちの１つにメッセージを送ることと、
ネットワークエンティティにメッセージを送ることと、
前記アクセス端末のユーザインターフェースデバイス上で前記指示を出力することと
を備える、［Ｃ３６］に記載の装置。
［Ｃ４２］
前記トレーニング歩行較正手順は、前記フェムトセルの初期化の後に実行される初期トレーニング歩行較正手順または前記初期トレーニング歩行較正手順の後に実行される後のトレーニング歩行較正手順を備える、
［Ｃ３６］に記載の装置。
［Ｃ４３］
フェムトセルのネットワークに対して実行されるトレーニング歩行較正手順の結果として得られた情報を受信することと、
前記受信された情報に基づいて再構成トリガ条件を識別ことと、
前記再構成トリガ条件の前記識別の結果として、前記フェムトセルを再構成せよという指示を生成することと
を備える、フェムトセル構成方法。
［Ｃ４４］
前記情報は、前記フェムトセルの送信電力値を備え、
前記再構成トリガの前記識別は、前記フェムトセルのうちの２つの前記送信電力値の差が、閾値以上であるかどうか判定することを備える、
［Ｃ４３］に記載の方法。
［Ｃ４５］
前記情報は、前記トレーニング歩行較正手順の結果として得られる測定情報からのパスロス値を備え、
前記再構成トリガの前記識別は、閾値のパスロス以上のパスロス値の数を識別することと、前記識別された数が閾値の数以上であるかどうか判定することとを備える、
［Ｃ４３］に記載の方法。
［Ｃ４６］
前記情報は、前記フェムトセルのための送信電力値を備え、
前記再構成トリガの前記識別は、前記送信電力値のうちの少なくとも１つが閾値の電力レベルに達したかどうかに判定することを備える、
［Ｃ４３］に記載の方法。
［Ｃ４７］
前記情報は、前記トレーニング歩行較正手順の結果として得られる測定レポートからのパイロット信号品質値を備え、
前記再構成トリガの前記識別は、前記パイロット信号品質を少なくとも１つの閾値と比較することと、前記比較に基づいてカバレッジホールを識別することとを備える、
［Ｃ４３］に記載の方法。
［Ｃ４８］
フェムトセルのネットワークに対して実行されるトレーニング歩行較正手順の結果として得られた情報を受信するための手段と、
前記受信された情報に基づいて再構成トリガ条件を識別するための手段と、
前記再構成トリガ条件の前記識別の結果として、前記フェムトセルを再構成せよという指示を生成するための手段と
を備える通信装置。
［Ｃ４９］
前記情報は、前記フェムトセルの送信電力値を備え、
前記再構成トリガの前記識別は、前記フェムトセルのうちの２つの前記送信電力値の差が、閾値以上であるかどうか判定することを備える、
［Ｃ４８］に記載の装置。
［Ｃ５０］
前記情報は、前記トレーニング歩行較正手順の結果として得られる測定情報からのパスロス値を備え、
前記再構成トリガの前記識別は、閾値のパスロス以上のパスロス値の数を識別することと、前記識別された数が閾値の数以上であるかどうか判定することとを備える、
［Ｃ４８］に記載の装置。
［Ｃ５１］
前記情報は、フェムトセルのための送信電力値を備え、
前記再構成トリガの前記識別は、前記送信電力値のうちの少なくとも１つが閾値の電力レベルに達したかどうか判定することを備える、
［Ｃ４８］に記載の装置。
［Ｃ５２］
前記情報は、前記トレーニング歩行較正手順の結果として得られる測定レポートからのパイロット信号品質値を備え、
前記再構成トリガの前記識別は、前記パイロット信号品質を少なくとも１つの閾値と比較することと、前記比較に基づいてカバレッジホールを識別することとを備える、
［Ｃ４８］に記載の装置。
［Ｃ５３］
コンピュータに、
フェムトセルのネットワークに対して実行されるトレーニング歩行較正手順の結果として得られた情報を受信させ、
前記受信された情報に基づいて再構成トリガ条件を識別させ、
再構成トリガ条件の前記識別の結果として、前記フェムトセルを再構成せよという指示を生成させる
ためのコードを備えるコンピュータ可読媒体を備える、
［Ｃ５３］に記載のコンピュータプログラム製品。
［Ｃ５４］
前記情報は、前記フェムトセルの送信電力値を備え、
前記再構成トリガの前記識別は、前記フェムトセルのうちの２つの前記送信電力値の差が、閾値以上であるかどうか判定することを備える、
［Ｃ５３］に記載のコンピュータプログラム製品。
［Ｃ５５］
前記情報は、前記トレーニング歩行較正手順の結果として得られる測定情報からのパスロス値を備え、
前記再構成トリガの前記識別は、閾値のパスロス以上のパスロス値の数を識別することと、前記識別された数が閾値の数以上であるかどうか判定することとを備える、
［Ｃ５３］に記載のコンピュータプログラム製品。
［Ｃ５６］
前記情報は、前記フェムトセルのための送信電力値を備え、
前記再構成トリガの前記識別は、前記送信電力値のうちの少なくとも１つが閾値の電力レベルに達したかどうか判定することを備える、
［Ｃ５３］に記載のコンピュータプログラム製品。
［Ｃ５７］
前記情報は、前記トレーニング歩行較正手順の結果として得られる測定レポートからのパイロット信号品質値を備え、
前記再構成トリガの前記識別は、前記パイロット信号品質を少なくとも１つの閾値と比較することと、前記比較に基づいてカバレッジホールを識別することとを備える、
［Ｃ５３］に記載のコンピュータプログラム製品。
【図１】
0005571254.tif 000045
【図２】
0005571254.tif 000046
【図３】
0005571254.tif 000047
【図４】
0005571254.tif 000048
【図５】
0005571254.tif 000049
【図６】
0005571254.tif 000050
【図７】
0005571254.tif 000051
【図８】
0005571254.tif 000052
【図９】
0005571254.tif 000053
【図１０】
0005571254.tif 000054
【図１１】
0005571254.tif 000055
【図１２】
0005571254.tif 000056
【図１３】
0005571254.tif 000057
【図１４】
0005571254.tif 000058
【図１５】
0005571254.tif 000059
【図１６】
0005571254.tif 000060
【図１７】
0005571254.tif 000061